(57)【要約】  本発明は、対象者の、熱安定性フォトクロミック組成物でコーティングされたゾーンを、感光性メイクアップでメイクアップする方法であって、電子的にアドレス可能なマトリクスイメージャを用いて、前記熱安定性フォトクロミック組成物上に画像を形成する、方法を提供するものである。【選択図】なし【特許請求の範囲】
【請求項１】
対象者の、熱安定性フォトクロミック組成物でコーティングされたゾーンを、感光性メイクアップでメイクアップする方法であって、電子的にアドレス可能なマトリクスイメージャを用いて、前記熱安定性フォトクロミック組成物上に画像を形成する、方法。
【請求項２】
前記方法が、
・前記対象者のメイクアップ対象となる前記ゾーンの少なくとも１つの画像を撮像し、
・そのようにして撮像された前記画像に応じて、前記イメージャを制御する
ことから構成されるステップを有する、請求項１に記載の方法。
【請求項３】
形成された前記画像を、前記撮像された画像に応じて自動的に判断する、請求項２に記載の方法。
【請求項４】
前記画像が顔に形成され、前記方法が、口および／または目の開きまたは閉じを検出することを含み、前記イメージャが、この検出内容に応じて制御される、請求項１〜３のいずれか１項に記載の方法。
【請求項５】
前記画像が顔に形成され、前記方法が、前記顔が静止している旨を検出することを含み、前記イメージャが、この検出内容に応じて制御される、請求項１〜４のいずれか１項に記載の方法。
【請求項６】
前記画像が顔に形成され、前記方法が、前記顔を識別することを含み、前記イメージャが、この識別内容に応じて制御される、請求項１〜５のいずれか１項に記載の方法。
【請求項７】
パイロット光を前記処理対象ゾーンに投射し、前記パイロット光が投射されるゾーンの画像を撮像することを含み、前記イメージャが、前記処理対象ゾーンの前記パイロット光の位置に応じて制御される、請求項１〜６のいずれか１項に記載の方法。
【請求項８】
前記処理対象ゾーンにある少なくとも１つの皮膚異常を自動的に検出することを含み、前記イメージャが、検出された異常のタイプに応じて制御される、請求項１〜７のいずれか１項に記載の方法。
【請求項９】
前記処理対象ゾーンの前にあるツールあるいは、前記処理対象ゾーンを視認するためのスクリーンの前または上にあるツールの動きに応じて、あるいは、前記処理対象ゾーンを視認するためのスクリーン上または前記処理対象ゾーン上に形成される前記画像内のポインタの動きに応じて、形成される前記画像が修正される、請求項１〜８のいずれか１項に記載の方法。
【請求項１０】
前記イメージャが、前記ＵＶおよび／または前記可視域で選択的に放出するのに適している、請求項１〜９のいずれか１項に記載の方法。
【請求項１１】
前記熱安定性フォトクロミック組成物を完全に呈色させた後、前記電子的にアドレス可能なマトリクスイメージャを用いて選択的な消色を実施する、請求項１〜１０のいずれか１項に記載の方法。
【請求項１２】
前記アドレス可能なマトリクスイメージャを用いて前記熱安定性フォトクロミック組成物を呈色させる、請求項１〜１０のいずれか１項に記載の方法。
【請求項１３】
前記画像の投射時に、前記処理対象ゾーンにおけるレリーフが原因の前記処理対象ゾーンでの前記画像の変形を予測すべく前記画像を計算する、請求項１〜１２のいずれか１項に記載の方法。
【請求項１４】
感光性メイクアップを処理するためのシステムであって、
・好ましくはジアリールエテンおよびフルギドから選択される、熱安定性フォトクロミック組成物、特に、熱安定性フォトクロミック着色剤を含む熱安定性フォトクロミック組成物と、
・前記熱安定性フォトクロミック組成物を呈色できる、光を放出する電子的にアドレス可能なマトリクスイメージャ、特に、可視およびＵＶ域で選択的に放出するのに適したイメージャと、
を備える、システム。
【請求項１５】
・デジタル（動画または静止画）カメラなどの光学収集装置と、
・前記光学収集装置によって撮像された前記画像に応じて前記イメージャを制御するための装置と、を備えるシステムであって、前記システムが、好ましくは、
・ツールと、
・前記ツールの動きに応じて、前記投射された画像を修正するためのコンピュータと、をさらに備え、前記ツールは、場合により、前記処理対象ゾーンの前または上あるいは、前記処理対象ゾーンを視認するためのスクリーンの前または上に位置決めするための部分を含み、あるいは、前記ツールが、前記処理対象ゾーンを視認するためのスクリーン上または前記処理対象ゾーン上に形成される前記画像内のポインタの動きを制御する、請求項１４に記載のシステム。
【発明の詳細な説明】
【技術分野】
【０００１】
本発明は、人間のケラチン物質をメイクアップすること、特に皮膚、唇、髪または爪をメイクアップすることに関する。
【背景技術】
【０００２】
メイクアップをする際、通例、身体または顔に被着される色つきの物質を使用する。
【０００３】
最終結果は、使用する製品、特に採用される成分と配合技術の品質に左右されるだけでなく、利用者の器用さにも左右される。
【０００４】
利用者によっては、より器用になってメイクアップの仕上がりが改善されることを期待しつつ、練習を積む。自分たちには練習をうまくこなすだけの技量はないと考えたり、あるいはそのために割く時間がないという理由から、そういうことをしない人もいる。
【０００５】
最終結果は、以下の３つの質に左右される。
・人が生成しようとするイメージの質
・人の手の動きの質や人の視界の質に依存する人の器用さ
・メイクアップ道具および／またはカラーディスペンサの質。
【０００６】
何年もの間、メイクアップ道具の改善には多大なる尽力がなされてきた。特に、使用するのに一層人間工学的になり、被着される材料の品質も改善されている。
【０００７】
しかしながら、上述したように、最終結果は、人の器用さや使用する図形モデルにも左右される。
【０００８】
これらの他の２つの要素を進歩させるのは極めて困難であるため、メイク仕上げの結果が望まれているほどは進歩していないということになる。
【０００９】
図形モデルが適していないと、メイクアップの結果もそれほど魅力的ではないか、魅力に欠けることすらあることが周知である。
【００１０】
また、人が十分な器用さを持たない場合、メイク仕上げが成功しないことも周知である。
【００１１】
プロフェッショナルのメイクアップアーティストによるサービスを求めるという解決策が存在する。この解決策は、足を運ばなければならない上に費用が高いため、ほとんどの人々の状況には適さない。
【００１２】
もうひとつの解決策に、プロフェッショナルのメイクアップアーティストなどの専門家と知り合って、アドバイスを求めるというものがある。専門家が図形モデルを推薦することもあろう。メイクアップを指南する書籍を参考にすることも可能である。この方法には、人がそのメイクアップを施すだけの器用さを持ち合わせていない場合、その方法は要領を得ないものとなり、あるいはフラストレーションの原因にすらなるため、極めて制約が多い。
【００１３】
それは、たとえば自分の目が悪くなったり手の器用さが若干失われたりした場合に、多くの人々にメイクアップを適用しなかったり、メイクアップの適用をあきらめたりさせてしまう。
【００１４】
メイクアップを施す人もいるが、メイクアップの可能性の大半を本当の意味で活用できているわけではなく、洗練されたメイク仕上げを試みて失敗するリスクを取るより、辛うじて見られる効果を生むことのほうを好む。
【００１５】
また、洗練されたメイク仕上げを作り出す器用さを持ち合わせてはいても、多数の人々は時間がなくてそこまではしていない。
【００１６】
解決策のひとつに、人が特に器用でなくても、短時間で失敗の危険性もなく、どのようなタイプのメイク仕上げでも作り出せるようにすることがあげられる。
【００１７】
感光性メイクアップを使用すると、満足のいくメイクアップ結果を得られることが発見された。結果の精度は、特定の器用さと練習のどちらも必要とせずに、利用者が従来のメイクアップで通常得るものを越える。
【００１８】
さらに、感光性メイクアップでは、メイクアップで通常許容される範囲を超える色彩効果を生成することができる。これは、従来のメイクアップパターンを模したどのようなパターンであってもよいし、文字、ロゴなどであってもよい。
【００１９】
感光性メイクアップは、光放射、たとえばＵＶ光線によって呈色でき、少なくとも１時間、照射と関連した外見の変化を保持する、少なくとも１種類の熱安定性フォトクロミック組成物を用いることに立脚している。
【００２０】
感光性メイク仕上げを作り出すために、少なくとも１種類の熱安定性フォトクロミック組成物を、少なくとも１つの層の形で、処理対象ゾーンに被着させる。
【００２１】
熱安定性フォトクロミック組成物を適用する際、これは非呈色状態にあるが、使用する成分次第で色つきの場合も無色の場合もある。
【００２２】
熱安定性フォトクロミック組成物の層への照射は、不均一に照射することで、選択的に実施してもよい。よって、特定の領域を呈色させる必要がなく、他の領域および／またはいくつかの領域をさまざまな度合いで呈色させて、異なる強度の色を得るようにしてもよい。
【００２３】
使用する光エネルギは、比較的低いままであり、皮膚に日焼けを発生させることはない。
【００２４】
感光性メイクアップでメイクアップをするひとつの方法が、本明細書に援用する欧州特許出願公開第０  ９３８  ８８７号明細書に記載されており、皮膚に適用される熱安定性フォトクロミック剤が採用されている。この公報には、ジアリールエテンおよびフルギドから選択される作用剤について記載されている。
【００２５】
米国特許出願公開第２００７／００３８２７０−Ａ１号明細書には、感光性組成物をパターンで皮膚に被着させるか、生成対象となるパターンに相当する光に曝露させるさまざまな方法が開示されている。
【００２６】
国際特許出願公開第ＷＯ  ２００８／１４４７８７号パンフレットには、人間の皮膚に可視パターンを作り出す方法が開示されている。この方法では、ＵＶ光を放出するアドレス可能なマトリクスイメージャを用いて、皮膚を選択的に日焼けさせる。
【発明の概要】
【課題を解決するための手段】
【００２７】
本発明の目的は、特段器用である必要なく、実用的かつ迅速にメイク仕上げを作れるようにすることである。
【００２８】
本発明の例示的な実施形態は、対象者の一ゾーンを感光性メイクアップでメイクアップする方法であって、前記ゾーンに熱安定性フォトクロミック組成物をコーティングし、電子的にアドレス可能なマトリクスイメージャを用いて熱安定性フォトクロミック組成物上に画像を形成する、方法を提供するものである。
【００２９】
熱安定性フォトクロミック組成物は、アドレス可能なマトリクスイメージャを用いて呈色されてもよい。
【００３０】
熱安定性フォトクロミック組成物を完全に呈色させた後に、選択的消色を実施してもよい。
【００３１】
一例として、均一なＵＶ光を用いて組成物を呈色させた後、イメージャを用いて感光性メイク仕上げを作り出すか、適用時には少なくとも部分的に活性化されている熱安定性フォトクロミック組成物を用いることが可能である。
【００３２】
本発明は、一層単純なものから一層複雑なものまで、あらゆる種類のメイク仕上げ、特に、人の器用さを大幅に超えるメイク仕上げを作り出すことを可能にするものである。
【００３３】
この方法は、
・対象者のメイクアップ対象となるゾーンの少なくとも１つの画像を撮像し、
・そのようにして撮像された画像に応じて、イメージャを制御する
ことから構成されるステップを含むものであってもよい。
【００３４】
画像を撮像するための撮像手段は、デジタル（動画または静止画）カメラなどである。これは、顔または身体の他の任意のゾーンのすべてまたは一部を捕捉するよう適合されていてもよい。
【００３５】
本発明は、デジタル画像を判断するコンピュータを用いて実施できるものであり、これに基づいて、イメージャ、特に、各画素のグレーレベル、任意に、各画素における光の主要波長が制御される。
【００３６】
形成された画像を、撮像された画像に応じて自動的に判断するものであってもよい。これによって、投射された画像を顔の形態および／または色に適合させることができ、適宜、これによって画像を、処理対象となるゾーンに適切に投射することができる。
【００３７】
画像が顔に形成される場合、この方法は、口および／または目の開きまたは閉じを検出することを含むものであってもよく、イメージャは、前記検出内容に応じて制御される。これによって、感光性メイクアップを受ける人の目をくらませてしまうのを避けることが可能になる。
【００３８】
この方法は、顔が静止している旨を検出することを含むものであってもよく、イメージャは、前記検出内容に応じて制御される。これによって、形成される画像に動きによるぼやけが生じる危険性を減らすことが可能になる。
【００３９】
この方法は、顔を識別することを含むものであってもよく、イメージャは、この識別内容に応じて制御されるものであってもよい。これは、感光性メイクアップを処理するための単一のシステムを複数の人々が共有できるようにする。
【００４０】
この方法は、パイロット光を処理対象ゾーンに投射し、パイロット光が投射されるゾーンの画像を撮像することを含むものであってもよく、イメージャは、処理対象ゾーンのパイロット光の位置に応じて制御されるものであってもよい。
【００４１】
この方法は、処理対象ゾーンにある少なくとも１つの皮膚異常を自動的に検出することを含むものであってもよく、イメージャは、検出された異常のタイプに応じて制御されるものであってもよい。
【００４２】
処理対象ゾーンの前にあるツールあるいは、処理対象ゾーンを視認するためのスクリーンの前または上にあるツールの動きに応じて、あるいは、処理対象ゾーンを視認するためのスクリーン上または処理対象ゾーン上に形成される画像内のポインタの動きに応じて、形成される画像が修正されてもよい。
【００４３】
本発明の他の例示的な実施形態は、感光性メイクアップを処理するためのシステムを提供するものであり、このシステムは、
・熱安定性フォトクロミック組成物と、
・熱安定性フォトクロミック組成物を呈色できる、光を放出する電子的にアドレス可能なマトリクスイメージャと、を備える。
【００４４】
感光性メイクアップのためのシステムは、
・デジタル（動画または静止画）カメラなどの光学収集装置と、
・撮像された画像に応じて電子イメージャを制御するための装置と、を備えるモノであってもよく、システムが、好ましくは、
・ツールと、
・ツールの動きに応じて、投射された画像を修正するためのコンピュータと、をさらに備え、ツールは、場合により、処理対象ゾーンの前または上あるいは、処理対象ゾーンを視認するためのスクリーンの前または上に位置決めするための部分を含み、あるいは、ツールが、処理対象ゾーンを視認するためのスクリーン上または処理対象ゾーン上に形成される画像内のポインタの動きを制御する。
【００４５】
熱安定性フォトクロミック組成物
本発明によれば、好適な熱安定性フォトクロミック組成物を用いて、感光性メイク仕上げを作り出す。
【００４６】
本発明の熱安定性フォトクロミック組成物は、感光性メイク仕上げを作り出すのに適した、すなわち、光放射の影響下で外見を変化させる１以上の熱安定性フォトクロミック剤を含有する。
【００４７】
本発明に用いられる熱安定性フォトクロミック剤（単数または複数）は、熱安定性フォトクロミック剤であってもよいし、不可逆性フォトクロミック剤すなわち、ひとたび外見の変化が得られたら、それが永久的であってもよい。
【００４８】
使用する熱安定性フォトクロミック剤（単数または複数）によっては、好適な放射線、たとえばＵＶおよび／または近ＵＶに曝露することで、前記熱安定性フォトクロミック剤（単数または複数）を徐々に呈色させて、感光性メイク仕上げを作り出してもよいし、あるいは、すでに呈色された状態の１以上の熱安定性フォトクロミック剤を含む熱安定性フォトクロミック組成物から開始して、これに好適な放射線、たとえば可視近−ＵＶ可視を適用することで非呈色状態にして、感光性メイク仕上げを作り出してもよい。
【００４９】
感光性メイクアップでは、厳密に所望のメイクアップ結果を得るために、１以上の熱安定性フォトクロミック剤の呈色と１以上の熱安定性フォトクロミック剤の消色の両方を、たとえば連続的または交互に実施してもよい。
【００５０】
熱安定性フォトクロミック組成物は、ケラチン物質への適用前に非呈色状態の熱安定性フォトクロミック剤（単数または複数）と一緒に包装装置に収容されたものであってもよい。この構成では、熱安定性フォトクロミック剤（単数または複数）が非呈色状態にある熱安定性フォトクロミック組成物をケラチン物質に適用してもよく、その後、放射線で前記フォトクロミック剤（単数または複数）を呈色状態に変化させてもよい。
【００５１】
一変形例では、１以上のパターンなどを作り出すおよび／または所望の色を得るために、熱安定性フォトクロミック剤（単数または複数）が非呈色状態にある熱安定性フォトクロミック組成物をケラチン物質に適用し、その後、熱安定性フォトクロミック剤を呈色状態にした上で、放射線を選択的に適用して熱安定性フォトクロミック剤（単数または複数）をたとえば局所的に非呈色状態に変化させる。
【００５２】
もうひとつの変形例では、熱安定性フォトクロミック剤が呈色状態にある熱安定性フォトクロミック組成物を包装装置に収容する。その後、１以上のパターンを形成および／または所望の色を得るために、熱安定性フォトクロミック剤（単数または複数）が呈色状態にある熱安定性フォトクロミック組成物を適用し、熱安定性フォトクロミック剤を選択的に非呈色状態にする。
【００５３】
組成物をケラチン物質に適用するにあたって熱安定性フォトクロミック剤（単数または複数）がすでに呈色状態の熱安定性フォトクロミック組成物を使おうとする場合、任意に、たとえばこれを収容する容器のエンクロージャ内あるいは分配オリフィスまたは適用部材など、熱安定性フォトクロミック組成物を光放射に曝露するのに適した光源を含む包装装置を用いることが可能であり、この光放射は、安定性フォトクロミック剤（単数または複数）を呈色させるのに適した波長のものである。
【００５４】
熱安定性フォトクロミック組成物は、たとえば、呈色状態で色を生成できる熱安定性フォトクロミック剤（たとえば、非呈色状態では無色）を含むものであってもよいし、呈色状態でそれぞれ異なる色を生み出すが、非呈色状態では別の色または無色である熱安定性フォトクロミック剤の混合物を含むものであってもよい。
【００５５】
一例として、たとえば、呈色状態で黄色の熱安定性フォトクロミック剤が大きな比率を占める、黄色、青、マゼンタのそれぞれの熱安定性フォトクロミック剤の混合物を含む熱安定性フォトクロミック組成物を用いることが可能な場合があり、この比率は、たとえばすべての熱安定性フォトクロミック剤が呈色状態のときに、皮膚に近い色相が得られるように選択される。よって、本発明の一例では、黄色、マゼンタ、青のそれぞれの熱安定性フォトクロミック剤の混合物を、相対比率約５０％、３５％、１５％で使用する。
【００５６】
熱安定性フォトクロミック組成物が複数の熱安定性フォトクロミック剤を含む場合、それぞれ異なる主要波長の放射線に曝露することで呈色される熱安定性フォトクロミック剤を用いることが可能であるため、熱安定性フォトクロミック組成物を曝露する放射線の波長を選択することで、ある色ではなく別の色を呈色させることが可能である。また、それぞれの主要波長に曝露されると消色される熱安定性フォトクロミック組成物にて熱安定性フォトクロミック剤を用いることも可能であり、これは、熱安定性フォトクロミック組成物を消色させるのに用いる光の特徴を選択することで、ある色ではなく特定の色を消色できることを意味する。
【００５７】
熱安定性フォトクロミック剤の熱安定性の測定
フォトクロミック剤が熱安定性であるか否かを判断するための試験は以下のとおりである。最初は非呈色状態で色Ｅiの試験対象となる作用剤に、１Ｊ／ｃｍ2［平方センチメートルあたりのジュール］で１分間、ＵＶ光線を照射した後、ＭＩＮＯＬＴＡ  ＣＭ  ２００２（ｄ／８、ＳＣＩ、Ｄ６５、２°観測者）などの分光測色計を用いて、その最終色Ｅfを判断する；ＣＩＥ  Ｌａｂ空間で色差
【数１】
2012518829.tif 000002
が得られ、これが最大呈色に相当する。次に、前記化合物を完全な暗闇にて２５℃で６０分間放置した後、上記の方法でその色Ｅrを求める。ΔＥi,rの新たな値が、最大呈色に対応するΔＥi,fの値の少なくとも５０％である場合、その化合物は熱安定性であるとみなされる。好ましくは、一度呈色されたら、得られたメイクアップが１時間を超えて、好ましくは４時間を超えて可視的に保たれるように、熱安定性フォトクロミック剤を選択する。
【００５８】
熱安定性フォトクロミック組成物は、ドープ酸化チタン、スピロピラン、スピロオキサジンまたはクロメンなどの熱可逆性フォトクロミック化合物を含まないものであってもよい（これらの化合物の特定の形態が熱安定性フォトクロミック剤の定義に包含される場合を除く）。
【００５９】
本発明の熱安定性フォトクロミック剤（単数または複数）は、有利なことに、初期照射Ｉ1下で、この作用剤またはこれらの作用剤が、実質的に無色またはかすかに色つきの状態から始まって色がつくことで呈色され；第１の照射とは異なる第２の照射Ｉ2下で、この作用剤またはこれらの作用剤が、実質的に無色またはかすかに色つきに戻るようなものである。本発明を実施するにあたり、照射Ｉ1はＵＶ照射（２９０ｎｍ〜４００ｎｍ）、特にＵＶＡ（３２０ｎｍ〜４００ｎｍ）および／またはＵＶＢ、好ましくは近ＵＶ（４００ｎｍ〜４４０ｎｍ）であるのに対し、照射Ｉ2は、白色光などの可視域の照射である。
【００６０】
熱安定性フォトクロミック剤
使用できるフォトクロミック剤の好ましい例に、ジアリールエテンファミリに属する化合物ならびに、フルギドファミリに属する化合物がある。しかしながら、この一覧は限定的なものではない。当業者であれば、熱安定性フォトクロミック剤の例について記載した欧州特許出願公開第０  ９３８  ８８７号明細書を参照できよう。
【００６１】
ジアリールエテンは、以下の式（Ｉ）：
【化１】
2012518829.tif 000003
で表すことができ、式中、ラジカルＲ1およびＲ2は二重結合に対して常に「ｃｉｓ」である。
【００６２】
これらのラジカルＲ1およびＲ2は、互いに独立に、Ｃ1〜Ｃ16アルキルラジカル（フッ素化または過フッ素化されたものであってもよい）およびニトリルから選択されるものであってもよい。
【００６３】
特に、以下の式
【化２】
2012518829.tif 000004
で表される化合物があげられる。
【００６４】
また、５個または６個の炭素原子を含む環、（フッ素化または過フッ素化されたものであってもよい）、特に以下の式：
【化３】
2012518829.tif 000005
で表される環あるいは、炭素原子数５の無水物環、特に以下の式
【化４】
2012518829.tif 000006
で表される環を形成するものであってもよく、式中、Ｘは酸素原子または−ＮＲ3ラジカルであればよく、ＲはＣ2〜Ｃ16アルキルおよび／またはヒドロキシアルキルラジカルを表す。
【００６５】
ラジカルＡおよびＢは、等しくても異なっていてもよく、特に、以下の構造
【化５】
2012518829.tif 000007
を有する５原子環または５または６原子二環を表すものであってもよく、式中、
・ＸおよびＹは、同一であっても異なっていてもよく、酸素原子、硫黄原子、硫黄の酸化形態、窒素原子またはセレニウム原子を表すものであってもよく；
・ＺおよびＷは、同一であっても異なっていてもよく、炭素原子または窒素原子を表すものであってもよく；
・ラジカルＲ3〜Ｒ12は、同一であっても異なっていてもよく、水素、直鎖または分枝鎖のＣ1〜Ｃ16アルキル基またはアルコキシ基、ハロゲン、直鎖または分枝鎖のフッ素化または過フッ素化Ｃ1〜Ｃ4基、カルボキシル基、Ｃ1〜Ｃ16アルキルカルボキシル基、Ｃ1〜Ｃ16モノまたはジアルキルアミノ基、ニトリル基を表すものであってもよく；フェニル基、ナフタレン基または複素環（ピリジン、キノリン、チオフェン）が、前記ラジカルで置換されていてもよい。
【００６６】
しかしながら、基ＡおよびＢは、両方が以下のようなインドール型の構造と等しいものであってはならない。
【化６】
2012518829.tif 000008
【００６７】
基ＡおよびＢは、１以上の二重結合によって環から分離されていてもよい。
【００６８】
二重結合と残基ＡおよびＢとの間の結合部分に対してオルトの位置には、常に、ＣＨ3、ＣＮまたはＣＯＯＥｔなどの水素以外の基がなければならず、すなわち、基Ｒ3またはＲ5、Ｒ4、Ｒ7、Ｒ8が水素以外でなければならない。
【００６９】
取り上げることのできる一例に、４０４ｎｍ〜４３６ｎｍでの照射後に以下のように無色から赤に変わる（５４６ｎｍ〜５７８ｎｍで戻る）以下の化合物がある。
【化７】
2012518829.tif 000009
【００７０】
ジアリールエテンの一例に、商品名ＤＡＥ−ＭＰで山田化学工業株式会社（日本）から販売され、化学名および式が１、２−ビス（２−メチル−５−フェニル−３−チエニル）−３，３，４，４，５，５−ヘキサフルオロシクロペンテン
【化８】
2012518829.tif 000010
である、呈色状態で色が青のものがあげられる。
【００７１】
ジアリールエテンのもうひとつの例に、式
【化９】
2012518829.tif 000011
で表され、商品名ＤＡＥ−２ＢＴで山田化学工業株式会社（日本）から販売され、化学名が１，２−ビス（３−メチルベンゾ（ｂ）チオフェン−２−イル）パーフルオロシクロペンテンである、呈色状態で黄色のものがあげられる。
【００７２】
フルギドは、以下の式
【化１０】
2012518829.tif 000012
で表され、式中、
・基Ａは上記にて示した意味を持ち、
・基Ｒ13〜Ｒ15は、同一であっても異なっていてもよく、直鎖または分枝鎖のＣ1〜Ｃ16アルキル基を表すものであってもよいか、基Ｒ13およびＲ14が、シクロプロパンまたはアダマンチレンなどの３〜１２個の炭素原子を含む環を形成してもよい。
【００７３】
他の熱安定性フォトクロミック剤
これらのフォトクロミック化合物は、光の照射によって制御される機構がゆえに、無色またはかすかに色つきの形態から色つきの形態に変化するなど、外見を変える化合物である。
【００７４】
この機構は、たとえば無色の形態から色つきの形態に変化して光が外見を変化させるという意味で、直接的なものであってもよい。これは、たとえば、光分解機能または光脱離機能を有する化合物に適用される。
【００７５】
好ましくは、光分解機能または光脱離機能がケラチン物質に対して不活性な化合物を使用する。
【００７６】
好ましくは、光分解機能または光脱離機能が、ポリマーまたは他の固体またはバルク構造によって固定化または担持される化合物を使用する。
【００７７】
一例として、論文Ｃ．Ｐ．ＭｃＣｏｙ  ｅｔ  ａｌ．，  Ｊ．  Ａｍ．  Ｃｈｅｍ．  Ｓｏｃ．，  ２００７，  １２９，  ９５７２に記載されているような３−５−ジメトキシベンゾイン官能基や色つきの製品を使用してもよい。
【００７８】
上記の機構は、はじめは無色の化合物を光が別の形態などに変化させ、その上で第３の作用で、修飾されるが依然として無色の化合物を色つきにするなど外見の異なる形態に変える、間接的なものであってもよい。
【００７９】
この機構は、光によって修飾されていない化合物ならびに、修飾された化合物に対して第３の作用が異なる形で働いて、たとえば、未修飾の化合物が変更されて色つきになるなど外見が変化するのに対し、修飾された化合物は無色のままであるなどその外見を保つときにも、間接的である。
【００８０】
一例として、ジアゾニウム塩化合物と、カップリング反応によって反応できる別の芳香族化合物と、を用いるジアゾ型の原理を用いることが可能である。照射によってジアゾニウム塩が破壊される（窒素の遊離）。次に、単純なｐＨのジャンプによって（アンモニアなどの存在下）、照射されていないジアゾニウム化合物がカップラーと反応し、アゾ化合物が生成される。このような状況下、環上にジアゾニウム官能基を持つがアミンまたはヒドロキシル官能基は持たない芳香族化合物などの、色つきではないジアゾニウム塩化合物が選択される。カップラーは、アニリンまたはフェノール誘導体などの単純な芳香族アミンであってもよい。
【００８１】
このように、以下の反応によって、照射されていない部分が呈色される。
【化１１】
2012518829.tif 000013
【００８２】
使用するフォトクロミック剤（単数または複数）は、呈色時に熱安定性になるものであってもよいし、たとえばこれに所望の熱安定性を与える化合物の存在下に導入されるなど、特定の作用が実施された後にだけ熱安定性になるものであってもよい。
【００８３】
熱安定性フォトクロミック組成物は、合計で０．００１重量％〜２０重量％のフォトクロミック剤（単数または複数）、特に熱安定性フォトクロミック剤（単数または複数）を含有するものであってもよい。
【００８４】
熱安定性フォトクロミック組成物は、化粧用途に適した溶媒、特に欧州特許出願公開第０  ９３８  ８８７号明細書に言及された中から選択されるものを含有するものであってもよい。
【００８５】
組成物は、欧州特許出願公開第０  ９３８  ８８７号明細書の段落［００２９］から［００４１］に名前があげられた成分を含むものであってもよい。この一覧を、本明細書に援用する。
【００８６】
感度を落とした熱安定性フォトクロミック組成物
熱安定性フォトクロミック組成物は、ＵＶまたは近ＵＶ光線に対するその感度を落とす、少なくとも１種類の光学的作用剤を含むものであってもよい。
【００８７】
熱安定性フォトクロミック組成物は、特に、下記にて定義するようなその遮蔽力Ｆが２以上あるいは、５、１０、１５または２０になるのに十分な量で、１以上の光学的作用剤を含むものであってもよい。
【００８８】
遮蔽力を測定するためのプロトコール
ＳＰＦの判断に用いられているものと類似のプロトコールを使用する。違いは、皮膚の紅斑応答が考慮されない点である。
【００８９】
遮蔽力の判別対象となる組成物を、ＥＵＲＯＰＬＡＳＴから入手した５ｃｍ［センチメートル］×５ｃｍ、厚さ３ｍｍ［ミリメートル］、粗さ４．５±１μｍの紙ヤスリ研磨したポリメチルメタクリレート（ＰＭＭＡ）プレート（ＵＶ遮蔽剤なし）に、１．２ｍｇ／ｃｍ2［平方センチメートルあたりのミリグラム］で適用する。このプレートには、１０±１ｍｇのＶａｓｅｌｉｎｅ  １４５Ｂを塗って前処理しておく。組成物については、組成物１４ドットで塗り、５秒ごとに４分の１ずつ折り返してプレートをジグザグに往復しながら２０秒間指で展着させる。
【００９０】
展着後、０．６ｍｇ／ｃｍ2の組成物が存在する。そのまま２０分間（ｍｉｎ）乾燥させた後、再び展着させる。
【００９１】
２９０ｍｍ〜４００ｍｍの拡散透過率を測定する、分光放射計を使用する（たとえば、積分球を有するＬａｂｓｐｈｅｒｅ  ＵＶ透過率分析装置）。透過度Ｔ（λ）のそれぞれの値を記録する。Ｔ（λ）は、入射光エネルギに対する透過される光エネルギの特定の照射波長λでの比である。１プレートあたり５回分の測定値を得て（プレートを移動させる）、これらの５回分の測定値の平均をとる。５枚のプレートについて、この操作を実施する。５回分の測定値の平均をとる。
【００９２】
太陽のＵＶ光線（２９０ｎｍ〜４００ｎｍ）に対する遮蔽力Ｆを、以下の２つの積分の比で表す。
【数２】
2012518829.tif 000014
式中、Ｉ（λ）は、太陽光スペクトルの各波長の出現を表す関数である。Ｉ（λ）は、刊行物ＣＯＬＩＰＡ  ＧＵＩＤＥＬＩＮＥＳ  Ｅｄｉｔｉｏｎ  ｏｆ  ２００７：  Ａ  ＭＥＴＨＯＤ  ＦＯＲ  ＴＨＥ  ＩＮ  ＶＩＴＲＯ  ＤＥＴＥＲＭＩＮＡＴＩＯＮ  ＯＦ  ＵＶＡ  ＰＲＯＴＥＣＴＩＯＮ  ＰＲＯＶＩＤＥＤ  ＢＹ  ＳＵＮＳＣＲＥＥＮ  ＰＲＯＤＵＣＴＳにてｉｎ  ｖｉｔｒｏでのＳＰＦ計算に用いられているものと同じである。Ｆ＝１である場合、この組成物は遮蔽しない。
【００９３】
「波長λの放射線に対する遮蔽剤として作用」という表現は、光学的作用剤が波長λの放射線を少なくとも減衰係数２だけ減衰することを意味する。この測定は、吸収スペクトルを測定する装置を用いて、ゾーンへの照射光を波長λ±１０ｎｍのものに制限して実施される。比
【数３】
2012518829.tif 000015
（式中、Ｉ（λ）およびＴ（λ）は上記にて定義したとおりである）から、波長λでの減衰係数が得られる。
【００９４】
熱安定性フォトクロミック組成物は、少なくとも１つの範囲Ｐの波長を間隔λ1〜λ2で有するものであってもよく、照射があまり遮蔽されない場合、この範囲での遮蔽力はＦλ1,λ2の平均であり、ここで、Ｆ／Ｆλ1,λ2＞２、好ましくはＦ／Ｆλ1,λ2＞５である。範囲ｐの幅は、８０ｎｍ未満、好ましくは４０ｎｍ未満であってもよい。
【００９５】
Ｆλ1,λ2は
【数４】
2012518829.tif 000016
によって定義され、上述したように測定される。ここで、上限と下限の２９０および４００をλ1およびλ2で置き換えると、λ2＞λ1である。
【００９６】
適切な場合、熱安定性フォトクロミック組成物は、色が経時的に発色する着色剤など、色が変化する（空気に触れると徐々に色がつくことがあるＤＨＡまたはポリフェノールなど、可能であればゆっくりと色が変化する）着色料を含むものであってもよい。熱安定性フォトクロミック組成物は、たとえば、９０％発色するまでに半時間より長い時間を要する着色剤を含むものであってもよい。このような着色剤の利点として、たとえば、周囲光の影響下で感光性メイクアップパターンの劣化を遅らせるために、ひとたび感光性メイク仕上げがなされたら遮蔽力を発揮し得ることがあげられる。
【００９７】
第１の層に存在する光学的作用剤用の活性剤として作用する第２の層
本発明の一実用例では、第１の層が、熱安定性フォトクロミック組成物で構成され、光学的作用剤を部分的または完全に失活した形態または前駆物質として含有する。この失活した形態または前駆物質状態の作用剤は、感光性メイクアップの結果を保護するのに十分なほどは、まだ活性化されていない。
【００９８】
感光性メイクアップ後、第２の層を適用することで、失活した光学的作用剤を活性化するか、前駆物質を、熱安定性フォトクロミック組成物を呈色させる放射線に対する遮蔽剤を形成するのに効果的な光学的作用剤の形態にする役割が果たされる。
【００９９】
一例として、層のうちの１つにおける前駆物質の形態で、光学的作用剤は、溶液中の亜鉛、鉄またはマグネシウム塩などの塩の他の層に含まれることで、さらに活性化される、ポルフィリンクラスの着色剤であってもよい。
【０１００】
ガレヌス形態
熱安定性フォトクロミック組成物は、用途やその構成成分の性質に応じて、さまざまなガレヌス形態で存在してもよい。
【０１０１】
本発明の熱安定性フォトクロミック組成物は、化粧的に許容される媒質すなわち、皮膚、爪、髪、睫および眉毛、粘膜および半粘膜、さらには身体および顔の他の任意の皮膚ゾーンなど、あらゆるケラチン物質になじむ媒質を含有する。特に、前記媒質は、懸濁液、分散液、溶媒または含水アルコール媒質中の溶液（任意に増粘またはゲル化したもの）；水中油滴型エマルション、油中水滴型エマルションまたは多相エマルション；ゲルまたはフォーム；ゲルエマルション；スプレー；ルース、コンパクトまたはキャスト粉末；無水ペースト；または特にフィルムを含むか、その形態のものであってもよい。
【０１０２】
処理されるゾーン
たとえば爪、睫、髪、皮膚、特に顔、たとえば頬、額、唇または目の輪郭、首、胸または脚の皮膚など、通常メイクアップがなされる身体のどの部分にも、本発明による感光性メイクアップを施すことができる。
【０１０３】
また、耳、手または歯など、ほとんどメイクアップがなされない身体の一部を処理することも可能である。これらのゾーンは、複雑な形状であって、従来のメイクアップ製品の適用を容易にする助けにならない。感光性メイクアップでは、その複雑な形状とは関係なく、審美的な結果を得ることができる。
【０１０４】
感光性メイクアップを利用して、皮膚のしみをカモフラージュしてもよい。
【０１０５】
感光性メイクアップは、任意に、利用者が着用する衣服またはアクセサリーのパターン、たとえば、宝石、財布、眼ミラー、靴、調度品、パーソナルデジタルアシスタント（ＰＤＡ）または携帯電話のパターンを模したものであってもよい。
【０１０６】
適宜、このような衣服またはこのようなアクセサリーの販売時に、アクセサリーまたは衣服とコーディネートされた感光性メイク仕上げを作れるようにするファイルまたはインターネットリンクを提供してもよい。
【０１０７】
ファイルまたはインターネットリンクは、衣服またはアクセサリーとコーディネートするために設計または選択された画像を生成するのに必要なデータへのアクセスを提供するものであってもよい。一例として、パターンのすべてまたは一部を模したものであってもよいし、あるいはこれを完成させるものであってもよい。
【図面の簡単な説明】
【０１０８】
【図１】本発明によって生成される感光性メイクアップを処理するためのシステムの一例を示す概略部分図である。
【図２】光照射時に、処理対象となるゾーンをどのように保持するかを示す。
【図２ａ】画素で構成された画像内でのパターンの形成を示す。
【図３】照射器のバリエーションを示す概略部分図である。
【図４】照射器のバリエーションを示す概略部分図である。
【図５】照射器のバリエーションを示す概略部分図である。
【図６】照射器のバリエーションを示す概略部分図である。
【図７】いくつかの技術を用いるアドレス可能なマトリクスイメージャの異なる例を示す。
【図８】いくつかの技術を用いるアドレス可能なマトリクスイメージャの異なる例を示す。
【図９】いくつかの技術を用いるアドレス可能なマトリクスイメージャの異なる例を示す。
【図１０】いくつかの技術を用いるアドレス可能なマトリクスイメージャの異なる例を示す。
【図１０Ａ】いくつかの技術を用いるアドレス可能なマトリクスイメージャの異なる例を示す。
【図１１】感光性メイクアップの例を示す。
【図１２】感光性メイクアップの例を示す。
【図１３】感光性メイクアップの例を示す。
【図１４Ａ】感光性メイクアップの進み具合の例を示す。
【図１４Ｂ】感光性メイクアップの進み具合の例を示す。
【図１４Ｃ】感光性メイクアップの進み具合の例を示す。
【図１５Ａ】感光性メイクアップの進み具合の例を示す。
【図１５Ｂ】感光性メイクアップの進み具合の例を示す。
【図１５Ｃ】感光性メイクアップの進み具合の例を示す。
【図１６】組成物を適用するために呈色できるようにする包装装置の一例を表す。
【発明を実施するための形態】
【０１０９】
適用の形態
本発明の実施にあたって使用するのに適した上記の組成物または各組成物は、粉末、流体、スプレーまたはフィルムの形で適用できるものである。流体が異なるレオロジーを有するものであってもよい。たとえば、ケラチン物質にこすりつけると展着される製品の塊であってもよいし、液体であってもよい。
【０１１０】
熱安定性フォトクロミックあるいは任意に光保護組成物の層、むしろ光保護組成物層を、乾燥した粉末またはほぼ乾燥した粉末の形で適用してもよい。
【０１１１】
上記の組成物または各組成物は、任意に、プリフォームフィルムの形であってもよい。
【０１１２】
好ましくは、多層での適用を用いる場合、第２の層は、好ましくはすでに適用されている第１の層を劣化させることなく適用される。この目的のため、第２の層を形成することを想定した組成物をスプレーで適用すると好ましいことがある。
【０１１３】
また、処理対象となるゾーンと接触され、任意にその上に移動される装置を用いて、インクジェットプリンターなどのプリンターを使用して適用してもよい。１以上の層をスプレーする場合、推進剤ガス、エアブラシによるスプレーあるいは、静電噴霧または圧電噴霧など、どのようなスプレー技術を用いてもよい。組成物のうちの少なくとも１種類を保持するか、あるいはさまざまな層を形成する支持シートを用いる転写によって、適用してもよい。転写は、圧力によって、熱によって、および／または支持シートおよび／または本発明による処理の対象となるケラチン物質に被着される溶媒を用いて達成すればよい。
【０１１４】
適用は、手作業で実施してもよいし、マニピュレーターアームを用いるなど自動で実施してもよい。
【０１１５】
いずれの層も、前の層を乾燥させてから適用してもよい。
【０１１６】
アプリケーター、おそらくは適用対象となる組成物を仕込んだ適用部材を含む単独使用のアプリケーターを用いて適用してもよい。
【０１１７】
組成物を、販売場所、美容室あるいは、特に家庭で適用してもよい。
【０１１８】
各組成物を、使用前に好適な容器内に収容してもよい。
【０１１９】
組成物、特に熱安定性フォトクロミック組成物を、周囲光の強度が感光性メイク仕上げの品質にとって不利ではないことを確認した上で適用してもよい。確認は、周囲光が光束０．１ｍＷ／ｃｍ2または０．５ｍＷ／ｃｍ2など強すぎるＵＶまたは近ＵＶ光線を含む場合に利用者に通知する警報装置を用いて実施してもよい。この閾値は、必要に応じて調節可能である。このような装置は、自立したものであってもよいし、包装装置または熱安定性フォトクロミック組成物を適用するための装置あるいは、包装装置または光保護組成物を適用するための装置と一体のものであってもよい。
【０１２０】
適宜、警報装置によって送られる情報が、ＵＶ光線のレベルに応じて、フォトクロミック組成物、光保護組成物および／または複数の組成物の中でベース層として機能する組成物を選択する上でも有用なことがある。
【０１２１】
上述したように、適宜、熱安定性フォトクロミック組成物は、完全な呈色状態または非呈色状態で適用できるものである。
【０１２２】
熱安定性フォトクロミック組成物およびコーティング層またはベース層または光保護性層を形成することを想定した組成物は、クリーム、ゲル、液体、手またはアプリケーター（ロールオンなど）を用いて展着させることができる組成物など、多岐にわたる形態をとり得るものである。
【０１２３】
組成物を、口紅などのケラチン物質と接触する組成物の塊を動かして適用してもよい。さらに、エーロゾル缶、ポンプボトルあるいは、静電、圧電またはエアブラシスプレー装置を用いて、組成物を噴霧適用してもよい。
【０１２４】
組成物は、必要があればブラシまたは絵筆で適用できる粉末などの乾燥形態であってもよい。
【０１２５】
熱安定性フォトクロミック組成物を呈色状態で適用することを想定している場合、これを、組成物の入った容器１０００と、たとえば組成物を呈色させるためのＵＶを放射する光源１０１０と、アプリケーターペイントブラシ１０２０などのアプリケーター手段とを備える、図１６に示すような包装・適用装置に収容しておいてもよい。
【０１２６】
感光性メイクアップを処理するためのシステム
図１に概略的に示すように、少なくとも１つの光源２を含む照射器３を備える、感光性メイクアップを処理するためのシステム１を用いて、感光性メイク仕上げを作り出してもよい。状況に応じて、イメージャが、たとえば自らに含まれるフォトクロミック剤（単数または複数）を非呈色状態から呈色状態にすることでフォトクロミック組成物を呈色させる機能を果たすおよび／またはフォトクロミック剤を呈色状態から非呈色状態にしてフォトクロミック組成物に含まれるフォトクロミック剤（単数または複数）を消色する機能を果たすようにしてもよい。組成物が最初に非呈色状態にある場合、フォトクロミック組成物がＵＶまたは近ＵＶ光線によって呈色できるのであれば、照射器は、たとえば、ＵＶまたは近ＵＶを放射する。
【０１２７】
照射器は、好ましくは、処理対象ゾーンＺ上のある距離で少なくとも１つの画像を形成するための１以上のイメージャ４を含む。
【０１２８】
光源２は、白熱ランプ、ハロゲンランプ、放電ランプおよび／またはエレクトロルミネッセント素子、特に１以上の発光ダイオード（ＬＥＤ）、有機ＬＥＤ（ＯＬＥＤ）または他のエレクトロルミネッセント技術など、どのようなタイプの発光素子を含むものであってもよい。
【０１２９】
詳細については後述するように、照射器３は、ＵＶまたは近ＵＶならびに、可視、特に近−ＵＶ可視光を放射するために、複数の光源を含むものであってもよい。
【０１３０】
好都合なことに、光源（単数または複数）とイメージャ（単数または複数）とを備える照射器は、ＵＶまたは近ＵＶならびに可視光を選択的に放射できる。
【０１３１】
可視光での画像の投射からＵＶ光での画像の投射への変更については、可動式のミラーを用いる、半透明の表面を用いる、フィルタを追加または除去する、および／または周波数逓倍器または三倍器を用いるなどの方法で、光源を変更して実現すればよい。
【０１３２】
詳細については後述するように、可視光を用いると、呈色の実施および／またはすでに少なくとも部分的に呈色されたゾーンから感光性メイクアップを除去させる前に、フォトクロミック剤（単数または複数）がこれを可能にすれば、処理対象ゾーンに投射される画像を確認することができる。
【０１３３】
図１からわかるように、感光性メイクアップを処理するためのシステムは、たとえば、キーボード、マウス、タッチスクリーン、音声認識エンジン、グラフィックスタブレット、ジョイスティックおよび／またはタッチパッドなど（この一覧は限定的なものではない）を含むユーザインタフェース１１と接続されていてもよい、コンピュータ１０を含むものであってもよい。
【０１３４】
コンピュータ１０は、マイクロコンピュータを含むものであってもよく、特に、マイクロコントローラ、マイクロプロセッサおよび／またはプログラム可能な論理アレイなどを用いて生成されるアナログおよび／またはデジタルのどのような計算手段を含むものであってもよい。
【０１３５】
コンピュータ１０は、１以上の電化製品の形で製造されてもよく、電子イメージャを用いる場合、適宜、このイメージャが計算のすべてまたは一部を実施するものであってもよい。コンピュータ１０は、たとえばＬＣＤ、プラズマ、ＯＬＥＤまたは陰極線管、任意にタッチスクリーンといったカラースクリーンなどの表示手段１２と接続されていてもよい。後述するように、この表示手段１２を使用して、処理時に処理されるゾーンを表示して、処理を制御可能におよび／またはシミュレーションを表示可能にしてもよい。
【０１３６】
コンピュータ１０は、ハードディスク、磁気テープ、光ディスクおよび／またはフラッシュメモリなどのデータ格納手段１３と接続されていてもよく、データ格納手段は、可能ならコンピュータ１０、照射器３と一体および／または少なくとも一部が外部のデータ格納システムにある遠隔のものである。
【０１３７】
コンピュータ１０は、たとえば、感光性メイクアップに付随するデータをダウンロードあるいは、適用されるまたは適用された感光性メイクアップに関連するデータを第三者またはサーバーに送信させる機能を果たすネットワークインタフェース１４と接続されていてもよい。
【０１３８】
適宜、コンピュータ１０は、好都合なことに、あらかじめ定義された光源（ｉｌｌｕｍｉｎａｎｔ）で画像が形成されるように、画像の形成に用いられる光を生成する光源（単数または複数）を制御する。
【０１３９】
イメージャは、好都合なことに、後述するような電子的にアドレス可能なマトリクスイメージャであり、これにコンピュータがデータを送信し、あらかじめ定義された画像を、処理対象ゾーンＺに投射するようにしてもよい。
【０１４０】
感光性メイクアップを処理するためのシステムには、画像に手動または自動で焦点を合わせられるようにする少なくとも１つの光学システムおよび／または電子システムと、好都合なことに、移動を防止するための手段とが設けられていてもよい。
【０１４１】
処理中のゾーンを照射器に対して静止したまま保つために、感光性メイクアップを処理するためのシステムは、人間を静止したまま保つための手段を含むものであってもよい。これは、すなわち動きや曖昧な結果を回避できることを意味する。
【０１４２】
顔に画像を形成する場合、顔がリラックスしていることを検出し、その検出内容に応じてイメージャを制御するよう、感光性メイクアップを処理するためのシステムを構成してもよい。
【０１４３】
感光性メイクアップを処理するためのシステム１は、平坦な部分を含むものであってもよいし、身体の一部の形状に追随するものであってもよく、その部分が、処理対象ゾーンに対して配置されていてもよい。
【０１４４】
変形例において、あるいは上記に追加して、感光性メイクアップを処理するためのシステムは、画像を静止画または動画カメラに安定させるのに用いるものと同じタイプの動きを是正するためのシステムを含むものであってもよい。
【０１４５】
顔の処理をする場合、感光性メイクアップを処理するためのシステムは、図２からわかるように、顎あてなど処理対象となる個人を動かなくするための手段８を含むものであってもよい。
【０１４６】
変形例では、照射器３が携帯式で、顔などを照明するために処理対象の個人が持つ架台に固定されていてもよい。
【０１４７】
感光性メイクアップを処理するためのシステム１は、詳細については後述するように、本発明の一実用例では、コンピュータ１０にデータを送信して、これが感光性メイク仕上げを提案できるようにおよび／またはその製造を制御できるようにするための光学収集装置１６を含むものであってもよい。光学収集装置１６は、好都合なことに、画像の投射方向と実質的に平行な視軸を有する。光学収集装置は、モノピクセルであってもマルチピクセルであってもよく、イメージャから放射される光を直接受光してもよいし、処理対象ゾーンＺから反射した光を受光してもよい。
【０１４８】
任意の光学収集装置、照射器、任意のコンピュータ、任意のビュースクリーンを、別々の要素の形で製造してもよいし、同じ筐体に統合してもよい。照射器および光学収集装置は、好都合なことに、同じ筐体に統合されたものであってもよく、他の手段によって一緒に固定されていてもよい。
【０１４９】
ビュースクリーンは、照射器の筐体の背面に固定されていてもよいし、筐体に統合されていてもよい。適宜、光学収集装置は、接写撮像のための内部照明手段を含む。
【０１５０】
照射器の筐体は、可動であってもよく、皮膚などに適用されてもよく、あるいは、手で保持されてもよい。本発明の一実用例では、照射器の筐体を、たとえば、テーブルの上においてもよい。次に、身体を傾けるなどして顔が筐体に近づくように動けばよい。
【０１５１】
感光性メイクアップを処理するためのシステムには、目および／または口が開いているときには照射を停止または開始しないために、目および／または口の開閉を検出するための手段が設けられていてもよい。光学収集装置１６は、この目的でコンピュータ１０によって分析される画像を提供するものであってもよい。
【０１５２】
顔に画像を形成する場合、感光性メイクアップを処理するためのシステムは、顔を識別するよう構成されるものであってもよく、イメージャは、少なくともこの同定内容に応じて制御されるものであってもよい。
【０１５３】
感光性メイクアップを処理するためのシステムは、好都合なことに、利用者が感光性メイクアップの進み具合を、目視または他の方法で評価できるように設計されている。
【０１５４】
この目的のために、感光性メイクアップを処理するためのシステムは、照射時における処理中のゾーンの直接的な視認を可能にするウィンドウを含むものであってもよく、この視認は、適宜、ＵＶスクリーンを介して実施される。直接的な視認の余地を与えるために、ずれた位置から光を放出してもよく、光ファイバまたは少なくとも１つのミラーまたはプリズムを使用して、光を指向させ、放射線の焦点を、処理対象ゾーンに合わせてもよい。
【０１５５】
図３は、処理対象ゾーンＺに対する２つのイメージャ４ａおよび４ｂ（前者が紫外線を放出し、後者が可視光を放出する）を含む感光性メイクアップを処理するためのシステムの一部を示す図である。これらのイメージャ４ａおよび４ｂ間にウィンドウ４０３を設け、処理時にゾーンＺの観察を可能にする。
【０１５６】
図４からわかるように、視認ゾーンは、ミラー４０４または他の光学系、たとえば光ファイバまたはプリズムを用いて、ずらされていてもよい。
【０１５７】
デジタル（動画または静止画）カメラなどの光学収集装置の存在下、処理されるゾーンＺを、照射器上にあってもよいし、ずれていてもよいスクリーンで視認してもよい。
【０１５８】
図５は、処理対象ゾーンＺに向いた光線をミラー１８でずらして照射器３を生成できる可能性を示す。これによって、利用者は処理されるゾーンＺを照射器のウィンドウ２０経由で観察できるようになる。
【０１５９】
図６は、２つの光源２ａおよび２ｂがそれぞれＵＶおよび可視光を放出する照射器３を生成できる可能性を示す。図６に示す照射器は、光源２ｂの前に配置された緑色フィルタなどのカラーフィルタ３０２と、調節可能な視準光学素子３０３と、可動式のミラー３０４とを含む。この例での照射器３は、スクリーン３０８を光路内に配置することを可能にするものである。調節可能な視準光学素子３０３は、スクリーンの画像を、照射器３の光学出口から特定の距離、たとえば約２０センチメートルのところに出現させる。
【０１６０】
照射器３には、２つのスイッチ３０６および３０７が設けられている。第１のスイッチは、光源２ａおよび２ｂを作動させる。第２のスイッチの特定の位置に合わせて可視光だけが光学出口に送られるよう、可動式のミラーを配置する。スイッチを作動させると、たとえばマイクロモータまたは電磁石を移動させることで可動式のミラーが移動し、ＵＶ照射がＬＣＤマトリクススクリーン３０８に向けて送られる。
【０１６１】
上述したように、感光性メイクアップを処理するためのシステムは、好都合なことに、電子的にアドレス可能なマトリクスイメージャを含む。
【０１６２】
電子的にアドレス可能なマトリクスイメージャ
一例として、アドレス可能なマトリクスイメージャは、画素で構成された画像を、１０×１０画素を超える解像度、好ましくは１０×１００画素を超える解像度で投射するのに適している。
【０１６３】
イメージャが電子的にアドレス可能なマトリクスイメージャである場合、処理対象ゾーンに形成される画像は、任意に各々があらかじめ定義されたグレーレベルのオンまたはオフの画素によって形成される。一例として、図２の詳細を図２Ａに示す。図中、生成される感光性メイクアップＰが、唇の輪郭からなる。図２Ａは、投射される画像のさまざまな画素の配置を示す。生成対象の輪郭に相当する画素だけがスイッチオンになっている。熱安定性フォトクロミック組成物の呈色が、画素の状態と一致する。
【０１６４】
アドレス可能なマトリクスイメージャから出る光は、単色であっても多色であってもよい。好ましくは、アドレス可能なマトリクスイメージャは、ＵＶまたは近ＵＶならびに、近ＵＶを超えた可視光を選択的に放出することができ、可視域で放出される光は、場合により白色光または着色光、任意に単色光である。光源は、適宜、波長を調整可能なものであってもよい。
【０１６５】
コンピュータ１０は、デジタル画像を判断するものであってもよく、これに基づいて電子イメージャ、特に各画素のグレーレベルならびに、任意に各画素の光の主要波長が制御される。
【０１６６】
いくつかの技術を用いて、アドレス可能なマトリクスイメージャを製造することができる。
【０１６７】
ＴＥＸＡＳ  ＩＮＳＴＲＵＭＥＮＴＳが発明したＤＬＰ（デジタル光処理）として知られる技術を用いることが可能である。これは、電気パルスを用いて個々に制御可能な向きの数千のマイクロミラーからなるＤＭＤ（デジタルマイクロミラーデバイス）チップを使用しており、その向きに応じて、光の入射光線をイメージャの光学出口まで伝送するまたは伝送しないようにするために、これを任意に反射してもよい。投射対象となる画像は、ミラーのマトリクスに形成される。マーク空間比を調節することで、各画素のグレーレベル（たとえば２５６レベル）を制御してもよい。
【０１６８】
図７は、参照番号１１１のＤＭＤチップを使用した、この技術を用いて製造される電子イメージャ４の一例を示す。このチップを、チップを制御するためのプロセッサ１１３と、任意のメモリ１１４とを含んでもよいプラテン１１２に固定してもよい。図示の例では、チップをプロセッサ１１３およびメモリ１１４と同一のプラテン上に示してあるが、これらの品を別の場所に配置してもよい。
【０１６９】
図７に示すイメージャ４は、ＵＶおよび／または可視光の両方を放出できる光源であってもよく、あるいは、可視光またはＵＶを選択的に放出できる光源であってもよい、光源２からの光を受光する。
【０１７０】
光源２は、ＵＶおよび可視スペクトルを放出するハロゲンランプ、ＵＶおよび白色光、あるいは特定色の光などを放出できる放電ランプまたは１以上のＬＥＤであってもよい。
【０１７１】
図示のように、イメージャ４は、それぞれ光の集光、ＤＭＤチップ上への集束、処理対象ゾーンへの送達用の光学素子１１８、１１９、１２０を含むものであってもよい。
【０１７２】
光源２がＵＶおよび可視光の両方で放出スペクトルを有する場合、図示のように、イメージャ４は、集光光学素子１１８と集束光学素子１１９との間などで光線と交差するフィルタホイール１３０を有するものであってもよい。フィルタホイール１３０の位置によって、チップはＵＶまたは可視光を受光し、これを光学出口に送る。よって、可視光および／またはＵＶ光から、処理対象ゾーン上に選択的に画像を形成することが可能である。
【０１７３】
図８の変形例の照射器では、光源２からの入射光を、たとえばＵＶまたは近ＵＶと可視光など、主要波長の異なる少なくとも２本の光線に分けるプリズム上に固定された複数のＤＭＤチップを使用する。
【０１７４】
ＤＭＤチップから反射する光線を、処理対象ゾーンに向けて投射する。
【０１７５】
ＵＶまたは近ＵＶ光線と関連したＤＭＤチップならびに、可視光の光線と関連したチップを制御することで、ＵＶ光の光線または可視光の光線あるいは、場合によりその両方を同時に、処理対象ゾーンに投射してもよい。呈色は比較的ゆっくりと起こり、呈色を実施するよう作用する光の適切な位置決めを可視的に監視できるようにする上では、これが有用なこともある。
【０１７６】
照射器は、液晶表示装置（ＬＣＤ）技術を用いるものであってもよい。
【０１７７】
図９の例において、光源２は、主要波長の異なる少なくとも２本の光線を生成するダイクロイックミラー１２５に向いており、たとえば前記光線の一方は主要波長がＵＶまたは近ＵＶ、他方は可視域にある。
【０１７８】
光線は、投射対象画像が形成されるＬＣＤマトリクススクリーン１２７に、ミラー１２５および１２６によって送られて、プリズム１２８の系に向けて送られる白黒画像を生成し、投射光学素子１２０を介して処理対象表面まで画像を送れるようにする。スクリーン１２７の不透明度に応じて、放出される光は可視領域またはＵＶ領域にある。
【０１７９】
図１０に示す照射器３は、ＬＣＤマトリクススクリーン１３２と、スクリーン１３２を照明する光源２とを含む。その上に形成される画像は、投射光学素子１２０によって、処理対象ゾーンに投射される。一例として、光源２は、ＵＶまたは可視で選択的に放出できる。
【０１８０】
投射系は、ケイ素（ＬＣＯＳ）技術での液晶に基づくものであってもよい。ＬＣＤ技術は、光がＬＣＤスクリーンを通過することから透過性と呼ばれるのに対し、ＤＬＰ技術は、光がＤＭＤチップのマイクロミラーで反射されるため反射性と呼ばれる。ＬＣＯＳ技術では、ＤＭＤチップのミラーが、光通過状態と光遮断状態とのあいだで切り替わってもよい液晶の層に覆われた反射面に置き換わる。液晶をオンオフする周波数を調整することで、画素のグレーレベルを変えてもよい。
【０１８１】
一例として、ＤＭＤチップをＬＣＯＳチップで置き換えた図７および図８に示す配置を使用してもよい。
【０１８２】
図１０Ａは、ＬＣＯＳチップ照射器を示す。光源２、たとえばＵＶランプと、半透明ミラー９０３との間に、レンズ９０１の系を配置してもよい。これは、光源からチップ９００に光を反射する。チップはさらに、画素で構成された画像を、処理対象ゾーンに投射する集束システム１２０に光を反射する。
【０１８３】
通常、アドレス可能なマトリクスイメージャによって送達される画像は、個々にアドレス可能なグレーレベルの画素のマトリクスを含み、各グレーレベルは、たとえば、少なくとも４ビット、好ましくは８ビットにコードされる。各画素に関連する光も、適宜コードされていてもよい。
【０１８４】
投射対象となる画像を、ＶＧＡ、ＳＶＧＡ、コンポジット、ＨＤＭＬ、ＳＶＩＤＥＯ、ＹＣBＣR、光学的ビデオ信号または他の標準に従うビデオ信号の形で、あるいはビデオまたはデジタル画像ファイル、たとえば、．ｊｐｅｇ、．ｐｄｆ、．ｐｐｔなどのファイルの形で電子イメージャに供給してもよい。これらの画像が白黒でない場合、ファイルにおける画像のあらかじめ定義された色が、ＵＶまたは近ＵＶなどの色を制御するものであってもよい。
【０１８５】
電子イメージャは、好都合なことに、画像を変えることなく放出される光の性質を変更できるように製造される。一例として、画像の画素はそのグレーレベルを保持し、上流で用いられる光源の放出スペクトルだけが変更される。これによって、画像を、処理対象ゾーンで可視化でき、その上で、単に光源の放出スペクトルを変更してゾーンを呈色させればよい。
【０１８６】
１以上のフォトクロミック剤を選択的に消色し、呈色状態のフォトクロミック組成物から感光性メイク仕上げを作るために、イメージャを使用して可視光を投射してもよい。その場合、イメージャは従来のビデオプロジェクタなどでよい。
【０１８７】
投射された画像の選択
特に、電子的にアドレス可能なイメージャを用いる場合、感光性メイクアップを処理するためのシステムには、好ましくは、投射された画像を選択するための手段が設けられる。これを達成するには、画像のライブラリから選択し、場合により、前記ライブラリからの連続画像を表示して、利用者が表示画像を選択すればよい。画像は、デジタルまたは写真形式で、たとえばデータ格納手段に記憶しておけばよい。画像ライブラリは、感光性メイクアップを処理するためのシステムに含まれていてもよいし、ダウンロードされるものであってもよい。
【０１８８】
本発明の一実用例では、あつらえられた画像が、感光性メイクアップを受ける予定の個人あるいは、有名人または特定スタイルの個人などのモデルから始まって使用され、これらの画像は、場合により、メイクアップをした人またはメイクアップをしていない人から導き出される。また、絵、表、スケッチまたは戯画から導き出した画像を使用して、投射された画像を生成することも可能である。
【０１８９】
コンピュータは、線またはブラシストローク、あるいは単一の点または一連の線、ストロークまたは点の形で、少なくとも１つの図形モデルを、そのメモリに有する、あるいはダウンロードするものであってもよい。
【０１９０】
形成される画像は、撮像された画像に応じて自動で判断されてもよい。これによって、投射された画像を、顔の形態および／または色に合わせることができる。
【０１９１】
捕捉された顔の位置から開始して、コンピュータが、感光性メイク仕上げを作り出すことを想定した画像を正しく位置決めしてもよい。
【０１９２】
よって、感光性メイクアップを処理するためのシステムは、
・メイクアップを施す対象者のゾーンの少なくとも１つの画像を撮像するステップと、
・イメージャを撮像された画像に応じて制御するステップと、を含む方法で使用できるものである。
【０１９３】
一例として、顔または身体の他の処理されるゾーンのすべてまたは一部を捕捉するよう適合された光学収集装置１６を用いて画像を撮像してもよい。
【０１９４】
一例として、上眼瞼に感光性メイク仕上げを作り出すために、以下のステップを実施することが可能である。
・顔の画像を捕捉し、そこから瞼ゾーンを推測し、
・フォトクロミック組成物を瞼ゾーンに適用したら、瞼ゾーンの領域に生成する図形モデルを照射する。したがって、得られる感光性メイクアップは、正しい場所に形成される。処理対象ゾーンの位置での照射は、すべての画素が照明される場合に画像がかなり余分なゾーンまで覆うことができる状況で、対応する画素だけを照明して実施すればよい。解像度を高めることで利益を得るために、処理されるゾーンは、たとえば、画像の画素総数の少なくとも２／３を必要とするものであってもよい。
【０１９５】
コンピュータは、図形モデルを顔の形状に合わせるために、その形状を修正してもよい。よって、たとえば、唇のメイクアップが望まれる場合、以下のステップを実施すればよい。
・顔の画像を捕捉し、そこから唇のゾーンを推測し、
・唇の形状を生成対象となる図形モデルと比較し、
・図形モデルが唇の形状内に内接するようにその図形モデルを修正し、
・フォトクロミック組成物を唇に適用したら、これを照射して修正後の図形モデルを生成する。この方法は、身体の他の領域にも適用できるものである。
【０１９６】
よって、感光性メイクアップを処理するためのシステムには、以下の４つの機能が備わっていてもよい。
・処理対象となる身体の顔または他の任意の領域の画像を捕捉する。
・処理対象となる顔または他の任意の部分の画像を分析することで、これを受け取る身体の顔の部分に生成される図形モデルの位置をロックする。
・任意に、顔の形状に合うように図形モデルの形状を修正する。
・感光性メイクアップを生成することを想定した画像の投射を制御する。
【０１９７】
感光性メイクアップを処理するためのシステムは、顔の３Ｄ形状を撮像するための手段を含むものであってもよい。感光性メイクアップを処理するためのシステムは、フリンジを投射するなどしてレリーフを検出するよう適合された光学収集装置を含むものであってもよいおよび／または光輝性を検出するよう適合されていてもよい。
【０１９８】
本発明の一実用例では、使用する図形モデルを自動で判断する。この選択は、無作為に実施してもよいし、たとえば顔の色彩調和スキームまたは自然調和スキームに適うように顔の外見を最適化するためのルールを用いるプログラムされたロジックを用いて実施してもよい。よって、たとえば、色白の皮膚の顔で、そばかすを作ることが可能である。
【０１９９】
非対称な顔の対称性を再構築するためのロジックを適用するおよび／または角張りすぎた顔をまるっぽくしたりその逆をしたり、あるいは自然なまたは魅力のないプロポーションを補正する目的で光と影を適用することによって、この選択を実施してもよい。
【０２００】
本発明の一実用例では、感光性メイクアップを処理するためのシステムが、複数の図形モデルを提案し、利用者が自由に１つを選択する余地を残してある。これらの提案は、たとえばスクリーン上の表示など図で表現されるものであってもよい。提案された図形モデルは、感光性メイクアップを受けることを意図した対象者の画像上に重畳されてもよいし、線図で顔を示したスクリーン上にモデルを表示してもよい。利用者が図形モデルを選択できるようにするものであれば、どのようなインタフェースを使用してもよい。一例として、感光性メイクアップを処理するためのシステムが実施を提案する行為を説明することで、利用者に提案された図形モデルの説明を言語で示してもよい。
【０２０１】
感光性メイクアップを処理するためのシステムは、処理対象ゾーンにある皮膚のしみを自動的に検出するよう構成されるものであってもよく、イメージャは、検出されるしみの性質に応じて制御されるものであってもよい。
【０２０２】
感光性メイクアップを処理するためのシステムには、たとえば、しみなどを認識することを想定した特定の認識機能が設けられていてもよい。
・斑点、毛穴の黒ずみ、吹き出物、イチゴ状母斑、おでき；
・しわ、ひび、皮膚線条、静脈；
・痕などのレリーフの隆起部分またはくぼみ部分；
・非対称；
・落屑；
・艶のない皮膚またはぎらついた皮膚；
・髪。
【０２０３】
しみは、画像解析および／またはレリーフ解析によって検出できるものである。画像解析は、３Ｄ画像解析であってもよい。画像解析は、色および／または光輝性の解析を含むものであってもよい。
【０２０４】
感光性メイクアップを処理するためのシステムには、前記しみの視認性を限定する目的で図形モデルを計算または選択できるようにするための機能が備わっていてもよい。あげることのできるこれらの図形モデルの例には、しみがあるとして検出されたいくつかの部分をぼやかすことを意図したものや、特定部分、特に痕または非対称のアウトラインを変えることを意図したものがある。
【０２０５】
本発明のもうひとつの実用例では、利用者または第三者が、生成される図形モデルを定義してもよい。よって、利用者または第三者は、感光性メイクアップを処理するためのシステムによって解釈されるコマンドを送信してもよい。これらのコマンドは、図形によるものであってもよく、感光性メイクアップを処理するためのシステムは、タッチスクリーンタイプの人間と機械とのインタフェースを含むものであってもよい。利用者は、顔の画像または顔の線図上で、メイクアップラインを生成するゾーンを指定することで、メイクアップのオーダーを送信する。感光性メイクアップを処理するためのシステムは、利用者からの指示を解釈し、これを顔のトポグラフィに適合させた後、感光性メイク仕上げを作り出すよう構成されていてもよい。
【０２０６】
コマンドは、たとえば「唇のゾーンを赤で塗りつぶす」などの説明であってもよいし、たとえば「瞼メイクアップ」など直感的なものであってもよい。感光性メイクアップを処理するためのシステムは、従来の方法または特別にプログラムされた方法で、使用されるデフォルトの図形モデルを解釈するよう作用することになる。
【０２０７】
コマンドがプログラムされたものであってもよいし、プログラムがパーソナライズされたものであってもよい。
【０２０８】
提案された図形モデルから選択する人または生成する図形モデルを判断する人は、メイクアップをする本人であってもよいし、プロフェッショナルのメイクアップアーティストなど他の人であってもよい。図形モデルの選択または生成は、感光性メイク仕上げを作り出す場所でおこなってもよいし、遠隔地で実施してもよい。遠隔地でなされる場合、感光性メイクアップを処理するためのシステムには、たとえば上述したネットワークインタフェース１４など、処理するゾーンの画像を通信できるようにする通信手段が設けられていてもよい。
【０２０９】
感光性メイクアップを処理するためのシステムには、任意に、雑誌または他の媒体からメイク仕上げを捕捉するための手段ならびに、スキャナまたはＲＦＩＤチップリーダーなど、そこから、処理対象ゾーン上に再生可能な図形モデルを作る手段が設けられていてもよく、チップは、メイク仕上げの説明またはそれをダウンロードできるようにするインターネットのリンクを含む。このチップは、感光性メイク仕上げを作るのに用いられる組成物（単数または複数）の入ったパッケージに入れておくことや、感光性メイクアップで再生できる特定パターンの衣服または他のアクセサリーの物品に入れておくことが可能なものである。
【０２１０】
感光性メイクアップを処理するためのシステムは、多岐にわたる連続した図形モデルを、その中から生成されるモデルを人が選択できるようにするためにシミュレーションの形で表示するよう構成されるものであってもよい。
【０２１１】
感光性メイクアップを処理するためのシステムは、直接的に顔で多岐にわたるモデルをすみやかに試すことができる可能性を提供するものであってもよい。よって、人は、モデルが自分に合うかどうかを実際に試して知ることができる。これらのモデルは、熱安定性フォトクロミック組成物を呈色させない可視光で顔に投射される画像あるいは、たとえば可視光での照射によって消色可能でもある熱安定性フォトクロミック組成物を用いて生成される感光性メイク仕上げであっても構わない。
【０２１２】
感光性メイクアップを処理するためのシステムは、好都合なことに、いくつかのあらかじめ記録されたモデルを、格納手段１３におけるそのメモリ内に有し、自ら作り出すことができた図形モデルを記録するものであってもよい。このようにして、利用者は、記録された図形モデルを利用してもよいし、交換してもよい。
【０２１３】
本発明の一実用例では、ひとたび図形モデルを選択したら、人の顔のトポグラフィに対する図形モデルの適合化と、画像を投射することによる感光性メイクアップの作成が、自動的に実施される。顔の捕捉から画像生成までの時間を、たとえば１秒未満など比較的短くしてもよい。
【０２１４】
本発明のもうひとつの実用例では、作業の実施時に感光性メイクアップを受ける人または第三者が介在してもよい。この場合、メイクアップができあがるのが以前より遅くなることもある。感光性メイクアップを処理するためのシステムは、感光性メイクアップが進む速度を落としたりこれを停止したりするために、人または第三者がその進み具合を、たとえばスクリーン１２上で見ることができるように構成されていてもよい。
【０２１５】
感光性メイクアップを処理するためのシステムは、任意に、顔の図形モデルをロックして適合させる作業を再開することで、熱安定性フォトクロミック組成物を呈色させるために意図された照射時に人が動くことで生じ得る問題を回避するために、顔を規則的に再捕捉するものであってもよい。
【０２１６】
いくつかの部分的な感光性メイク仕上げを連続して作り出すことが可能である。よって、感光性メイク仕上げを作り出す過程で、各図形モデルを判断でき、その効果を目で推定でき、続いて次の図形モデルを選択することができるといった具合で、感光性メイクアップが徐々に構成される。
【０２１７】
上述したように、感光性メイクアップを処理するためのシステムは、１以上の特別なプログラムによって、顔または顔の一部に最も適合した図形モデルを評価するよう構成されるものであってもよい。このため、第１の図形モデルを生成した後、顔をもう一度評価してそこから生成すべき新たな図形モデルを推測するといった具合にして、感光性メイク仕上げを生成してもよい。
【０２１８】
顔のある部分を半自動で、別の部分を自動で処理することが可能である。また、顔の一部を特定の点まで自動で処理した後、感光性メイクアップを半自動で継続する、あるいはその逆にすることも可能である。
【０２１９】
感光性メイクアップを処理するためのシステムは、たとえば上述した光学収集装置を用いて画像を取得し、任意に、処理対象ゾーンに対応する部分を抽出し、適宜、この画像を是正することで、一度投射された結果を改善するよう構成されるものであってもよい。
【０２２０】
使用される感光性メイクアップを処理するためのシステムは、好ましくは、利用者が、顔または他の任意の処理対象ゾーンに投射された画像から開始して、たとえば一次元または二次元に拡大または縮小することで形状を是正できるように構成されている。修正もさらに複雑なことがある。よって、たとえば、画像の一部を是正し、特定のゾーンを伸ばし、線のサイズを変更するといったことが可能である。このため、Ｐｈｏｔｏｓｈｏｐ（登録商標）など、画像を生成して編集するためのソフトウェアに普通に存在するツールを用いることが可能である。適宜、光学収集装置によるフィードバックによって画像を編集してもよい。コンピュータは、投射された画像の結果を知ることになり、ループを実行する感光性メイクアップを処理するためのシステムのプログラムによって、所望の結果が得られるまでこれを自動的に修正する。
【０２２１】
感光性メイクアップを徐々に作り出す
・フォトクロミック組成物を、処理対象ゾーンに適用し、
・そのゾーンに、フォトクロミック組成物を徐々に呈色させるか、あるいはフォトクロミック組成物を徐々に消色するよう選択された光を照射し、
・所望の外見が達成されたら照射の特徴を中断および／または修正することからなるステップを実行することで、感光性メイクアップを作り出してもよく、この外見は、たとえば、フォトクロミック化合物の部分的な呈色あるいはフォトクロミック組成物の部分的な消色のいずれかに対応する。
【０２２２】
よって、意図した強度のメイクアップ結果を得るのが一層容易である。進行的な照明時、利用者および／または感光性メイクアップを処理するためのシステムが、感光性メイクアップの進み具合を監視してもよく、所望の結果が得られたら、これが変化するのを止めてもよい。
【０２２３】
同様に、熱安定性フォトクロミック組成物がそれを許すのであれば、感光性メイクアップ時または後からのいずれかに、編集を実施して感光性メイクアップをさらに洗練させてもよい。
【０２２４】
照射を少なくとも１回中断した後、再開してもよい。
【０２２５】
所望の外見が達成される前に、照射の主要波長および／または強度を修正してもよい。一例として、照射の強度を修正することで、フォトクロミック組成物の呈色または消色の速度が変わることがある。主要波長を調節することによって、照射エネルギおよび／またはフォトクロミック剤に対する影響を調節することが可能である。
【０２２６】
画像全体を徐々に処理してもよいが、たとえば、自動で、プログラムされた方法で、あるいはプログラム可能な方法で、画像を一部分ずつ順次処理することも可能である。
【０２２７】
感光性メイクアップを使用して、連続したいくつかのパターンを作り出してもよい。所望の外見を達成した少なくとも１つのパターンには照射を停止してもよく、一方で少なくとも１つの他のパターンには照射したままである。パターンは、たとえば、連続的に作り出されてもよいそばかすである。
【０２２８】
よって、図１３から明らかなように、特定のプログラムを実行してそばかすを生成してもよい。プログラムは、好適な進行性照射によって、ゾーンの中心からゾーンの外側に向けて（図１３Ａ〜図１３Ｃ）、あるいはまばらに分散した状態から密に分散した状態へ（図１４Ａ〜図１４Ｃ）、あるいは小さなそばかすの分散から大きめのそばかすの分散へ、あるいは無作為に（図示せず）そばかすを出現させるものであってもよい。
【０２２９】
照射は、開始後の時間には主な呈色を引き起こさない十分に弱いものであってもよい。
【０２３０】
呈色を十分に遅くできるようにするために、１秒あたりの照射のエネルギＥを０．５Ｅ0以下、好ましくは０．２Ｅ0にしてもよく、式中、Ｅ0はフォトクロミック組成物の８０％を呈色させるのに１秒あたりに必要なエネルギである。Ｅ≦０．２Ｅ0が可能である。非呈色状態との比較で色の変化ΔＥが最大限に達成できる色の変化の８０％に対応する場合に、フォトクロミック組成物の８０％が呈色されたとみなされる。
【０２３１】
同様に、消色対象となる場合は、１秒あたりの照射のエネルギＥ’が０．５Ｅ’0以下であればよく、式中、Ｅ’0はフォトクロミック組成物の８０％を消色するのに１秒あたりに必要なエネルギである。Ｅ’≦０．２Ｅ’0が可能である。
【０２３２】
感光性メイクアップを処理するためのシステムは、処理対象ゾーンの色を分析するよう構成されるものであってもよく、その場合、この分析結果が照射を自動的に制御する機能を果たすものであってもよい。一例として、熱安定性フォトクロミック組成物の適用後かつ所望の外見が達成される前に、色を分析すればよい。これは、たとえば、所望の外見が達成されたときに感光性メイクアップを自動的に停止できるようにするものである。色については、たとえば、処理されるゾーンに形成される画像の画素の色を分析することで測定すればよい。
【０２３３】
感光性メイクアップを処理するためのシステムは、画像のあらかじめ定義された領域の分析を実施するよう構成されるものであってもよく、対応する領域における色に応じて観察されるさまざまなゾーンの照射の強度を調整して、照射を制御してもよい。アドレス可能なマトリクスイメージャを用いて照射を実施する場合、処理されるゾーンのマルチピクセルの照射を正確に監視することができる。
【０２３４】
照射は、一定であっても可変であってもよい。特に、「ブリングアップ」時間と呼ばれる特定の時間、かなり強いものであってもよく、その後「微調整」フェーズで弱くなってもよい。
【０２３５】
感光性メイクアップを処理するためのシステムは、照射を間欠的におこなうためにプログラムされたものであってもよく、一例として、一定の照射後に停止時間帯がたとえば３０秒以下の時間帯であるといった具合である。利用者は、満足した時点でプロセスをやめてもよい。
【０２３６】
照射を止めてこれを再開するのに利用者が介在する場合、照射は、利用者が色の変化を確認できるよう十分に遅いものであってもよく、照射は、たとえば、ＣＩＥ  Ｌａｂ空間で１秒あたりのＥが３以下の単位、たとえばＥが１秒あたり約２単位で変化する。
【０２３７】
照射の強度が調節可能である場合、感光性メイクアップを処理するためのシステムには、ボタン、センサー、ジョイスティック、音声制御インタフェースまたはコントロールパッドなど（特にイメージャの上流で、照射の強度に作用してもよい）、照射が減少または増大する速度および／または振幅を調整するための制御部材が設けられていてもよい。
【０２３８】
本発明の実用例に応じて、利用者は、結果を考慮および／または観察するために、必要に応じて照射を停止または抑制してもよい。
【０２３９】
感光性メイクアップを処理するためのシステムによる照射プログラムの実行に応じて、照射を実施する条件を設けてもよく、利用者は、プログラムの実行時にこれを中断または一時停止あるいは、１つのプログラムから別のプログラムに変更してもよい。たとえば、照射の増大または減少の速度を調整するために、それ自体に対して照射時の経時的な変化を可能にするプログラムが、利用者によって定義または指定される。
【０２４０】
照射強度の増大または減少は、必ずしも画像の形状または度合いの変化を引き起こすものではない。このため、照射を調節するために、少なくとも１つのフィルタ、絞りおよび／または偏光子および／または光源を制御するために電力を変えるための装置など、生成される光束を調整する電気系および／または光学系を用いることが可能である。照射の強度は、画像の画素のグレーレベルに左右されることもある。
【０２４１】
感光性メイクアップを処理するためのシステムは、生成される感光性メイクアップに応じて、進行型の照明プログラムを自動的に判断するよう構成されるものであってもよい。一例として、特定ゾーンの感光性メイクアップが、かなり飽和度の低い色を生成することからなる場合、感光性メイクアップを処理するためのシステムは、弱い照明を指定するプログラムを提案および／または適用するものであってもよい。別のゾーン上の感光性メイクアップが、強烈な色を生成することからなる場合、感光性メイクアップを処理するためのシステムは、最初にさらに強く照明した上で、それほど強くなく照明し、利用者が感光性メイクアップの結果を微調整できるようにすることからなるプログラムを提案および／または適用するものであってもよい。最初に実施される照明は、その後に適用される光束の少なくとも二倍の光束で実施されるものであってもよい。
【０２４２】
照射の強度を判断するために、感光性メイクアップを処理するためのシステムは、最終的な感光性メイク仕上を作り出す目的で印可される線量の計算内容と、そこから照明プログラムを推測する目的で適用するルールとに基づくものであってもよい。一例として、線量Ｘ  Ｊが必要であると計算された場合、Ｘの８０％を（たとえば１秒間などで）すみやかに適用した上で、最後の２０％をたとえば１秒に５％ずつ適用すればよい。
【０２４３】
上述したように、感光性メイクアップを処理するためのシステムには、照射開始時または感光性メイクアップの途中のいずれかで、皮膚または他のケラチン物質の色を測定できるようにする光学収集装置が設けられていてもよい。それは、この情報を使って進行型の照明を計算または調節するものであってもよい。一例として、照明を落とすまたは止める必要のある時刻を識別するために、この情報を使用するものであってもよい。
【０２４４】
光学収集装置用のセンサー（単数または複数）は、モノピクセルまたはマルチピクセルでの測定で、白黒であっても多色であってもよい。
【０２４５】
感光性メイクアップの進み具合を代表する情報を、作っている途中の感光性メイクアップの色を代表する値、あるいは、プロセスの完成度合いを代表する値などを、たとえばパーセンテージとして表示するなどのさまざまな方法で、利用者に送信してもよい。測定された色を表す色も、スクリーン上に表示してもよい。
【０２４６】
バックトラック
感光性メイクアップを処理するためのシステムは、感光性メイクアップの１以上の部分を消失または復帰させるために、フォトクロミック剤（単数または複数）を非呈色状態に戻すのに適した照明を用いて、感光性メイクアップの強度を徐々に減少させるよう作用するものであってもよい。
【０２４７】
このようにして、利用者は、前のステップに引き返して最終結果を一層よく調整してもよい。感光性メイクアップを処理するためのシステムは、好都合なことに、利用者がバックトラックを止め、望ましければ、感光性メイクアップを再開するといったことができるように生成される。
【０２４８】
たとえばジアリールエテンおよびフルギドから選択される特定のフォトクロミック剤では、感光性メイクアップが、ＵＶ照明のすべてまたは一部を可視照明、たとえば白色光に置き換えることで、バックトラックされてもよい。
【０２４９】
感光性メイクアップを処理するためのシステムは、好ましくは、この可視照明がＵＶ照明と少なくとも同一の表面に延在するよう構成される。
【０２５０】
Ａ  複数のフォトクロミック剤を含むフォトクロミック組成物
フォトクロミック組成物が、それぞれ異なる波長で最大感度を有する複数のフォトクロミック剤を含む場合、波長を調整することで前記フォトクロミック剤のうちの１以上を選択的に呈色させてもよい。
【０２５１】
また、すでに呈色された状態で、それぞれ異なる波長で最もよく消色される複数の異なるフォトクロミック剤を含むフォトクロミック組成物を用いることも可能である。適宜、これらのフォトクロミック剤は、同一のＵＶ光によって呈色されてもよいが、波長を選択することで、あるフォトクロミック剤ではなく別のフォトクロミック剤の消色に有利になるような形で、波長に応じて変動する可視領域での消色速度が異なる。同様に、フォトクロミック剤がＵＶ光によって呈色され得るものである場合、ＵＶ領域における波長によっては異なる速度で呈色されてもよく、このＵＶ波長を調整することで、あるフォトクロミック剤の呈色が別のフォトクロミック剤の呈色より有利になることがある。
【０２５２】
感光性メイクアップの変化のシミュレーション
本発明の一実用例では、感光性メイクアップを処理するためのシステムには、感光性メイクアップの変化を視認するためのシステムに加えて、あるいはこれの代わりに、感光性メイク仕上げの変化をシミュレートするためのシステムが設けられている。
【０２５３】
このため、感光性メイクアップの前および／または途中で、利用者は、このシミュレーションを観察してもよく、これを用いて、感光性メイクアップを遅くするか止めるか、あるいはバックトラックするか否かを決定してもよい。
【０２５４】
感光性メイクアップを処理するためのシステムは、フォトクロミック組成物の適用後かつ所望の外見が達成される前に、感光性メイクアップの結果をシミュレートできるようにするよう構成されるものであってもよい。シミュレーションの進み具合を、処理対象ゾーンでの照射の進み具合とリンクさせてもよい（フォトクロミック組成物を呈色させるよう作用するか、反対に、これを消色するよう作用するかを問わない）。感光性メイクアップの外見の変化のシミュレーションについては、スクリーンに表示および／または使用する照射器でそれが可能であれば処理されるゾーンに投射してもよい。シミュレーションは、少なくとも処理をどのように続けるか観察者が決定できるだけの長さがある短時間にわたって、フォトクロミック組成物を呈色または消色させない光で投射されてもよい。
【０２５５】
ツールの使用
感光性メイクアップを処理するためのシステムが、電子イメージャを含む場合、利用者が操作するツールに応じて制御されてもよく、コンピュータは、投射された画像および／または照射の強度をツールの動きに応じて修正できる。ツールは、処理対象ゾーンの前またはその上で、あるいは処理対象ゾーンを視認できるようスクリーンの前またはその上で位置決めされる部分を含むものであってもよい。ツールは、処理対象ゾーンを視認できるようスクリーン上または処理対象ゾーンに形成された画像内のポインタの動きを制御するものであってもよい。
【０２５６】
感光性メイクアップを処理するためのシステムは、利用者に、進行型の照射での処理対象となる特定のゾーンを制御させ、この目的のために、たとえば、タッチスクリーンを含むものであってもよい表示手段を利用するよう構成されるものであってもよい。利用者は、スクリーンの特定の領域を押すことで、このタッチスクリーンを介して照射の進み具合を制御してもよい。一層好ましくは、タッチスクリーンは、利用者によって加わる圧力の強度に敏感であり、感光性メイクアップを処理するためのシステムは、スクリーンに加わる圧力を分析し、光の強度および／または処理対象ゾーンに対応する領域への照射時間を制御することで、その圧力を感光性メイクアップの強度に変換する。よって、たとえば、タッチスクリーンに加わる圧力が強くなればなるほど、変換される色の強度も強くなる。
【０２５７】
本発明の一実用例では、感光性メイクアップを処理するためのシステムは、タッチスクリーンの上または前に配置されたツールを検出するものであってもよく、利用者は、感光性メイク仕上げの調整にこのツールを使うものであってもよい。
【０２５８】
一例として、利用者にはいくつかのツールが利用可能であり、各々にバーコードまたはＲＦＩＤチップなどの識別手段が設けられ、感光性メイクアップを処理するためのシステムが識別できるようにしている。利用者が特定のツールを使う場合、それは認識され、感光性メイクアップを処理するためのシステムによって、各ツールを特定タイプのメイクアップと関連させてもよい。
【０２５９】
一例として、利用者は、厚さが異なるおよび／または色の強度が異なる、あるいは異なる色のメイクアップである、メイクアップの線に対応する複数のツールを有することになる。利用者は、選択されたツールを取り、メイク仕上げを変更するためにこれを表示手段上の画像で移動させてもよい。メイクアップのシミュレーションは、視認用のスクリーンに現れてもよく、利用者による必要な検証後、表示手段上に現れているメイク仕上げが、照射器を制御することで実施される感光性メイクアップによって自動的に作り出されてもよい。
【０２６０】
画像内容の調整および／または修正
本発明の一実用例では、可視光で投射されるものと同一のシミュレーション画像を用いて、感光性メイクアップの層が呈色される。この目的のために、感光性メイクアップを処理するためのシステムは、画像を、処理対象ゾーン、たとえば顔まで送信し、シミュレーションを表し、利用者がこの画像を顔にロックするあるいはこれを修正するまでこれを残すように構成されるものであってもよい。この場合、ひとたび画像を正しく調整して定義すると、同一の光学素子または平行光学系を用いて、ＵＶ光または近ＵＶ光で形成されたことだけが前の画像とは異なる画像を送信する。特に、光源（ｉｌｌｕｍｉｎａｎｔ）を可視光からＵＶ光に変更する際に、画像を定義するのに用いられるマスク、ネガまたはアドレス可能な画素のマトリクスが修正されている必要はない。この目的のために、ＵＶ光源および可視光源が設けられた感光性メイクアップを処理するためのシステムは、１つまたは２つのイメージャとともに使用するのに適している。
【０２６１】
スライドから画像を得る場合、これは可視光源での画像とＵＶ光源での画像を生成できるように設計されていてもよい。この目的のために、スライドは、ＵＶおよび可視光の両方を材料で生成されるものであってもよい。
【０２６２】
電子イメージャのアドレス可能な画素の少なくとも１つのマトリクスで画像が得られる場合、いくつかの構成が可能である。
・２つの光源、すなわちＵＶ光源および可視光源と、単一のマトリクス；
・それぞれＵＶおよび可視である２つの光源と、それぞれＵＶおよび可視である２つのマトリクス。画像は、たとえばＸプリズムで合成されるか、あるいは処理されるゾーンのいずれかの側に存在する部位から投射；
・ＵＶおよび可視のどちらも放出する光源と、たとえば、出射される放射線を選択するためのダイクロイックミラー、可動式ミラーまたはフィルタを有するＵＶまたは可視イメージャ；
・ＵＶおよび可視のどちらも放出する光源と、それぞれＵＶおよび可視用の２つのマトリクス。
【０２６３】
投射された画像は、アウトラインまたは若干の基準点に制限されるものであってもよい。それで作り出される感光性メイクアップは、これらの点またはこのアウトライン内に内接するものであってもよい。
【０２６４】
一例として、唇を処理する場合、２つの基準点を採用してもよい。利用者は、フォトクロミック組成物の層を適用する。２つの点は、たとえば４５０ｎｍ〜８００ｎｍの範囲、好ましくは５００ｎｍ〜７００ｎｍの範囲の波長で感光性メイクアップ効果を生成できない可視波長で投射される。利用者は、これらの２つの点を、唇の２つの隅に位置決めする。位置決めをしたら、ＵＶ照射によって、これらの２つの点の間に含まれる唇の画像を形成する。
【０２６５】
ＵＶ照明時、可視画像を切り取る、減らす、あるいは基準点に制限する、あるいは可視での投射段階のときと同じ状態のまま残してもよい。
【０２６６】
顔に処理テンプレートを生成した後、これを用いてゾーンを処理するための感光性メイクアップの使用
生成される画像を少なくとも２０秒、好ましくは少なくとも１分は保持するのに十分な熱安定性を持たせるように、フォトクロミック剤をジアリールエテンおよびフルギドなどから選択した状態で、フォトクロミック剤をゾーンに適用する。テンプレートは、感光性メイクアップによって生成されるゾーンＡ、Ｂ、Ｃを画定する線を示す図１１に示すように、点および／または基準線を含む画像であってもよい。必要であれば、同じようにして英数字インジケーターなどのインジケーターを生成し、組成物および／またはこのゾーンで用いられるアプリケーターについて利用者に通知する。
【０２６７】
利用者は、このようにして呈色されたテンプレートに応じて、メイク仕上げまたは他の処理内容を作り出せる。この目的のために、利用者は、従来のメイクアップツールを使用してもよい。利用者は、感光性メイクアップによって生成されるテンプレートを使用して、ケア製品を適用してもよい。
【０２６８】
一例として、たとえば画像解析によって、および／または皮膚の症状などに敏感な１以上のセンサーを用いて、特定のケアが必要なゾーンの診断が実施され、実施される処理のマップが生成される。このマップについては、記憶しておいてもよい。次に、感光性メイクアップを処理するためのシステムを用いて、ケアが必要なゾーンが、少なくとも一時的に色で呈色される顔にテンプレートを出現させてもよい。その後、利用者は、示されているそのゾーンにケア製品（単数または複数）を適用してもよい。
【０２６９】
顔の上での基準点の位置決め、続いて前記点を認識する電化製品の使用ならびに、メイク仕上げを作り出す機能の実現
利用者は、感光性メイクアップによって、顔の上で基準点を位置決めすればよい。
【０２７０】
処理対象ゾーンに基準点がおかれたら、基準点を読み取るための手段が設けられた電化製品を使用してもよい。これは、好ましくは、必要であればそれを解釈することもできるものである。一実用例では、電化製品には、マルチピクセルセンサー、内部照明、アプリケーター手段、たとえばインクジェットプリンティングヘッドが設けられていてもよい。
【０２７１】
点は、たとえば線を表す。利用者は、電化製品を皮膚の上で移動させ、この電化製品が表面を光学的に分析するよう構成される。一例として、処理対象ゾーンが閉じたアウトラインで画定されると仮定すると、ある線をはじめて通過すると電化製品が判断する場合、これは色つき材料をのせはじめ、続いて線を２度目に通過すると、色つき材料をのせるのを停止する。
【０２７２】
これらが接続されている場合、点は、形状を表すものであってもよい。電化製品には、これらの点および対応する形状を認識できる手段が設けられていてもよい。電化製品は、この形状を生成するために色つき材料をのせる。この目的のために、電化製品は、幾何学的補正を実施することで点と一致させるモデルから開始するものであってもよい。
【０２７３】
のせられた色つき材料は、曲線または曲線内に内接する表面を画定するものであってもよい。
【０２７４】
線および／または表面の曲率は、均一であってもよいし、無作為に不均一または幾何学的に不均一すなわち、繰り返しパターンを含むものであってもよい。
【０２７５】
処理対象ゾーンに存在する点は、コードを画定するものであってもよい。電化製品には、これらの点に対応するコードを解釈し、認識されるコードに左右される方法で選択されるおよび／または適用される組成物を適用するための手段が設けられていてもよい。
【０２７６】
一例として、特定の点が第１のパターンで形成され、他の点が異なるパターンで形成される。電化製品は、検出されるパターンに応じて、２つの異なる組成物または濃度の異なる同一の組成物に適用される。
【０２７７】
光保護組成物
所望の外見が達成されたら、上記にて開示したように、光保護組成物を熱安定性フォトクロミック組成物に適用してもよい。この光保護組成物は、フォトクロミック組成物を呈色させるのに用いられる照射がＵＶ照射である場合に、ＵＶ光線に対する遮蔽剤として作用するものであってもよい。
【０２７８】
必要であれば、光保護組成物は、適宜、フォトクロミック剤を消色させる危険性を制限することを視野に入れて、可視域における少なくとも１つのあらかじめ画定された波長で遮蔽剤として作用するものであってもよい。
【０２７９】
太陽光線（２９０ｎｍ〜４００ｎｍ）に対する遮蔽力Ｆが２〜２０の範囲、好ましくは４〜１０の範囲にあるフォトクロミック組成物を提供する１以上の光学的作用剤を使用してもよい。
【０２８０】
適宜、光保護組成物は、グロス用組成物、油性または皮膚軟化剤組成物、マット化用組成物、クリーム頬紅、粉末頬紅、ポリッシュまたは仕上げ用組成物であってもよい。
【０２８１】
光学的作用剤
呈色の一助となる放射線、特にＵＶまたは近ＵＶに対する遮蔽剤を形成する光学的作用剤
上述した光学的作用剤（単数または複数）は、遮蔽剤および拡散粒子またはＵＶ、特にＵＶＡおよび／またはＵＶＢの透過度を制限する他の作用剤から選択されるものであってもよい。
【０２８２】
この（単数または複数の）光学的作用剤は、無機遮蔽剤、特に微粒子形態でナノメートルサイズのものと、有機遮蔽剤とから選択されるものであってもよい。
【０２８３】
光学的作用剤（単数または複数）は、親水性であっても親油性であってもよい。
【０２８４】
有機フィルタは、アントラニル酸誘導体、ケイ皮酸誘導体、サリチル酸誘導体、カンファー誘導体、ベンズイミダゾール誘導体、ベンゾトリアゾール誘導体、ベンザルマロン酸誘導体、イミダゾリン、ビス−ベンゾアゾリル誘導体、ベンズオキサゾール誘導体、トリアジン誘導体、ベンゾフェノン誘導体、ジベンゾイルメタン誘導体、β，βジフェニルアクリレート誘導体、ｐ−アミノ安息香酸誘導体、国際特許出願公開第ＷＯ  ９３／０４６６５号パンフレットの出願書類に記載のポリマー遮蔽剤およびシリコーン遮蔽剤、α−アルキルスチレン由来の二量体、４，４−ジアリールブタジエン、これらの混合物から選択されるものであってもよい。
【０２８５】
親水性遮蔽剤は、欧州特許出願公開第０  ６７８  ２９２号明細書に記載されているもの、たとえば３−ベンジリデン２−カンファー、特にＭｅｘｏｒｙｌ  ＳＸ（登録商標）から選択されるものであってもよい。
【０２８６】
言及できる親油性遮蔽剤の例として、フランス特許出願公開第２  ３２６  ４０５号明細書、フランス特許出願公開第２  ４４０  ９３３号明細書、欧州特許出願公開第０  １１４  ６０７号明細書の各公報に記載されているジベンゾイルメタン誘導体、ＧｉｖａｕｄａｎのＰａｒｓｏｌ（登録商標）  １７８９、ＭｅｒｃｋのＥｕｓｏｌｅｘがあげられる。また、オクトクリレンとして知られ、商品名Ｕｖｉｎｕｌ  Ｎ  ５３９でＢＡＳＦから入手可能な２−エチルヘキシル２−シアノ−２，２−ジフェニルアクリレートに言及することも可能である。
【０２８７】
また、商品名Ｅｕｓｏｌｅｘ  ＥＸ  ６３００でＭｅｒｃｋによって販売されているｐ−メチルベンジリデンカンファーに言及することも可能である。
【０２８８】
以下から選択される遮蔽剤を、光学的作用剤として使用してもよい。ベンゾフェノン−３（オキシベンゾン）、ベンゾフェノン−４（スリソベンゾン）、ベンゾフェノン−８（ジオキシベンゾン）、ビス−エチルヘキシルオキシフェノールメトキシフェニルトリアジン（ＢＥＭＴまたはｔｉｎｏｓｏｒｂ  Ｓ）、ジエチルアミノヒドロキシベンゾイルヘキシルベンゾエート（Ｕｖｉｎｕｌ  ＋）、エチルヘキシルメトキシシンナメート、エチルヘキシルサリチレート、エチルヘキシルトリアゾン、メチルアントラニレート（ｍｅｒａｄｉｍａｔｅ），（４−）メチル−ベンジリデンカンファー（Ｐａｒｓｏｌ  ５０００）、メチレンビス−ベンゾトリアゾリルテトラメチルブチルフェノール（ｔｉｎｏｓｏｒｂ  Ｍ）、パラ−アミノ安息香酸（ＰＡＢＡ）、フェニルベンズイミダゾールスルホン酸（Ｅｎｓｕｌｉｚｏｌｅ）、ポリシリコーン１５（Ｐａｒｓｏｌ  ＳＬＸ）、トリエタノールアミンサリチレート。
【０２８９】
使用する光学的作用剤は、遮蔽剤として用いるのに適したチタンまたは酸化亜鉛ナノ顔料などの粒子を拡散させることで形成されるものであってもよく、さまざまな表面処理は選択される媒質に左右される。ナノ顔料は、一般的な平均寸法が５ｎｍ〜１０００ｎｍである。
【０２９０】
前記光学的作用剤（単数または複数）の重量での合計濃度は、乾燥またはほぼ乾燥した配合で、適用前の光保護組成物の重量に比して、０．００１％〜３０％の範囲またはそれよりさらに上にあってもよい。
【０２９１】
好ましくは、遮蔽剤または組み合わせを、３２０ｎｍ〜４００ｎｍの範囲、好ましくは３２０ｎｍ〜４２０ｎｍの範囲の放射線に対する遮蔽剤として作用する組成物で使用する。
【０２９２】
フォトクロミック剤（単数または複数）に対する可視および赤外光の伝搬を制限することを想定した光学的作用剤
ＵＶ光線に対する遮蔽剤として作用する光学的作用剤は、非呈色ゾーンを保護する機能を果たすが、呈色されたゾーンを保護するために、ＵＶ照射によって呈色され得る熱安定性フォトクロミック組成物を用いると可視域で遮蔽する１以上の光学的作用剤もフォトクロミック組成物に適用してもよく、この２つすなわち、ＵＶの遮蔽と可視光の遮蔽を組み合わせると都合がよい場合がある。
【０２９３】
多くの着色剤または顔料を使用できる。特に、たとえば黄色の着色剤、オレンジ色の着色剤あるいは、黄色、オレンジ色、黄土色、茶色または栗色の色相を生成できるようにする混合物といった、色が皮膚の色に近い着色剤、さらには好ましくは少量で用いられるか白または黄色の拡散作用剤と混合され、たとえばピンクまたはベージュ−ピンクなどのパステルの外見の色相を与える赤色の着色剤を用いると好ましい。白人の皮膚にはわずかにピンクの色相、東洋人の皮膚にはわずかに黄色の色相、黒と呼ばれる皮膚の栗色または茶色の色相には、着色剤を用いると好ましい。
【０２９４】
単独または混合物として、着色剤は、皮膚の色度に近い色度を持つものであってもよい。これらは、好ましくは、色度Ｃ＊（ＨＶＣ＊系で）が４０未満である。
【０２９５】
着色剤（単数または複数）は、
・基準ＣＩ  １１６８０、１１７１０、１５９８５、１９１４０、２００４０、２１１００、２１１０８、４７０００、４７００５の色指数に分類される黄色顔料、
・基準ＣＩ  １１７２５、１５５１０、４５３７０、７１１０５の色指数に分類されるオレンジ色の顔料、
・基準ＣＩ  １２０８５、１２１２０、１２３７０、１２４２０、１２４９０、１４７００、１５５２５、１５５８０、１５６２０、１５６３０、１５８００、１５８５０、１５８６５、１５８８０、１７２００、２６１００、４５３８０、４５４１０、５８０００、７３３６０、７３９１５、７５４７０の色指数に分類される赤色顔料
から選択されるものであってもよい。
【０２９６】
光保護組成物では、Ｈｏｅｃｈｓｔから商品名：
・ＪＡＵＮＥ  ＣＯＳＭＥＮＹＬ  ＩＯＧ：ピグメント５  ｔイエロー３（ＣＩ  １１７１０）、
・ＪＡＵＮＥ  ＣＯＳＭＥＮＹＬ  Ｇ：ピグメントイエロー１（ＣＩ  １１６８０）、
・ＯＲＡＮＧＥ  ＣＯＳＭＥＮＹＬ  ＧＲ：ピグメントオレンジ４３（ＣＩ  ７１１０５）
で販売されているものなどの製品などの有機顔料の顔料ペーストを使用してもよい。
【０２９７】
特に単位名称Ｄ＆Ｃレッド２１（ＣＩ  ４５  ３８０）、Ｄ＆Ｃオレンジ５（ＣＩ  ４５３７０）、Ｄ＆Ｃレッド２７（ＣＩ  ４５  ４１０）、Ｄ＆Ｃオレンジ１０（ＣＩ  ４５  ４２５）、Ｄ＆Ｃレッド３（ＣＩ  ４５  ４３０）、Ｄ＆Ｃレッド７（ＣＩ  １５  ８５０：１）、Ｄ＆Ｃレッド４（ＣＩ  １５  ５１０）、Ｄ＆Ｃレッド３３（ＣＩ  １７  ２００）、Ｄ＆Ｃイエロー５（ＣＩ  １９  １４０）、Ｄ＆Ｃイエロー６（ＣＩ  １５  ９８５）、Ｄ＆Ｃイエロー１０（ＣＩ  ７７  ００２）で知られているものなどのレーキを使用してもよい。
【０２９８】
着色剤は、イオン性であっても中性であってもよい。
【０２９９】
自然な肌の艶とよく合い、いくつかは時間がたつと色を失うことから、天然の着色剤および顔料が特に好都合である。これらは、たとえば、植物からの抽出物または人工的に再生させた天然分子であり、たとえば、メラニン、アントシアン、ポリフェノール、ポルフィリン、クルクミンから選択される。
【０３００】
これらは、たとえば、フランス特許第２  ６７９  ７７１号公報に記載されているものなどのインドールおよび／またはフェノール誘導体の酸化重合によって得られる顔料であってもよい。
【０３０１】
たとえば、特定の食品用着色剤といったアニオン官能基を有する着色剤ならびに、カチオンフィルタなど、ＵＶ遮蔽剤を補完するイオン性の着色剤および顔料が、特に好都合である。
【０３０２】
ＩＲフィルタあるいは、反応時に色つきになる、ＤＨＡなどの化合物を用いることも可能である。
【０３０３】
空気に触れると徐々に色つきになる傾向があるＤＨＡまたはポリフェノールなど、可能であればゆっくりと、経時的に呈色される色の着色剤など、色が変わる着色料を用いることも可能である。これは、フォトクロミック組成物の遮蔽力を徐々に呈色できるようにするものである。
【０３０４】
熱的に不安定なフォトクロミック剤
光保護組成物に用いられる光学的作用剤は、熱的に不安定なフォトクロミック着色性作用剤であってもよい。これは、感光性メイク仕上げを作り出す機能を果たすものではなく、むしろ、極めて強い太陽光線またはテレビのスタジオ、特定の医療処置、特定の美容処置（日焼け室など）、たとえば、フラッシュ写真撮影、あるいは特定の祭りの場で用いられる照明などの人工的な作用といった強すぎる光に曝露されたときに、感光性メイク仕上げを保護する機能を果たすものである。
【０３０５】
熱的に不安定なフォトクロミック剤は、極めて強い照明時に、特定の方法で、その色を帯びる。これは、下地にある感光性メイクアップの視認性を制限することがある。しかしながら、熱的に不安定なフォトクロミック剤は、極めて強い照明が停止されれば無色の形態をすみやかに回復するため、この現象は一過性のものである。
【０３０６】
好ましくは、暗所にて２５℃で６０秒以内にその色の少なくとも半分を失う、熱的に不安定なフォトクロミック剤を使用する。特に、熱的に不安定な無機フォトクロミック剤が好ましい。
【０３０７】
入射光を反射できる光学的作用剤
特に、ＵＶまたは可視光を減衰させる目的で使用される光学的作用剤は、金属ミラーを形成する光学的作用剤あるいは、多層介在構造または回折格子をベースにした光学的作用剤であってもよい。
【０３０８】
単独でまたは先に列挙した光学的作用剤を補完するものとして用いるのに適した光学的作用剤は、入射光を反射できる光学的作用剤である。反射は、反射層と光波の伝搬媒質との界面で生じる。反射層を形成する材料は、屈折率が１．５を超え、可能であれば１．８を超えるものであればよい。
【０３０９】
光学的作用剤は、金属を含有するものであってもよいし、金属で形成されるものであってもよい。一例として、銀塩を還元または銀ナノ粒子の分散液を適用することで、光保護組成物の適用時に銀の層が形成される。
【０３１０】
光保護組成物の反射の度合いは、５％を超えてもよく、可能であれば１０％を超えてもよい。好ましくは、感光性メイクアップの結果を損なわないようにするには、これは５０％未満である。一例として、光保護組成物は、銀ナノ粒子の、水性またはエタノール性である分散液を含むものであってもよく、たとえば、試料次第で寸法が１０ｎｍ〜６０ｎｍであり、ポリマー系によって安定化される、日本ペイントから得られるものがあげられる。乾燥時、この安定化は、粒子が接触するのを防止せず、これらの接触によって、反射能が銀ミラーで得られたものに近い最終材料を提供するのに十分な電気伝導度を保証する。
【０３１１】
多層干渉構造を有する光学的作用剤を用いることが可能である。
【０３１２】
この干渉構造は、構造のさまざまな層から反射する光波の相殺的干渉の現象によって光をフィルタする。
【０３１３】
多層構造は、好ましくは、可視域での透過率が高くなるよう選択されるため、可視域では顕著な色を生成せず、よって所望の透明度を有する。
【０３１４】
多層構造は、屈折率が低いものと高いものの交互層を含むものであってもよい。一例として、屈折率が高い層と低い層との屈折率の差は、０．１以上、好ましくは０．１５以上、より一層好ましくは０．６以上である。
【０３１５】
上述した多層構造における層数は、好ましくは少なくとも２、一層好ましくは４または６、あるいは少なくとも１２ですらあり、それがゆえに入射光に対して感受性が低く、なおかつ必要な選択性を呈する構造を容易に製造できる。多層構造は、任意に対称であってもよく、適宜構造に入る光にとってどれが主面なのかとは無関係に、入射光のフィルタリングを可能にする。
【０３１６】
屈折率の高い材料は、鉱物、たとえばアナターゼまたはルチル形態の二酸化チタン、酸化鉄、二酸化ジルコニウム、酸化亜鉛、硫化亜鉛、オキシ塩化ビスマス、これらの混合物あるいは、たとえば、ＰＥＥＫ（ポリエーテルエーテルケトン）、ポリイミド、ＰＶＮ（ポリ（２−ビニルナフタレン））、ＰＶＫ（ポリ（Ｎ−ビニルカルバゾール））、ＰＦ（フェノールホルムアルデヒド樹脂）、ＰＳＵ（ポリスルホン樹脂）、ＰａＭｅｓ（ポリ（α−メチルスチレン））、ＰＶＤＣ、（ポリ（塩化ビニリデン））、ＭｅＯＳ（ポリ（４−メトキシスチレン））、ＰＳ（ポリスチレン）、ＢＰＡ、（ビスフェノール−Ａポリカーボネート）、ＰＣ（ポリカーボネート樹脂）、ＰＶＢ（ポリ（ビニルベンゾエート））、ＰＥＴ（ポリ（エチレンテレフタレート））、ＰＤＡＰ（ポリ（フタル酸ジアリル））、ＰＰｈＭＡ（ポリ（フェニルメタクリレート））、ＳＡＮ（スチレン／アクリロニトリルコポリマー）、ＨＤＰＥ（高密度ポリエチレン）、ＰＶＣ（ポリ（塩化ビニル））、ＮＹＬＯＮ（登録商標）、ＰＯＭ（ポリ（オキシメチレン）またはポリホルムアルデヒド）、ＰＭＡ（ポリ（アクリル酸メチル））など、これらの混合物から選択される有機物であってもよい。
【０３１７】
屈折率の低い材料は、たとえば、二酸化ケイ素、フッ化マグネシウム、酸化アルミニウム、これらの混合物から選択される鉱物あるいは、たとえば、ポリメチルメタクリレートまたはポリスチレン、ポリウレタンおよびこれらの混合物などのポリマーから選択される有機物であってもよい。
【０３１８】
多層構造で干渉粒子を生成するために、当業者であれば特に、Ａｐｐｌｉｅｄ  Ｏｐｔｉｃｓ、Ｖｏｌ．  ４１、ｎ  ６、０１／０６／２００２（本明細書に援用する）からの論文「Ｏｖｅｒｃｏａｔｅｄ  Ｍｉｃｒｏｓｐｈｅｒｅｓ  ｆｏｒ  Ｓｐｅｃｉｆｉｃ  Ｏｐｔｉｃａｌ  Ｐｏｗｅｒｓ」ならびに、ＦＬＥＸＰＲＯＤＵＣＴＳの名前での特許など、薄層堆積について扱う多くの刊行物を参照するであろう。
【０３１９】
光学的作用剤は、光を回折させるために、実質的に繰り返される表面パターンを有する格子であってもよい、少なくとも１つの回折格子など、回折構造を含むものであってもよい。
【０３２０】
格子の周期ならびに、場合によりその深度によって、特に格子の回折特性が決まる。回折格子のマーク空間比は、一貫性をもって選択されるものであってもよい。
【０３２１】
好ましくは、少なくとも１つの方向での回折格子の周期は、好都合なことに、光保護組成物の着色作用を生む危険性を抑えられるほど十分に低い。この場合、格子の周期は、好都合なことに、可視領域、特に４００ｎｍ〜７８０ｎｍの範囲の光を回折しないよう選択される。
【０３２２】
可視域での回折次数を回避するよう機能する格子の最大周期は、以下の関係から少なくとも近似的に判断できる。
【数５】
2012518829.tif 000017
式中、θは格子面の法線に対して測定した入射角であり、Ψは透過角、Λは格子の周期、ｍは回折次数、ｎ1およびｎ2は、入射と透過それぞれの媒質の屈折率である。ｎ1およびｎ2は、第一近似で１．５となるものであってもよい。θ＝０°の場合、最大周期はλ／ｎ1＝４００／１．５すなわち、約２６７ｎｍである。入射角の限定なしで、この周期は半分未満である。よって、好ましくは、格子の周期２７０ｎｍまたはそれ未満を選択し、好ましくは１４０ｎｍまたはそれ未満を選択する。
【０３２３】
格子の深度ｄおよびその周期Λは、たとえばＵＶＡで最小の透過度を得るために、連続試験で選択されるものであってもよい。格子の特徴の計算は、たとえば、ＧＲＡＴＩＮＧ  ＳＯＬＶＥＲ  ＤＥＶＥＬＯＰＭＥＮＴ  ＣＯＭＰＡＮＹから入手可能なＧＳＯＬＶＥＲソフトウェアを用いて、ベクトル的に実施されるものであってもよい。
【０３２４】
回折格子を生成するのに用いられる層またはさまざまな層は、任意に、有機または無機の性質を持った基材上に被着されるものであってもよく、この基材については、そのまま使用してもよいし、溶解処理をほどこしてもよい。
【０３２５】
よって、形状が球状または層状の有機基材または無機基材に材料を被着させた後で、格子（単数または複数）の構造を、材料のバルクまたはそれ以外のものにエッチングしてもよい。
【０３２６】
エッチングについては、色彩効果を抑える目的で、可視領域での光の回折が最小限になるように実施してもよい。エッチングの周期性とその厚さによって、系がＵＶ光線を減衰する効率が決まる。
【０３２７】
干渉フィルタ剤は、任意に、たとえば２つの実質的に直交する方向など非平行の方向に延在する２つの回折格子を含むものであってもよく、この格子は、特に、回転偏光された入射光のＵＶの吸収を増大し、フィルタ入射角の遮蔽性能の依存性を小さくするものであってもよい。
【０３２８】
２つの回折格子は、実質的に等しい周期Λ1およびΛ2を有するものであってもよい。特に、ともに２７０ｎｍ以下、好ましくは１４０ｎｍ以下である。
【０３２９】
２つの回折格子が表面レリーフを有する場合、その深度も実質的に等しくてもよく、そのレリーフは、格子インデックスの周期的なばらつきを生むものであってもよい。
【０３３０】
格子の周期は一定であっても可変であってもよく、深度は一定であっても可変であってもよい。格子は、直線方向に延在してもよいし、曲線方向に延在してもよい。
【０３３１】
回折格子は、屈折率の異なる重畳層を含むものであってもよい。回折格子は、少なくとも部分的に誘電材料から生成されるものであってもよい。
【０３３２】
格子（単数または複数）には、さまざまなパターンを使用できる。これらは、たとえば、断面が矩形または三角形のギザギザあるいは、正弦波形または階段形のギザギザである。
【０３３３】
回折構造は、粒子の主面の少なくとも一部、好ましくは粒子の２つの主面に形成されるものであってもよい。
【０３３４】
回折構造は、格子（単数または複数）を覆う保護・非回折層を含むものであってもよい。
【０３３５】
液晶（Ｗａｃｋｅｒから入手可能なＨｅｌｉｃｏｎｅｓ  ＨＣ）ならびに干渉ホログラフフレーク（Ｓｐｅｃｔｒａｔｒｅｋから入手可能なＧｅｏｍｅｔｒｉｃ顔料またはスペクトルｆ／ｘ）など、干渉効果を有し、基材に固定されていない顔料についても言及できる。
【０３３６】
組成物は、たとえば、周期および／または深度の異なる回折格子を有する粒子など、ＵＶＡおよび／またはＵＶＢを遮蔽するための干渉素子の混合物を含むものであってもよい。
【０３３７】
入射光の波長を変換できる光学的作用剤
光保護組成物は、蛍光化合物を含むものであってもよい。
【０３３８】
「蛍光」化合物という用語は、紫外スペクトル、場合により可視の光を吸収し、吸収したエネルギを、スペクトルの紫外または可視部分で放出される波長が長い蛍光の光に変換する化合物を意味する。
【０３３９】
化合物は、可視光を吸収しないがＵＶだけは吸収し、吸収したエネルギを、スペクトルの可視部分で放出される波長が長い、たとえば２０ｎｍ長い、または好ましくは５０ｎｍ長い、あるいは、１００ｎｍ長い蛍光の光に変換する無色透明であってもよい蛍光増白剤であってもよい。このため、前記増白剤によって生成されるカラーインプレッションを、波長４００ｎｍ〜５００ｎｍの主に青の純粋に蛍光の光によって単独で生成してもよい。
【０３４０】
前記化合物は、溶液または微粒子であってもよい。
【０３４１】
蛍光化合物は、式
【化１２】
2012518829.tif 000018
（式中、Ｒ1、Ｒ2、Ｒ3、Ｒ4は、互いに独立に、水素原子；ハロゲン原子；Ｃ6〜Ｃ30アリール基；ヒドロキシル基；シアノ基；ニトロ基；スルホ基；アミノ基；アシルアミノ基；ジ（Ｃ1〜Ｃ6）アルキルアミノ基；ジヒドロキシ（Ｃ1〜Ｃ6）アルキルアミノ基；（Ｃ1〜Ｃ6）アルキルヒドロキシ（Ｃ1〜Ｃ6）アルキルアミノ基；（Ｃ1〜Ｃ6）アルコキシ基；（Ｃ1〜Ｃ6）アルコキシカルボニル基；（Ｃ1〜Ｃ6)カルボキシアルコキシ基；ピペリジノスルホニル基；ピロリジノ基；（Ｃ1〜Ｃ6）アルキルハロゲノ（Ｃ1〜Ｃ6）アルキルアミノ基；ベンゾイル（Ｃ1〜Ｃ6）アルキル基；ビニル基；ホルミル基；Ｃ6〜Ｃ30アリールラジカル（ヒドロキシル、直鎖状、分枝鎖状または環式Ｃ1〜Ｃ6アルコキシ、任意に１以上の基から選択される１以上のヒドロキシル、アミノ、Ｃ1〜Ｃ6アルコキシ基で置換されている１〜２２個の炭素原子自体を含有する直鎖状、分枝鎖状または環式アルキルで置換されていてもよい）；ヒドロキシル、アミノ、直鎖状、分枝鎖状または環式Ｃ1〜Ｃ6アルコキシ基、任意に置換されたアリール、カルボキシル、スルホ基、ハロゲン原子から選択される１以上の基で任意に置換されている、１〜２２個の炭素原子を含有する、直鎖状、分枝鎖状または環式アルキルラジカルを表し、前記アルキルラジカルは、場合によりヘテロ原子で中断される）で表されるジケトピロロピロールであってもよい。
【０３４２】
蛍光化合物は、式
【化１３】
2012518829.tif 000019
（式中、
Ｒ1、Ｒ2、Ｒ3は、互いに独立に、水素原子；ハロゲン原子；Ｃ6〜Ｃ30アリール基；ヒドロキシル基；シアノ基；ニトロ基；スルホ基；アミノ基；アシルアミノ基；ジ（Ｃ1〜Ｃ6）アルキルアミノ基、ジドロキシ（Ｃ1〜Ｃ6）アルキルアミノ基；（Ｃ1〜Ｃ6）アルキルヒドロキシ（Ｃ1〜Ｃ6）アルキルアミノ基；（Ｃ1〜Ｃ6）アルコキシ基；（Ｃ1〜Ｃ6）アルコキシカルボニル基；Ｃ1〜Ｃ6カルボキシアルコキシ基；ピペリジノスルホニル基；ピロリジノ基；（Ｃ1〜Ｃ6）アルキルハロゲノ（Ｃ1〜Ｃ6）アルキルアミノ基；ベンゾイル（Ｃ1〜Ｃ6）アルキル基；ビニル基；ホルミル基；ヒドロキシル基、直鎖状、分枝鎖状または環式Ｃ1〜Ｃ6アルコキシ、１以上のヒドロキシル、アミノ、Ｃ1〜Ｃ6アルコキシ基で任意に置換された、１〜２２個の炭素原子自体を含有する直鎖状、分枝鎖状または環式アルキル；ヒドロキシル、アミノ、直鎖状、分枝鎖状または環式Ｃ1〜Ｃ6アルコキシ、任意に置換されたアリール、カルボキシ、スルホ、ハロゲン原子から選択される１以上の基で任意に置換された、１〜２２個の炭素原子を含有する、直鎖状、分枝鎖状または環式アルキルラジカルから選択される１以上の基で任意に置換されたＣ6〜Ｃ30アリールラジカルを表し、これらの５つのアルキルラジカルが、場合により、ヘテロ原子によって中断され；それぞれが結合する炭素原子が、合計で５〜３０のリンクと１〜５のヘテロ原子を含む芳香族または非芳香族Ｃ6〜Ｃ30または複素環式環を形成する置換基Ｒ1、Ｒ2、Ｒ3；前記環が、任意に、集光させるものであってもよく、任意に、カルボニル基が挿入されたものであってもよく、Ｃ1〜Ｃ4アルキル基，（Ｃ1〜Ｃ4）アルコキシ（Ｃ1〜Ｃ4）アルキル、アミノ、ジ（Ｃ1〜Ｃ4）アルキルアミノ、ハロゲン、フェニル、カルボキシ、トリ（Ｃ1〜Ｃ4）アルキルアンモニオ（Ｃ1〜Ｃ4）アルキルから選択される１以上の基で置換されていても置換されていなくてもよい）で表されるナフタルイミドであってもよい。
【０３４３】
蛍光化合物は、
【化１４】
2012518829.tif 000020
（式中、Ｒはメチルラジカルまたはエチルラジカルを表し；Ｒ’はメチルラジカルを表し、Ｘ−は、塩化物、ヨウ化物、硫酸塩、メト硫酸塩、酢酸塩、過塩素酸塩タイプのアニオン）などのスチルベン誘導体であってもよい。
【０３４４】
言及できるこのタイプの化合物の例に、ＵＢＩＣＨＥＭから販売されているＰｈｏｔｏｓｅｎｓｉｔｉｚｉｎｇ  Ｄｙｅ  ＮＫ−５５７があり、ここで、Ｒはエチルラジカルを表し、Ｒ’はメチルラジカル、Ｘ−はヨウ化物を表す。
【０３４５】
蛍光化合物は、
【化１５】
2012518829.tif 000021
などのメチン誘導体あるいは、一般式
【化１６】
2012518829.tif 000022
のオキサジンまたはチアジン誘導体であってもよい。
【０３４６】
ジシアノピラジン誘導体（日本ペイントから）、ナフトールアセタム、アザラクトン誘導体、ローダミン、キサンテンに言及することも可能である。
【０３４７】
前記化合物をコアまたは表面に含む有機（ラテックスなど）顔料または粒子あるいは鉱物（ＭｇＯ、ＴｉＯ2、ＺｎＯ、Ｃａ（ＯＨ）2など）を用いることも可能である。
【０３４８】
蛍光化合物は、たとえば、量子ドットと呼ばれる小さな粒子の形態での蛍光効果を持つ半導体化合物であってもよい。
【０３４９】
量子ドットは、光励起下で、４００ｎｍ〜７００ｎｍの範囲の波長で放射線を放出できる、ルミネッセント半導体ナノ粒子である。これらのナノ粒子は、たとえば、米国特許第６  ２２５  １９８号明細書または米国特許第５  ９９０  ４７９号明細書、その中で引用されている刊行物、さらには以下の刊行物：Ｄａｂｂｏｕｓｓｉ  Ｂ．Ｏ．  ｅｔ  ａｌ  “（ＣｄＳｅ）ＺｎＳ  ｃｏｒｅ−ｓｈｅｌｌ  ｑｕａｎｔｕｍ  ｄｏｔｓ：  ｓｙｎｔｈｅｓｉｓ  ａｎｄ  ｃｈａｒａｃｔｅｒｉｚａｔｉｏｎ  ｏｆ  ａ  ｓｉｚｅ  ｓｅｒｉｅｓ  ｏｆ  ｈｉｇｈｌｙ  ｌｕｍｉｎｅｓｃｅｎｔ  ｎａｎｏｃｒｙｓｔａｌｌｉｔｅｓ”  Ｊｏｕｒｎａｌ  ｏｆ  Ｐｈｙｓｉｃａｌ  Ｃｈｅｍｉｓｔｒｙ  Ｂ，  ｖｏｌ  １０１，  １９９７，  ｐｐ  ９４６３〜９４７５およびＰｅｎｇ，  Ｘｉａｏｇａｎｇ  ｅｔ  ａｌ，  “Ｅｐｉｔａｘｉａｌ  Ｇｒｏｗｔｈ  ｏｆ  Ｈｉｇｈｌｙ  Ｌｕｍｉｎｅｓｃｅｎｔ  ＣｄＳｅ／ＣｄＳ  Ｃｏｒｅ／ｓｈｅｌｌ  Ｎａｎｏｃｒｙｓｔａｌｓ  ｗｉｔｈ  Ｐｈｏｔｏｓｔａｂｉｌｉｔｙ  ａｎｄ  Ｅｌｅｃｔｒｏｎｉｃ  Ａｃｃｅｓｓｉｂｉｌｉｔｙ”  Ｊｏｕｒｎａｌ  ｏｆ  ｔｈｅ  Ａｍｅｒｉｃａｎ  Ｃｈｅｍｉｃａｌ  Ｓｏｃｉｅｔｙ，  ｖｏｌ  １１９，  Ｎ°３０，  ｐｐ  ７０１９〜７０２９に記載された方法に従って製造できるものである。
【０３５０】
好ましい蛍光化合物は、オレンジ色および黄色などを放出するものである。
【０３５１】
好ましくは、本発明において光学的作用剤として用いられる蛍光化合物（単数または複数）は、最大反射率が波長範囲５００ｎｍ〜６５０ｎｍ、好ましくは波長範囲５５０ナノメートル〜６２０ナノメートルにある。
【０３５２】
蛍光化合物の例として、以下のファミリに属するものがあげられる。ナフタルイミド；カチオンまたは非カチオンクマリン；キサンテノジキノリジン（特にスルホローダミンなど）；アザキサンテン；ナフトールアクタム；アズラクトン；オキサジン；チアジン；ジオキサジン；アゾ、アゾメチンタイプまたはメチンタイプの蛍光ポリカチオン着色剤（単独または混合物として用いられる）。
【０３５３】
特に、以下に言及することができる。
・ＳＡＮＤＯＺによって販売され、以下の構造を有するＪａｕｎｅ  Ｂｒｉｌｌｉａｎｔ  Ｂ６ＧＬ
【化１７】
2012518829.tif 000023
・ＰＲＯＬＡＢＯ、ＡＬＤＲＩＣＨまたはＣＡＲＬＯ  ＥＲＢＡから販売され、以下の構造を有するＢａｓｉｃ  Ｙｅｌｌｏｗ  ２またはＡｕｒＡｕｒａｍｉｎｅ  Ｏ
【化１８】
2012518829.tif 000024
【０３５４】
使用する蛍光化合物は、アリールが、任意に置換されていてもよいピリジニウム、あるいは任意で置換されていてもよいイミジゾリニウムなどの別のカチオン基であるアミノフェニルエテニルアリール化合物であってもよい。
【０３５５】
一例として、蛍光化合物には、ピリジニウム核のアルキルラジカルがメチルラジカルまたはエチルラジカルを表し、ベンゼン環のそれがメチルラジカルを表す、２−［２−（４−ジアルキルアミノ）フェニルエテニル］−１アルキルピリジニウムなどが使用されてもよい。
【０３５６】
光学的作用剤は、いくつかの蛍光基を同一分子に含有するものであってもよい。例としては、
【化１９】
2012518829.tif 000025
（式中、Ｒ1およびＲ2は、同一であっても異なっていてもよく、
・水素原子、
・１〜１０個の炭素原子、好ましくは１〜４個の炭素原子を含有し、任意に、少なくとも１個のヘテロ原子および／または少なくとも１個のヘテロ原子を含む基で中断および／または置換されるおよび／または少なくとも１個のハロゲン原子で置換される、直鎖または分枝鎖のアルキルラジカル、
・アリール基が６個の炭素原子を含有し、アルキルラジカルが１〜４個の炭素原子を含有し、アリールラジカルが、任意に、１〜４個の炭素原子を含有する１以上の直鎖または分枝鎖のアルキルラジカルで置換され、任意に、少なくとも１個のヘテロ原子および／または少なくとも１個のヘテロ原子を含む基で中断および／または置換されるおよび／または少なくとも１個のハロゲン原子で置換されるアリールまたはアリールアルキルラジカルに相当し、
・Ｒ1およびＲ2は、任意に、複素環を形成するために窒素原子と結合されてもよく、１つ以上の他のヘテロ原子を含み、複素環は、任意に、好ましくは１〜４個の炭素原子を含有する少なくとも１つの直鎖または分枝鎖のアルキルラジカルで置換され、任意に、少なくとも１個のヘテロ原子および／または少なくとも１個のヘテロ原子を含む基で中断および／または置換されるおよび／または少なくとも１個のハロゲン原子で置換され、
・Ｒ1またはＲ2は、任意に、窒素原子と前記窒素原子を有するフェニル基の炭素原子の１つとを含む複素環に関与してもよく、
・Ｒ3、Ｒ4は、任意に同一であってもよく、水素原子または１〜４個の炭素原子を含有するアルキルラジカルを表し、
・Ｒ5部分は、任意に同一であってもよく、水素原子、ハロゲン原子または１〜４個の炭素原子を含有する直鎖または分枝鎖のアルキルラジカルを表し、任意に、少なくとも１個のヘテロ原子で中断され、
・Ｒ6部分は、任意に同一であってもよく、水素原子；ハロゲン原子；任意に、少なくとも１個のヘテロ原子および／または少なくとも１個のヘテロ原子を有する基で置換および／または中断されるおよび／または少なくとも１個のハロゲン原子で置換される１〜４個の炭素原子を含有する直鎖または分枝鎖のアルキルラジカルを表す）などの二量体があげられる。
【０３５７】
Ｘは、
・１〜１４個の炭素原子を含有する直鎖または分枝鎖のアルキルラジカルあるいは、２〜１４個の炭素原子を含有するアルケニルラジカル、任意に、少なくとも１個のヘテロ原子および／または少なくとも１個のヘテロ原子を有する基で中断および／または置換されるおよび／または少なくとも１個のハロゲン原子で置換され、
・任意に、１〜１４個の炭素原子を含有する少なくとも１つの直鎖または分枝鎖のアルキルラジカルで置換され、任意に、少なくとも１個のヘテロ原子で置換され、１〜４個の炭素原子を含有し、任意に少なくとも１個のヘテロ原子で置換される少なくとも１つの直鎖または分枝鎖のアミノアルキルラジカルを有し、あるいは少なくとも１個のハロゲン原子を有する５または６つの結合を含む複素環ラジカル、
・１〜４個の炭素原子を含有するアルキルラジカルにより、任意に縮合、分離または分離されなくてもよく、アリールラジカル（単数または複数）が、任意に、少なくとも１個のハロゲン原子で置換される、あるいは１〜１０個の炭素原子を含有し、任意に、少なくとも１個のヘテロ原子および／または少なくとも１個のヘテロ原子を有する基で置換および／または中断される少なくとも１つのアルキルラジカルで置換される芳香族またはジ芳香族ラジカル、
・ジカルボニルラジカル、
・場合により、１つ以上のカチオン電荷を有する基Ｘ、
・ａは０または１と等しい）を表す。
【０３５８】
Ｙ−部分は、任意に同一であってもよく、ｎが、少なくとも２かつ最大で蛍光化合物に存在するカチオン電荷の数に等しい整数である、有機または鉱物アニオンを表す。
【０３５９】
他の二量体としては、たとえば付着点が２つの非カチオン基の間に形成される二量体など、あるいはたとえば、ピリジニウム基がイミダゾリニウム基などの別のアリールカチオン基によって置き換えられている二量体などが可能である。
【０３６０】
ジシアノピラジンファミリも、オレンジ色で蛍光を発し、本発明で対象となる化合物を提供する場合がある。
【０３６１】
オレンジ色で蛍光を発する顔料を使用してもよい。一例として、ＳｕｎＣｈｅｍｉｃａｌから販売されているＳｕｎｂｒｉｔｅ−ＳＧ２５１５黄オレンジ顔料があげられる。
【０３６２】
光保護組成物の適用
利用者は、熱安定性フォトクロミック組成物の層を広範囲に展着させるか、反対に図１２に示すように特定のゾーンだけに局所的に展着させて、光保護組成物を、処理されるゾーン全体に適用してもよい。同図では、感光性メイクアップは、フォトクロミック組成物ＰＣが光保護組成物ＰＰで完全に覆われた状態で作り出されている。光保護組成物は、たとえば、フォトクロミック組成物がコーティングされたゾーンの縁に局在することで、感光性メイクアップがフォトクロミック組成物の層よりも狭い場合に、この感光性メイクアップパターンを囲むものであってもよい。
【０３６３】
光保護組成物層は、ケラチン物質、たとえば皮膚に結合される可撓性フィルムの形をとってもよい。フィルムの物質は、光学的作用剤として作用してもよいおよび／またはフィルムが、フィルムの物質に分散された少なくとも１種類の光学的作用剤を含有するものであってもよい。フィルムは、たとえばインプレッションまたは多層干渉構造の形で、光学的作用剤を含有するコーティングを有するものであってもよい。
【０３６４】
利用者は、前記フィルムをフォトクロミック組成物層の上全体に適用してもよいし、フィルムを切断して、呈色ゾーンは覆わずに非呈色ゾーンだけを覆うようにすることも可能である。
【０３６５】
感光性メイクアップの内容、たとえばその輪郭から始まって、保護フィルムを好適な形状に切断する、自動切断システムを使用してもよい。この場合、利用者は、切断された保護フィルムを非呈色ゾーンにのせる。
【０３６６】
本発明のもうひとつの実用例では、光保護組成物は、少なくとも１種類の光学的作用剤を支持した支持シートを、処理対象ゾーンに適用することによって、転写によって被着される。利用者は、シートをフォトクロミック組成物がコーティングされたケラチン物質と接触させた上で、摩擦または他の手段、たとえば熱または溶媒を用いて、光学的作用剤（単数または複数）が熱安定性フォトクロミック組成物層に転写されるようにする。
【０３６７】
本発明の一実用例では、光保護組成物層は可逆性すなわち、利用者は、フォトクロミック組成物の第１の層を除去することなく、この光保護組成物層を除去することが可能である。
【０３６８】
この目的のために、第１の層は、耐水性であるか水と界面活性剤との混合物に対して耐性があるように配合されていてもよく、第２の層は、耐水性ではないか水と界面活性剤との混合物に対して耐性がないように配合されていてもよい。
【０３６９】
剥離可能な第２の層を生成することも可能である。この目的のために、第２の層を使用して、第１の層への適用前または後で、粘性コーティングを形成してもよい。第２の層は、剥離可能である場合、たとえばエラストマー材料を含む。
【０３７０】
本発明の一実用例では、第２の層は、たとえばシリコーンまたはフッ素化化合物などの表面張力の低い化合物を利用している熱安定性フォトクロミック組成物によって、第１の層に対する付着性が低い。本発明の別の実用例では、光保護組成物層の除去を容易にする中間の非粘着性層が、第１の層と第２の層との間に介在している。
【０３７１】
特に、可逆的である場合、光保護組成物層は、たとえば２０以上の非常に高い遮蔽力Ｆを有するものであってもよい。
【０３７２】
光学的作用剤（単数または複数）を含有する単層あるいは、いくつかの異なる光学的作用剤を含有するいくつかの層を被着させてもよい。
【０３７３】
一例として、熱安定性フォトクロミック層がＵＶ光および可視光から保護されるようにする単層を被着させてもよい。
【０３７４】
また、特定のＵＶ保護層ならびに、ＵＶおよび／または可視域における追加の保護のための追加の層を被着させることが可能であり、前記追加の層は、たとえば着色剤または熱的に不安定なフォトクロミック剤を含む。
【０３７５】
また、１つのＵＶ保護層と、ＵＶ領域における追加の保護を保証する蛍光化合物を含む追加の層を用いることも可能である。
【０３７６】
特定の可能性では、熱安定性フォトクロミック組成物の第１の層と、フォトクロミック組成物用の呈色放射線に対してスクリーンを形成する光学的作用剤を含む光保護性の第２の層とを含む多層フィルムが適用される。このフィルムは、自立型であってもよいし、転写によって適用されるものであってもよい。
【０３７７】
フォトクロミック組成物を、そのままケラチン物質に適用してもよいし、ベース層、特に以下で定義するようなベース層にのせてもよい。
【０３７８】
第２の組成物を、熱安定性フォトクロミック組成物層に直接的に適用してもよいし、あるいは、上述したように２つの間の中間層に適用してもよい。適宜、第２の組成物自体に、追加の層をコーティングしてもよい。
【０３７９】
さまざまな層の成分の選択
本発明の一実用例では、２つの連続的に適用される層、たとえば、熱安定性フォトクロミック組成物の層と光保護組成物の層あるいは、ベース層とフォトクロミック組成物の層あるいは、フォトクロミックの層と感光性メイクアップを保護する材料を形成することを想定した層は、物理的に補完し合うものであってもよく、第２の層が第１の層上に把持されるのを可能にまたは容易にするおよび／または第１の層上における第２の層の展着を可能にまたは容易にするものである。
【０３８０】
互いに補完されるイオン性が存在すると好都合な場合がある。よって、たとえば、第１の層は、アニオンポリマーを含有するものであってもよく、この場合、第２の層は、カチオン化合物、たとえばカチオンフィルタ、カチオン着色剤またはカチオン蛍光化合物を含有する。その逆も可能である。
【０３８１】
また、表面張力が互いに補完されると好都合な場合がある。よって、第１の層は、たとえば、少なくとも１種類の親水性ポリマーを用いることにより、好ましくは４０ｍＮ．ｍ-1［１メートル当たりのミリニュートン］を上回る第１の表面張力を有するものであってもよい。第２の層は、たとえば主に油性、シリコーンまたはフッ素化組成物を用いることにより、あるいは１種類以上の界面活性剤が導入された水性組成物を用いることにより、第１の層よりも低い、好ましくは４０未満の第２の表面張力を有するものであってもよい。
【０３８２】
第２の層の成分（溶媒、接着剤など）は、これらの成分が第１の層の溶媒ではないように選択されるものであってもよい。
【０３８３】
一例として、有機溶媒（エタノール、アセトン、アルキルアセテート、炭素系油（たとえば、イソドデカン）、揮発性シリコーン（たとえばＤ５）など）を第１の層に選択してもよく、水性または含水アルコール溶媒を第２の層に選択してもよいし、逆でもよい。
【０３８４】
また、２種類の有機溶媒または２種類の水性溶媒を、２つの層について選択することが可能である。ただし、第１の層の乾燥時に、変換が生じるものとする。一例として、ラテックスを含有する第１の層を用いる。乾燥時、ラテックスは凝集し、第１の層を第２の層の適用に対して不活性にする。また、アンモニアなどの揮発性塩基との中和によって水溶性になる低水溶性アクリル／アクリレートコポリマーを含有する第１の層を用いることも可能である。第１の層の乾燥後、アンモニアが蒸発し、第１の層を耐水性にする。
【０３８５】
ベース層
第１の光保護組成物のベース層をケラチン物質に適用すればよい。このベース層は、少なくとも一時的に波長λ、特に３２０ｎｍ〜４４０ｎｍの範囲内の波長でスクリーンを形成できる、少なくも１種類の光学的作用剤を含有し、前記ベース層には第２の熱安定性フォトクロミック組成物が適用されていてもよく、第２の熱安定性フォトクロミック組成物は、少なくとも波長λの放射線に曝露することで呈色可能であり、光学的作用剤（単数または複数）は、上述したものから選択されてもよい。
【０３８６】
一例として、ベース層として適用される光保護組成物は、少なくともそれが適用されている間、太陽光線に対して少なくとも２、好ましくは５または１０の遮蔽力Ｆを有する。
【０３８７】
ベース層を用いることで、フォトクロミック組成物のフォトクロミック剤（単数または複数）が下に位置するケラチン物質に移動しにくくして、皮膚にしみが生じる危険性を低減することができる。
【０３８８】
２つの相を形成するために、組成物のうちの一方がたとえば水性で他方は水性ではない、あるいはその逆で、第１および第２の組成物が互いに混和しない場合に、上記の移動がさらに遅くまたは妨害される場合がある。
【０３８９】
よって、フォトクロミック組成物の溶媒ではない第２の組成物のための成分（溶媒、接着剤など）を選択することが可能であり、逆もそうである。一例として、第２の光保護性組成物について、アルコールまたはケトン、たとえば特にエタノールまたはアセトン、アルキルアセテート、炭素系油、特にイソドデカンまたは揮発性シリコーンから有機溶媒が選択され、第１の熱安定性フォトクロミック組成物については、水性溶媒または含水アルコール溶媒から選択されるか、その逆である。
【０３９０】
また、乾燥時に変換が生じるような形で、２種類の組成物について２種類の有機溶媒または２種類の水性溶媒を選択することも可能である。一例として、ラテックスを含有する第１の組成物を用いてもよい。乾燥時、この組成物は、凝集して層を熱安定性フォトクロミック組成物の適用に対して不活性にする。
【０３９１】
ベース層は、熱安定性フォトクロミック組成物よりも広い表面に形成されるものであってもよい。これにより、利用者は、適用される２種類の組成物のアウトラインを正確に対応させることに気をもまなくてよいため、熱安定性フォトクロミック組成物の適用が容易になる。
【０３９２】
フォトクロミック組成物がＵＶ光線への曝露によって呈色されるのに適している場合、ベース層に含有される光学的作用剤は、好ましくは、光安定性指数が８０％以下の非光安定性サンスクリーン製剤である。
【０３９３】
得られる利点の１つに、ベース層を皮膚に適用する際、ベース層の範囲がフォトクロミック組成物の範囲を実質的に越えて広がる場合であっても、利用者の日焼けが完全になくなるわけではないということがある。太陽への曝露時、ベース層がＵＶを遮る機能を失う場合があり、それにより利用者は、少なくともフォトクロミック組成物で覆われていないゾーンでは次第に日焼けできる。サンスクリーン製剤が光安定性である場合、利用者は、自分の日焼けに跡が残るのを嫌ってベース層をさほど広く適用したがらない場合がある。
【０３９４】
サンスクリーン製剤の光安定性を測定するために、これを商品名ＦＩＮＳＯＬＶ（登録商標）のＣ12〜Ｃ15アルキルベンゾエート溶媒で希釈する。ＳＵＮＴＥＳＴの照射器で生成されるＵＶＡ光線に１時間の曝露させた後における遮蔽力を初期遮蔽力で除算して得られる比として定義される光安定性が、３０％台の非光安定性スクリーンの一例に、スクリーンＰａｒｓｏｌ  １７８９がある。
【０３９５】
ベース層は、感光性メイクアップのかなり前、たとえば１５分よりも前に適用できるものであり、それによって、上述したようにベース層が乾燥するのに十分な時間が得られ、その上に適用された層においてベース層を不溶性またはほぼ不溶性にする効果を有することがある。さらに、乾燥時、ベース層は、任意に、比較的なめらかな表面を形成し、フォトクロミック組成物の層を均一な厚さで適用しやすくしてもよい。皮膚が滑らかであれば、第２の層はさらに薄くてよいこともあり、呈色後に魅力のない視覚的効果を生み得る不均一な厚さとなる危険性が低減される。
【０３９６】
必要であれば、少なくとも１つの中間層をベース層に適用し、これをフォトクロミック組成物とベース層との間に配置してもよい。
【０３９７】
この中間層は、ベース層での熱安定性フォトクロミック組成物の保持性を向上させ、あるいはその逆で、メイクアップ落としなどの除去を容易にする効果を有することがある。中間層は、ポリマーまたはワックスの層であってもよい。
【０３９８】
特に、中間層は、フォトクロミック組成物を呈色させるために波長λでスクリーンとして機能する必要はない。
【０３９９】
さらに、別の組成物の層をベース層の下に適用して、皮膚に対するその付着を容易にしてもよい。よって、ベース層は、皮膚と直接的に接触している必要はない。変形例では、ベース層を皮膚または他のケラチン物質に直接適用する。
【０４００】
感光性メイクアップの機械的保護
熱安定性フォトクロミック組成物の少なくとも１つの層をケラチン物質に適用してもよく、第２の組成物によって、あるいは追加されるエネルギによって、フォトクロミック組成物の層で感光性メイクアップを機械的に保護する材料を形成してもよい。
【０４０１】
少なくとも１つの被覆層をフォトクロミック組成物の層の上に被着させることが可能であり、それにより感光性メイクアップの機械的保護を保証する材料を形成できるようになる。
【０４０２】
感光性メイク仕上げについては、フォトクロミック組成物の層を選択的に呈色させることで感光性メイクアップを機械的に保護する材料を形成する前または後で作り出せばよい。
【０４０３】
感光性メイクアップの機械的保持性を向上させると、形成される画像の劣化を遅らせることができ、画像の鮮明さの経時的な劣化も遅くなる。さらに、感光性メイクアップは、摩擦や動きに対する感度が低くなる。フォトクロミック組成物が衣服または身体の他の領域についてしまう危険性も、低減される。
【０４０４】
よって、背中、腹、胸、脚または尻といった衣服で覆われたゾーンなどのゾーンに、一層持ちのよい感光性メイクアップを作り出すことができる。
【０４０５】
前記材料は、溶媒蒸発により、あるいは重合反応または架橋反応により形成されるものであってもよく、これは必ずしも完全である必要はない。重合および／または架橋による表面硬化は、保持性を向上させるのに十分であることが分かることもある。
【０４０６】
感光性メイクアップの機械的保護を提供する材料は、好都合なことに、透明である。
【０４０７】
材料がフォトクロミック組成物の層を覆っている場合、この材料は、日中に少しずつ摩耗することで、感光性メイクアップを保護する磨耗層を形成する。
【０４０８】
これがフォトクロミック組成物層を覆っている場合、この材料は、さらに光学的効果を提供する、たとえば誇張または着色効果を提供することにより、感光性メイクアップの審美性の一助をなす場合がある。
【０４０９】
フォトクロミック組成物が、フォトクロミック組成物を呈色させるのに用いる波長とは異なる波長でフォトクロミック組成物の層を照射することで感光性メイクアップを消色させる可能性を提供する場合、この材料は、感光性メイクアップの除去が望ましい場合にはそれを何ら妨害せずに、その保持性を向上させることができ、利用者は、この目的のためにメイクアップを完全に落とす必要はない。
【０４１０】
感光性メイクアップを機械的に保護する材料を形成するために、熱安定性フォトクロミック組成物および／または被覆層に重合可能および／または架橋可能な化合物を用いることが可能である。
【０４１１】
フォトクロミック組成物は、この材料を形成するのに役立つ重合可能および／または架橋可能な化合物をすべて含有するものであってもよい。任意に、フォトクロミック組成物を呈色させるのに用いられる照射は、重合および／または架橋に役立つものである。
【０４１２】
フォトクロミック組成物は、潜在的に重合および／または架橋できる第１の作用剤を含有するものであってもよい。フォトクロミック組成物のフォトクロミック剤の呈色後または呈色前に、第１の化合物と関連することで、重合または架橋を実施できる第２の化合物を適用する。また、場合により、重合および／または架橋を生じさせるのに照射が役立つこともある。
【０４１３】
他の実用例では、フォトクロミック組成物を適用し、感光性メイク仕上げを作り出した後で、第２の組成物を適用する。
【０４１４】
フォトクロミック剤（単数または複数）を呈色させるのに役立つ照射前または照射後のいずれかに被覆層を適用してもよい。その平均厚は、少なくとも２μｍ［マイクロメートル］であればよく、材料がむしろ硬質であるかエラストマーである場合、少なくとも５μｍであり、好ましくは、材料がむしろ軟らかい弾性率を有する場合、少なくとも１０μｍである。
【０４１５】
ケラチン物質が感光性メイクアップを含む単層で被覆される場合、前記層の厚さは、好ましくは５μｍを超え、より好ましくは１０μｍである。この厚さは、好ましくは１ｍｍ未満である。
【０４１６】
フォトクロミック組成物が潜在的に架橋できる化合物のすべてまたはいくつかを含む場合、第２段階において、第１の組成物の乾燥前または乾燥後に、架橋を生じさせるまたは架橋に必要な第２の化合物を適用することが可能である。第２の層の厚さ（溶媒の蒸発後に表される）は、好ましくは第１の層の厚さの少なくとも２０％に等しく、好ましくは第１の層の厚さの５０％を超える。第２の層の厚さは、好ましくは５μｍを超える。
【０４１７】
フォトクロミック組成物が潜在的に架橋可能な化合物を含まない場合、第２段階において、架橋を生じさせる化合物を含有する第２の組成物を適用することが可能である。第２の層の厚さ（溶媒の蒸発後に表される）は、好ましくは第１の層の厚さの少なくとも１０％に等しく、好ましくは第１の層の厚さの３０％を超える。第２の層の厚さは、少なくとも５μｍを超え、好ましくは１ｍｍ未満である。
【０４１８】
この材料の形成を可能にする重合および／または架橋は、化学的であっても物理的であってもよい。
【０４１９】
化学的重合および／または架橋
「化学的架橋」という用語は、化合物が単独であろうと第２の化合物との反応によるものであろうと、あるいは放射線の作用によるものやエネルギの供給によるものであれ、分子間に共有化学結合を形成できることを意味する。その結果、前記化合物を含む材料の凝集性が高まる。
【０４２０】
化合物は、単純な分子であってもよいし、オリゴマーまたはポリマーなど、すでにいくつかの分子の組み合わせの結果であってもよい。化合物は、１つ以上の反応性官能基を有するものであってもよい。
【０４２１】
好ましい分子は、架橋後に固体が得られるおよび／または変形可能であるがエラストマー性の材料が得られる分子である。
【０４２２】
化学的官能基は、性質が同一の別の官能基と反応するものであってもよく、別の化学的官能基と反応するものであってもよい。
【０４２３】
性質が同一の別の官能基との反応
これらは、たとえばエチレン官能基、特に、アクリレート、アクリル、メタクリレート、メタクリルまたはスチレンである。
【０４２４】
反応するために、これらの分子は通常、たとえば光、熱、触媒の使用または光重合開始剤との組み合わせ、場合により光重合開始剤の作用スペクトルの拡大を想定した光増感剤との組み合わせなど、外的な形態の活性化を必要とする。光重合可能および／または光架橋可能な組成物が、たとえば、カナダ特許第１  ３０６  ９５４号明細書および米国特許第５  ４５６  ９０５号明細書に記載されている。
【０４２５】
欧州特許出願公開第１  ２４７  ５１５号明細書に記載されたようなエチレン官能基を有するポリマー化合物を使用することも可能である。
【０４２６】
エチレン官能基は、反応を加速し、外部からの活性化の提供を冗長にするために、電子吸引基によって活性化されてもよい。これは、水などの触媒だけが存在することで反応が生じるエチルシアノアクリレートモノマーでは典型的である。
【０４２７】
エチレン官能基は、たとえば電子吸引基によって、適度に活性化されるものであってもよい。利点は、反応には反応の開始と収率とを制御する際に重要な外部からの活性化を必要とするが、光重合開始剤は必要としない点である。たとえば、シアノアクリレートモノマー、特に、エステル官能基が有する基が少なくとも２つ、可能であれば４つの炭素の連鎖を含有する、シアノアクリレートモノマーであってもよい。
【０４２８】
光などの外部からの活性化を必要とするが、光重合開始剤は必要としない分子が好ましい。したがって、欧州特許出願公開第１  ５７２  １３９号明細書に記載されているものなどの光二量体化によって反応できる分子、特に、以下のような官能基を有する分子が特に好ましい。
１）スチルバゾリウム
【化２０】
2012518829.tif 000026
式中、
・Ｒは、水素原子、アルキル基またはヒドロキシアルキル基を表し、
・Ｒ’は、水素原子またはアルキル基を表す。
２）スチリルアゾリウム
【化２１】
2012518829.tif 000027
式中、
Ａは、硫黄原子、酸素原子またはＮＲ’基またはＣ（Ｒ’）2基を示し、ＲおよびＲ’は、上記で定義された通りである。
３）カルコン
４）（チオ）シンナメートおよび（チオ）シンナムアミド
５）マレイミド
６）（チオ）クマリン
７）チミン
８）ウラシル
９）ブタジエン
１０）アントラセン
１１）ピリドン
１２）ピロリジノン
１３）アクリジジニウム塩
１４）フラノン
１５）フェニルベンゾキサゾール
１６）スチリルピラジン
【０４２９】
性質が同じ別の官能基でなされる反応は、エチレン官能基が関与する反応に限定されるものではない。
【０４３０】
以下のような、縮合によって反応できる化合物も好ましい。
・シロキサン基、特にジアルコキシ−またはジヒドロキシ−シラン官能基、トリアルコキシ−またはトリヒドロキシ−シラン官能基。アルキルトリアルコキシシラン官能基またはジアルキルトリアルコキシシラン官能基、特に、アルキル基がアミンなどの水溶性化官能基を有するアルキルアルコキシシラン官能基を持つ分子、たとえば、アミノトリエトキシシランまたはアミノトリエトキシシランなどの分子またはこのような官能基を有する分子などを用いることが可能である。シロキサンを主成分とする小分子（モノマーまたはオリゴマー）に加えて、特にフランス特許出願公開第２  ９１０  ３１５号明細書に記載されている、質量がより大きい化合物を使用してもよい。
・チタンを主成分とするゾル−ゲル
【０４３１】
これらの分子を用いることで、開始および反応収率を制御することが可能である。
【０４３２】
酸化による反応が可能な化合物、少なくとも２つのヒドロキシル官能基あるいは、１つのヒドロキシル官能基および１つのアミン官能基あるいは、１つのヒドロキシル官能基、たとえばカテコールまたはジヒドロキシインドールを有する芳香族などの化合物も好ましい。酸化剤は、空気からの酸素または別の酸化剤、たとえば過酸化水素であってもよい。
【０４３３】
別の官能基との反応
このような状況で反応する分子は、相補的な２つのタイプの官能基を有する。これらは、官能基ＦＡを有する分子が官能基ＦＡと反応可能な官能基ＦＢを有する分子と接触する系であってもよい。
【０４３４】
これらは、同一構造上に１つ以上の官能基ＦＡおよび１つ以上の官能基ＦＢを有する分子であってもよい。
【０４３５】
官能基ＦＡは、たとえば、下記から選択されるものであってもよい。
・エポキシド
・アジリジン
・ビニルおよび活性化ビニル、特に、アクリロニトリル、アクリル酸エステルおよびメタクリル酸エステル
・クロトン酸およびクロトン酸エステル、ケイ皮酸およびケイ皮酸エステル、ステリンおよび誘導体、ブタジエン
・ビニルエーテル、ビニルケトン、マレイン酸エステル、ビニルスルホン、マレイミド
・カルボン酸無水物、塩酸塩およびエステル
・アルデヒド
・アセタール、ヘミアセタール
・アミナール、ヘミアミナール
・ケトン、α−ヒドロキシケトン、α−ハロケトン
・ラクトン、チオラクトン
・イソシアネート
・チオシアネート
・イミン
・イミド、特に、スクシンイミド、グルチミド
・Ｎ−ヒドロキシスクシンイミドエステル
・イミダート
・チオ硫酸塩
・オキサジンおよびオキサゾリン
・オキサジニウムおよびオキサゾリニウム
・Ｃ1〜Ｃ30アルキルまたはＣ6〜Ｃ30アリールまたは式ＲＸを有し、Ｘ＝Ｉ、Ｂｒ、Ｃｌであるハロゲン化アラルキル
・不飽和のハロゲン化炭素環またはハロゲン化複素環、特に、クロロトリアジン
・クロロピリミジン、クロロキノキサリン、クロロベンゾトリアゾール
・ハロゲン化スルホニル、すなわち、ＲがＣ1〜Ｃ30アルキルであるＲＳＯ2−ＣｌまたはＲＳＯ2−Ｆ
【０４３６】
例示として、基ＦＡを含む官能基を有する以下の分子をあげることができる。
・特に、たとえばＩＳＰにより商品名Ｇａｎｔｒｅｚで販売されているメチルビニルエーテルとマレイン酸無水物のコポリマー
・特に、Ｐｏｌｙｓｃｉｅｎｃｅｓにより販売されているグリシジルポリメタクリレート
・特に、Ｓｈｉｎｅｔｓｕにより販売されている（参照Ｘ−２Ｚ−１７３  ＦＸまたはＤＸ）、グリシジルポリジメチルシロキサン
・たとえば、ＨｅｒｃｕｌｅｓによりＨｅｒｃｕｌｅｓの商品名Ｄｅｌｓｅｔｔｅ  １０１、Ｋｙｍｅｎｅ  ４５０で販売されているエポキシポリアミドアミン
・エポキシ−デキストラン
・ＮａＩＯ4を用いる多糖の酸化によって得られるポリアルデヒド多糖類（Ｂｉｏｃｏｎｊｕｇａｔｅ  Ｔｅｃｈｎｉｑｕｅｓ；  Ｈｅｒｍａｎｓｏｎ  ＧＴ，  Ａｃａｄｅｍｉｃ  Ｐｒｅｓｓ，  １９９６）。
【０４３７】
官能基ＦＢは、Ｘ＝Ｏ、Ｎ、Ｓ、ＣＯＯかつｎ＝１または２であるＸＨｎ官能基から選択されるものであってもよく、特にアルコール、アミン、チオール、カルボン酸である。
【０４３８】
ＦＢタイプの官能基を有する分子の例は、以下のとおりである。
・特に、Ｄｅｎｄｒｉｔｅｃｈ、ＤＳＭ、Ｓｉｇｍａ−Ａｌｄｒｉｃｈによって販売されているＰＡＭＡＭデンドリマー（ＤＥＮＤＲＩＴＥＣＨ提供のＳＴＡＲＢＵＲＳＴ、ＰＡＭＡＭ  ＤＥＮＤＲＩＭＥＲ、Ｇ（２，０））
・特に、Ｐｅｒｓｔｏｒｐ、ＤＳＭによって販売されているヒドロキシル官能基を有するデンドリマー（例：ＨＢＰ  ＴＭＰ  ｃｏｒｅ  ２  Ｇｅｎｅｒａｔｉｏｎ  ＰＥＲＳＴＯＲＰ）
・特に、ＢＡＳＦによって商品名Ｌｕｐａｓｏｌで販売されているＰＥＩ（ポリエチレン−イミン）
・ＰＥＩチオール
・特に、チッソにより販売されているポリリシン
・ＨＰセルロース、たとえばＡＱＵＡＬＯＮ提供のＫＬＵＣＥＬＥＦ
・たとえば、Ｃａｒｂｏｍｅｒにより販売されているアミノ−デキストラン
・たとえば、ＢＡＳＦによる国際特許出願公開第ＷＯ−０１／２５２８３号パンフレットに記載されているアミノ−セルロース
・ＰＶＡ（ポリビニルアセタール）、たとえばＡＩＲＰＲＯＤＵＣＴＳ  ＣＨＥＭＩＣＡＬ提供のＡＩＲＶＯＬ  ５４０
・たとえば、Ｃａｒｂｏｍｅｒによって販売されているアミノＰＶＡ
・キトサン
【０４３９】
この第２の例は、ヒドロシリル化によって反応できる分子
【化２２】
2012518829.tif 000028
（Ｗは、たとえば、炭素またはケイ素含有鎖を表す）
も含む。
【０４４０】
２つの成分、市販の分子、触媒条件、使用条件についての詳細は、フランス特許出願公開第２  ９１０  ３１５号明細書に記載されている。
【０４４１】
ある特定の可能性では、皮膚上にすでに存在する分子または皮膚から分泌される分子を、試薬または触媒剤として用いる。それは一般に、シアノアクリレート反応またはシロキサンが関与する特定の反応の一助となり得る、水である。
【０４４２】
別の特定の可能性では、分子を、周囲空気中に存在する試薬または触媒剤として用いる。それは一般に、乾性油などの特定の油、特に、あまに油、キリ油（またはシナアブラギリ油）、オイチシカ油、ベルノニア油、ポピーシード油、ザクロ油、カレンデュラ油またはアルキド樹脂などの乾性植物油などの架橋反応に関与する酸素である。反応は、オクチル酸塩、リノール酸塩またはオクタン酸塩などの形での、コバルト塩、マンガン塩、カルシウム塩、ジルコニウム塩、亜鉛塩、ストロンチウム塩、鉛塩、リチウム塩、鉄塩、セリウム塩、バリウム塩またはスズ塩などの触媒を用いることで加速されるものであってもよい。
【０４４３】
別の特定の可能性では、再配置によって互いに結合する分子を用いる。よって、内部ジスルフィドを有する分子を用いることが可能である。内部ジスルフィドを開き、前記ジスルフィドを反応させることによって、分子間に新しい共有結合を形成することが可能である。
【０４４４】
触媒を使用して、反応を加速してもよい。一例として、マンガン塩、銅塩、鉄塩、プラチナ塩、チタン酸塩などの金属塩またはオキシダーゼまたはラクターゼなどの酵素を使用してもよい。
【０４４５】
性質が同じまたは異なる別の官能基と反応する化学的官能基を用いて、いくつかの適用形態が可能である。
【０４４６】
一例として、反応するすべての成分が熱安定性フォトクロミック組成物中に含まれ、あるいはすべての成分が、たとえば化合物のうちの１つなどの１以上の化合物または触媒を除いて、熱安定性フォトクロミック組成物中に含まれる。熱安定性フォトクロミック組成物に、いずれの成分も含まれないこともある。これらはいずれも、熱安定性フォトクロミック組成物の適用後、好ましくは感光性メイク仕上げを作り出した後に、一度にまたは異なる時点で適用される。
【０４４７】
物理的架橋
分子間に持続的な物理的結合を形成でき、最終材料に耐水性を持たせる成分を使用する場合、架橋は物理的なものであってもよい。これらの結合は、非共有結合的であり、イオンタイプまたは水素タイプのものである。
【０４４８】
言及できる例は、カルシウム塩、亜鉛塩、ストロンチウム塩またはアルミニウム塩などの、２価または多価タイプの塩との混合物である。
【０４４９】
一例として、アルギン酸誘導体などの化合物Ａと、カルシウム塩などの化合物Ｂとを混合してもよい。一例として、アルギン酸誘導体は、熱安定性フォトクロミック組成物に含有される。第２の段階において、たとえば、架橋を引き起こすために、塩化カルシウムの水溶液がスプレーの形で適用される。
【０４５０】
たとえば、ポリシロキサンおよびポリ尿素ブロックコポリマー、特に以下の式
【化２３】
2012518829.tif 000029
（式中、
・Ｒは、１個以上のフッ素または塩素原子で置換されていてもよい、１〜２０個の炭素原子を含有する１価の炭化水素ラジカルを表し、
・Ｘは、１〜２０個の炭素原子を含有し、隣接しないメチレン単位を−Ｏ−ラジカルによって置き換えることもできる、アルキレンラジカルを表し、
・Ａは、酸素原子またはアミノラジカル−ＮＲ’−を表し、
・Ｚは、酸素原子またはアミノラジカル−ＮＲ’−を表し、
・Ｒ’は、水素または１〜１０個の炭素原子を含有するアルキルラジカルを表し、
・Ｙは、必要であればフッ素または塩素で置換され、１〜２０個の炭素原子を含有する２価の炭化水素ラジカルを表し、
・Ｄは、必要であればフッ素、塩素、Ｃ1〜Ｃ6アルキルまたはＣ1〜Ｃ6アルキルエステルで置換され、１〜７００個の炭素原子を含有し、隣接しないメチレン単位を−Ｏ−、−ＣＯＯ−、−ＯＣＯ−または−ＯＣＯＯ−ラジカルによって置き換えてもよいアルキレンラジカルを表し、
・ｎは、１〜４０００の数字であり、
・ａは、少なくとも１の数字であり、
・ｂは、０〜４０の数字であり、
・ｃは、０〜３０の数字であり、
・ｄは、０を超える数字である）
で表されるものなど、強い水素結合を形成できる分子についても言及することができる。
【０４５１】
官能基の詳細、市販の分子および実施条件は、欧州特許出願公開第０  ７５９  ８１２号明細書に記載されている。
【０４５２】
特に耐性の高いコーティングの形成につながる架橋化合物
架橋が化学的であるか物理的であるかを問わず、架橋化合物を、特に水および水分に対して最大限に高い耐性を示すよう選択することができる。
【０４５３】
よって、特にバストまたは腋の下などの最も汗をかく身体の部分を処理するための疎水性の高いコーティングを生成することが可能である。
【０４５４】
一例として、セルロース誘導体などのポリオールタイプの第１の反応成分ＦＡを使用してもよく、ペルフルオロアルキルトリエトキシシランタイプの第２の反応成分ＦＢを使用してもよい。そのような状況下、適用は二段階で実施される。ポリオールを熱安定性フォトクロミック組成物に導入する。成分ＦＢを含有するコーティング組成物を熱安定性フォトクロミック組成物に適用する。
【０４５５】
別の例では、架橋コーティングを生成できる系を用いる。これは、疎水性粒子を含有する。これら組み合わせの例示として、フランス特許出願公開第２  ９１０  ３１５号明細書に記載されているように、疎水性粒子と凝縮技術またはヒドロシリル化技術との組み合わせがある。使用できる固体粒子は、鉱物または有機物由来のものであってもよく、多孔性でも非多孔性でもよく、色つきであっても色つきでなくても構わない。固体粒子は、どのような形態であってもよく、好ましくは球形である。粒子はもともと疎水性であってもよく、これは、たとえばＰＴＦＥ粉末の場合にそうである。あるいは、粒子は、特に炭化水素、シリコーン、蛍光化合物またはフルオロシリコーンのコーティングによって疎水性にされてもよい。
【０４５６】
また、皮脂および脂肪に対して一層高い耐性を提供する、酸化物または亜鉛塩を主成分とするコーティングあるいは、伸長または引き裂きに対して一層耐性が高くされるコーティングを生成することが可能である。これらの改善を、唇、手、腋の下、首または関節付近の任意のゾーンなど、最も動く身体の部分への適用時に利用してもよい。
【０４５７】
伸長強度については、たとえばエラストマー特性を持つ材料を生成する架橋成分を用いることで得ることができる。また、非反応性化合物を組成物（単数または複数）に取り入れ、エラストマー性、たとえば除タンパク天然ラテックスまたは繊維などのエラストマーポリマーを提供することが可能である。
【０４５８】
特定の可能性の１つに、織布または不織布に架橋成分を含浸させることがある。織布または不織布を、感光性メイクアップ組成物の適用前、適用時または適用後に皮膚に適用すればよい。組成物を布帛に含浸させることで、機械的強度が得られる。
【０４５９】
また、布帛と感光性メイクアップ組成物とを組み合わせ、一度このようにした上で、接着剤を用いてまたは用いないでこれを皮膚に適応することも可能である。
【０４６０】
潤滑用の活性成分、特に、窒化ホウ素またはアルミニウムなどの固体潤滑剤を組成物に取り入れてもよい。
【０４６１】
また、固体フィラー、特に、金属酸化物粒子、金属水酸化物粒子、金属カーボネート粒子または有機粒子などの親水性であるか親水性にされたフィラーを取り入れることが可能である。これらのフィラーは、耐摩耗性をさらに高めることがある。
【０４６２】
摩耗層を形成する被覆層
コーティング層は、熱安定性フォトクロミック組成物層の上に機械的保護材料を形成でき、摩耗層として作用する。
【０４６３】
この場合、コーティング層は、好都合なことに、溶媒の留去後に粘性であり、これを照射の前または後に適用すればよい。
【０４６４】
「粘性」という用語は、層が接触に対して耐性であることを意味する。一例として、表面積が１ｃｍ2［平方センチメートル］の平らなプローブをコーティング層に近づけ、これを１０Ｎ／ｃｍ2［１平方センチメートルあたりのニュートン］の圧力で接触させて、５秒間の接触時間経過後にプローブを引く際に、プローブが何も伴ってはならない。よって、油性化合物は除外される。
【０４６５】
コーティング層は、溶媒の留去後は粘着性ではない。「粘着性ではない」という表現は、層が引きに対して耐性を示さないことを意味する。一例として、表面積が１ｃｍ2の平らなプローブを層に近づけ、これを１０Ｎ／ｃｍ2の圧力で接触させて、５秒間の接触時間経過後にプローブを引く際に、プローブは、その引きのために抵抗力を必要としてはならない。よって、ＰＳＡ（感圧接着剤）として知られる化合物は除外される。
【０４６６】
コーティング層を形成する材料は、弾性率が、５００ＭＰａ［メガパスカル］未満かつ１００ｋＰａ［キロパスカル］を超えればよく、好ましくは２００ＭＰａ〜１ＭＰａの範囲内である。
【０４６７】
その平均厚さは、少なくとも１μｍであり、材料の弾性率が１０ＭＰａを超える場合、可能であれば少なくとも２μｍである。その平均厚さは、少なくとも２μｍであり、材料の弾性率が１０ＭＰａ未満である場合、可能であれば少なくとも５μｍである。
【０４６８】
コーティング層を形成する材料がエラストマーすなわち、破断前に最大変形率が少なくとも４００％であり、１分間待った後、弾性回復率が少なくとも９０％である場合、平均厚さは、弾性率が１０ＭＰａ未満であっても、好ましくは少なくとも１μｍである。
【０４６９】
「弾性回復率」という用語は、４０％引っ張り変形後に荷重を除去した後、標本の初期の長さに戻る度合いを意味する。よって、標本の初期の長さがＬ０で、４０％引っ張り変形と荷重除去後の長さがＬ（ｔ）である場合、荷重を除いてから時刻ｔの時点での回復率Ｒ（ｔ）は、次のとおりである。
１００×（１−（Ｌ（ｔ）−Ｌ０）／Ｌ０）／０．４）
【０４７０】
よって、Ｌ（ｔ）＝Ｌ０であれば、Ｒ（ｔ）＝１００である。
【０４７１】
Ｌ（ｔ）＝１．４×Ｌ０であれば、Ｒ（ｔ）＝０である。
【０４７２】
まず厚さ約２００μｍ、長さ約６ｃｍ、幅約１ｃｍの標本を作製することにより回復試験を実施する。必要であれば、標本を任意に支持フィルム上に生成し、その機械的衝撃を標本の機械的特性と比較して小さいと判断する。
【０４７３】
標本に対して、０．１ｍｍ／ｓ［１秒あたりのミリメートル］の速度でその長さの４０％の引っ張り変形をほどこす。次に、荷重をなくして１分間経過させる。
【０４７４】
好ましくは、熱安定性フォトクロミック組成物層に用いた溶媒とは非常に異なる溶媒をコーティング層に適用する。しかしながら、この状態は、特に熱安定性フォトクロミック組成物層に架橋または凝集性化合物を用いる場合、回避されるとよい。
【０４７５】
一例として、熱安定性フォトクロミック組成物層が、ガラス転移点Ｔｇが４０℃未満のラテックスと水を含有する場合、たとえば、コーティング層も水を主成分とするものであってもよい。
【０４７６】
熱安定性フォトクロミック組成物層が、上述したものなどの溶媒と架橋可能な化合物とを含有する場合、たとえば、コーティング層は同一の溶媒を含有するものであってもよい。
【０４７７】
コーティング層を適切に生成する一助となるように、その適用前に、たとえば光または熱を与えてもよい。また、接着剤または特定の粉末など、付着を助ける樹脂または他の製品などから生成される中間層、特に、砥粒サイズがゆえに把持の際に上層を助けるものを被着させることも可能である。
【０４７８】
コーティング層の適用後、光または熱を与えてもよい。
【０４７９】
コーティング層は、徐々に消失するものであってもよい。この場合、感光性メイクアップ層は、経時的には変化せず、感光性メイクアップの精度が十分に保たれる。
【０４８０】
摩耗層を形成するコーティング層の成分
前記コーティング層を形成する際に使用できる化合物は、ポリ（メタ−）アクリル、ポリ（メタ−）アクリレート、ポリウレタン、ポリエステル、ポリスチレンまたは溶解もしくは分散形態でのコポリマーなどのポリマーであり、たとえば、Ｍｅｘｏｍｅｒ、ｕｌｔｒａｈｏｌｄ  Ｓｔｒｏｎｇ  ＤＲ  ２５、２８−２９−３０、Ｇａｎｔｒｅｚ、Ａｍｅｒｈｏｌｄ  ＤＲ  ２５、ａｍｐｈｏｍｅｒ、Ｌｕｖｉｓｅｔ  Ｓｉ  Ｐｕｒ、ＡＱ  ３８またはＡＱ  ４８から選択される。
【０４８１】
ポリマーは、その硬度を調整するために、側基または末端基を有するものであってもよい。一例として、コーティング層を形成する材料は、ＶＳ８０などのシリコーン官能基を有するアクリレートポリマーを含むものであってもよい。
【０４８２】
ポリマーは、たとえばグアーガム、カロウバガムなどのポリオース系ポリマー、あるいはＨＰＭＣＰ［ヒドロキシプロピルメチルセルロースフタレート］などのセルロース誘導体またはタンパクなど、天然ポリマーであっても修飾された天然ポリマーであってもよい。
【０４８３】
ポリマーは、炭化水素ポリマーであってもよい。
【０４８４】
ポリマーは、たとえばシリコーンガムなどのシリコーンであってもよい。
【０４８５】
大半のポリマーに固有の性質では、常に必要な硬度が得られるとはかぎらないため、可塑剤を加えると有用なことがある。
【０４８６】
通常用いられる可塑剤、たとえばグリコールエーテル（トリプロピレングリコールモノメチルエーテル）（ＤＯＷ  ＣＨＥＭＩＣＡＬから入手できるＰＰＧ３メチルエーテルとして知られる）またはグリセリンに加えて、プロピレンカーボネート、アルコール、シリコーンまたは炭素系油などの特定の不揮発性溶媒を含むようにしてもよい。
【０４８７】
可塑剤の量は、ポリマーおよびその固有の性質の関数として計算される。一般的な値は次のとおりである（ポリマーの重量に対する％）。
【０４８８】
【表１】
2012518829.tif 000030
【０４８９】
摩耗層に品質を損なわせることなく摩耗層の有効寿命を延ばすことができる鉱物または有機粒子を、組成物に含めるようにしてもよい。この粒子は、皮膚の突っ張りを引き起こさないが、剥落または球状化の現象を生じさせることがある。よって、好ましくは、粒子４０重量％の濃度を超えないようにする（凝集可能な粒子は含まれない）。
【０４９０】
適用を助けるレオロジカル作用剤を含むようにしてもよい。
【０４９１】
また、沸点が８０℃〜２００℃の範囲にある界面活性剤または特定の溶媒などの展着剤を含むことが可能である。これら溶媒は、組成物のひび割れを遅らせつつ、時間の経過とともに消失するという利点を有する。
【０４９２】
乾燥後の濃度と厚さ
乾燥後の厚さが上述の仕様と一致するように、適用量を考慮して、さまざまな成分の濃度を調整してもよい。
【０４９３】
一例として、展着用に２０ｍｇ／ｃｍ2の流体組成物を適用し、組成物が１０％乾燥物質を含有すると仮定すると、約２ｍｇ／ｃｍ2を被着させることが可能である。密度が約１である場合、これは厚さ約２０μｍに相当する。
【０４９４】
別の例では、２０％乾燥物質を含むエーロゾル組成物の噴霧が４秒間、顔から３０ｃｍのところで実施されると仮定すると、約０．４ｇ［グラム］を４００ｃｍ2に被着すなわち、１ｃｍ2あたり１ｍｇを被着させることになる。相対密度が約１である場合、被着された層の厚さは約１０μｍになろう。
【０４９５】
よって、適用の形態およびガレヌス形態に応じて、乾燥物質濃度は１％〜５０％であればよい。
【０４９６】
コーティング組成物は、乾燥していてもよい。
【０４９７】
他の成分
上述した成分に加えて、各組成物は、以下のことすなわち、ケラチン物質、特に皮膚上に分布させること、スキンケア、快適さ、たとえば臭いまたは軟らかさを提供すること、洗浄時の除去を助けること、たとえば、１種類以上の界面活性剤の使用、アストリンゼントなどの成分の皮膚への浸透を制限すること、または他の化粧的機能、たとえば加湿、色、光沢の提供および／または紫外線遮蔽による影響を制限すること、たとえば、自己日焼け剤またはビタミンＤ活性化剤の使用といったことを、可能にまたは容易にする成分を含有するものであってもよい。
【０４９８】
メイクアップ除去
メイクアップを落とす際、利用者は、非呈色状態のフォトクロミック組成物の跡を残す場合がある。しかしながら、これらの跡が後に、たとえば周囲光中で数時間経過した後、呈色されてしまうことがある。その時点で、利用者がメイクアップを再び落とし始めるのは困難な場合がある。
【０４９９】
この問題を解決するために、メイクアップ落とし中または落とし後に、少なくとも１つの波長λでスクリーンを形成し、フォトクロミック組成物を呈色させるよう作用する少なくとも１種類の光学的作用剤を適用すると好都合な場合がある。
【０５００】
前記光学的作用剤を、適宜、数回再適用してもよい。
【０５０１】
光学的作用剤は、メイクアップ除去組成物の一部であってもよい。
【０５０２】
「波長λでスクリーンを形成する」という表現は、光学的作用剤が波長λの放射線を少なくとも２分の１に減衰させることを意味し、測定は、上記にて詳細に説明したように、波長λを中心とする波長を持つゾーンに照射光を制限することにより吸収スペクトルを測定できる装置を用いて実施される。メイクアップ除去中、好ましくはメイクアップ除去後に光学的作用剤を適用すると、フォトクロミック剤の跡が呈色されるのを防止し、ケラチン物質または衣服にしみが生じる危険性が低減される。
【０５０３】
光学的作用剤の適用後１時間は、ケラチン物質を洗浄しないものとする。後に、利用者が洗浄する際、光学的作用剤によって保護されたフォトクロミック剤の非呈色状態の痕跡をなくすことができる。
【０５０４】
光学的作用剤の適用と関連したもう１つの利点は、新たな感光性メイク仕上げが作られたとき、光学的作用剤は、まだ存在している先の感光性メイクアップの特定の非呈色部分が、新たな感光性メイク仕上げを作るために用いる放射線への曝露時に呈色されるのを防止する。
【０５０５】
メイクアップを落とした後に、光学的作用剤を適用してもよい。また、光学的作用剤は、メイクアップ落としに用いるメイクアップ除去組成物の配合の一部をなすものであってもよい。
【０５０６】
波長λは、ＵＶまたは近ＵＶスペクトル（２９０ｎｍ〜４００ｎｍ）、特に３２０ｎｍ〜４４０ｎｍの範囲に収まるとよい。
【０５０７】
メイクアップ除去組成物は、界面活性剤を主成分とする従来のメイクアップ除去製品であってもよく、あるいは、熱安定性フォトクロミック組成物からの化合物に適合する特定のメイクアップ除去製品であってもよく、溶媒、たとえばエチルまたはブチルアセテート、アセトン、エタノールまたはこれらの混合物、より一般的には、化粧的に許容可能な有機溶媒（許容可能な寛容、毒性、感触）から選択される任意の溶媒を含むものであればよい。これらの有機溶媒は、組成物の総重量の０％〜９８％を占めるものであってもよい。かかる有機溶媒は、親水性有機溶媒、親油性有機溶媒、両親媒性溶媒およびこれらの混合物からなる群から選択できるものである。言及できる親水性有機溶媒の例として、エタノール、プロパノール、ブタノール、イソプロパノールまたはイソブタノールなどの１〜８個の炭素原子を含有する直鎖または分枝鎖の低モノアルコール；６〜８０個のエチレンオキシド部分を含有するポリエチレングリコール；プロピレングリコール、イソプレングリコール、ブチレングリコール、グリセロールまたはソルビトールなどのポリオール；１〜５個の炭素原子を含有するアルキル基のモノまたはジアルキルイソソルビド；ジエチレングリコールモノ−メチルまたはモノ−エチルエーテルなどのグリコールエーテルならびに、ジプロピレングリコールメチルエーテルなどのプロピレングリコールエーテルがあげられる。
【０５０８】
言及できる両親媒性有機溶媒の例として、ポリプロピレングリコール（ＰＰＧ）の誘導体などのポリオール、たとえばポリプロピレングリコールおよび脂肪酸のエステル、あるいはＰＰＧおよび脂肪酸、たとえばＰＰＧ−２３オレイルエーテルまたはＰＰＧ−３６オレアートがあげられる。言及できる親油性有機溶媒の例として、ジイソプロピルアジパート、ジオクチルアジパート、アルキルベンゾエート、イソプロピルミリステート、イソプロピルパルミテート、ブチルステアレート、ヘキシルラウレート、イソノニルイソノナノエート、２−エチルヘキシルパルミテート、２−ヘキシルデシルラウレート、２−オクチルデシルパルミテート、２−オクチルドデシルミリステート、ジ−（２−エチルヘキシル）スクシネート、ジイソステアリルマレート、２−オクチルドデシルラクテート、グリセリントリイソステアレートまたはジグリセリントリイソステアレートなどの脂肪酸エステルがあげられる。
【０５０９】
メイクアップ除去組成物は、
・たとえばマイクロエマルションの形態の油、
・フォトクロミック剤（単数または複数）を皮膚上に維持するのに用いられる化合物（単数または複数）が、カルボポールの場合のようにｐＨ感受性である場合、ｐＨ作用剤または
・イオン性液体
をさらに含むものであってもよい。
【０５１０】
単独でまたはメイクアップ除去組成物中の混合物として用いることができ、特に言及できるアニオン界面活性剤の例は、アルカリ塩、アンモニウム塩、アミン塩または以下の化合物すなわち、アルコイルスルフェート、アルコイルエーテルスルフェート、アルコイルアミドスルフェートおよびエーテルスルフェート、アルコイルアリールポリエーテルスルフェート、モノグリセリドスルフェート、アルコイルスルホネート、アルコイルアミドスルホネート、アルコイルアリールスルホネート、α−オレフィンスルホネート、パラフィンスルホネート、アルコイルスルホスクシネート、アルコイルエーテルスルホスクシネート、アルコイルアミドスルホスクシネート、アルコイルスルホスクシナメート、アルコイルスルホアセテート、アルコイルポリグリセロールカルボキシレート、アルコイルホスフェート／アルコイルエーテルホスフェート、アシルサルコシネート、アルコイルポリペプチデート、アルコイルアミドポリペプチデート、アシルイセチオネートおよびアルコイルラウレートのアミノアルコール塩である。
【０５１１】
これら化合物のすべてに含まれるアルコイルまたはアシルラジカルは通常、１２〜１８個の炭素原子を含有する鎖を呈する。
【０５１２】
また、石鹸および脂肪酸塩、たとえばオレイン酸、リシノール酸、パルミチン酸、ステアリン酸、コプラ油酸または水素化コプラ油酸、特にアミンの塩、たとえばステアリン酸アミン；８〜２０個の炭素原子を含有するアシルラジカルのアシルラクチルエートおよび次の式
Ａｌｋ−（ＯＣＨ2−ＣＨ2）n−ＯＣＨ2−ＣＯＯＨ
を有する、酸または塩形態のポリグリコールエーテルのカルボン酸に言及することが可能であり、式中、置換基Ａｌｋは、１２〜１８個の炭素原子を含有する直鎖に対応し、ｎは５〜１５の範囲の整数である。
【０５１３】
単独または混合物として用いることができ、特に言及できる非イオン界面活性剤の例は、アルコール、アルコイルフェノールならびに、８〜１８個の炭素原子を含む脂肪酸鎖を有するポリエトキシル化、ポリプロプオキシル化またはポリグリセロール化脂肪酸；エチレンオキシドおよびプロピレンオキシドのコポリマー、エチレンオキシドおよびプロピレンオキシドの脂肪酸アルコールでの凝縮物、ポリエトキシル化脂肪酸アミド、ポリエトキシル化脂肪酸アミン、エタノールアミド、グリコールと脂肪酸のエステル、ソルビタンと脂肪酸のエステル（これらは任意に、オキシエチレン化されていてもよい）、サッカロースと脂肪酸のエステル、ポリエチレングリコールと脂肪酸のエステル、リン酸トリエステル、グルコース誘導体と脂肪酸のエステル；アミン化糖のアルキルポリグリコシドおよびアルキルアミド；α−ジオール、モノアルコール、アルコイルフェノール、グリシドールを含むアミドまたはジグリコルアミドまたはグリシドールの前駆物質の縮合生成物があげられる。
【０５１４】
光学的作用剤を含有するメイクアップ除去組成物は、光学的作用剤をコアセルベーション効果などによってすすぎ時に被着させられるように配合されるものであってもよく、この効果は、ＰＣ／ＰＡ、ＴＣ／ＴＡ、ＴＣ／ＰＡ、ＴＡ／ＰＣなど、相互に補完するイオン性を持つ界面活性剤とポリマー、場合によっては、被着を容易にするための両性および非イオン界面活性剤を用いることによって得られる。ＰＣは一般に、カチオングアーガム（たとえばＪａｇｕａｒ  Ｃ１３Ｓ）などの化合物あるいは、ＪＲ４００またはイオネンなどの人工化合物である。ＴＣは一般に、第４鎖化合物（特に、トリメチルアンモニウム基）および脂肪酸鎖化合物（Ｃ6〜Ｃ30）である。ＰＡは、アクリレートまたはメタクリレートポリマーあるいは、スルホン基を含有するコポリマーまたはポリマーなどのマルチアニオンポリマーであればよい。ＴＡは、カルボン酸、スルフェートまたはスルホン界面活性剤（ＬＥＳ、ＬＳ）などのアニオン界面活性剤である。
【０５１５】
好適な支持体、特に、吸収できるもの、たとえば、繊維状メイクアップ除去ディスク、たとえば織布または不織布、フェルト、綿毛、フロック加工フィルム、スポンジまたはタオルを用いて、メイクアップ除去組成物を適用してもよく、メイクアップ落としに用いられる支持体は、好都合なことに、メイクアップ落としの作業後に取り除かれる。
【０５１６】
メイクアップ除去組成物を容器に収容し、メイクアップを落とすたびに取り出すようにしてもよい。変形例では、メイクアップ落としに用いられる支持体にメイクアップ除去組成物を含浸させる。この場合、支持体は、場合により、密閉包装などで包装される。メイクアップ除去組成物の使用後、ケラチン物質をすすぐ必要はない。変形例では、これをすすいでもよい。すすぎは、流水を用いて、たとえば、石鹸を加えないで実施できる。
【０５１７】
本発明は、記載された実施例に限定されるものではない。よって、多数の実施例で顔を参照する。顔を身体の他の部分に置き換えても、本発明の範囲を超えるものではない。
【０５１８】
「（単数の）〜を含む（ｃｏｍｐｒｉｓｉｎｇ  ａ）」という表現は、「少なくとも１つの〜を含む（ｃｏｍｐｒｉｓｉｎｇ  ａｔ  ｌｅａｓｔ  ｏｎｅ）」と同義とみなされるものとする。
【実施例】
【０５１９】
実施例５：
Ｌｏｇｉｔｅｃｈ  Ｑｕｉｃｋ  Ｃａｍ  Ｐｒｏ  ９０００カメラとＵＶマトリクスプロジェクタを、ポータブルコンピュータに接続する。
【０５２０】
半透明の６０／４０ミラーを、プロジェクタによって放出される光がミラーを通過し、プロジェクタに平行な入射光がカメラに向かって９０°で反射されるように位置決めする。
【０５２１】
ＵＶマトリクスプロジェクタは、次の５つの部品を有する。
−Ｔｅｘａｓ  Ｉｎｓｔｒｕｍｅｎｔｓから入手可能なＤＭＤ０．７インチＸＧＡなどのＵＶ光で動作するよう構成されたＤＬＰコンポーネント、
−３４０ｎｍ〜４００ｎｍの範囲の光を放出する１０ワットのＵＶランプ、
−Ｔｅｘａｓ  Ｉｎｓｔｒｕｍｅｎｔｓから入手可能なＤＤＣ  ４１００  ＤｉｇｉｔａｌコントローラなどのＤＬＰのミラーを制御するコントローラ、
−Ｔｅｘａｓ  Ｉｎｓｔｒｕｍｅｎｔｓ  ＤＡＤ  ２０００  ＤＭＰ  Ｐｏｗｅｒ  ａｎｄ  Ｒｅｓｅｔ  Ｄｒｉｖｅｒなどの上述したコンポーネント用のインタフェースと電源、
−マトリクスプロジェクタからの光を約３０ｃｍの地点に集束させる光学系。
【０５２２】
ポータブルコンピュータは、カメラ画像を捕捉し、前記画像を処理して顔を検出し、額や２つの頬などの処理対象ゾーンを検出した後、各ゾーン内に最も暗いエリアを検出するようプログラムされている。捕捉された画像はスクリーン上に表示され、最も暗いエリアが存在する場合には、そのエリアをハイライトする。ソフトウェアが暗いゾーンを検出しなかった場合、「処理できず」などのメッセージが表示される。
【０５２３】
ソフトウェアは、前記ゾーンの処理を受け入れるか拒否するように利用者に指示するよう構成される。利用者が受け入れる場合、ソフトウェアは、ＤＬＰを制御して、選択された方法で暗いエリア間に位置する明るいエリアを照明する。次に、ＤＬＰによって表示される画像をＵＶ光で投射する。
【０５２４】
コントロールパネルによって、利用者は、照明を停止したり、強度を下げたり、照明を再開したりすることができる。
【０５２５】
操作前に、利用者は、カメラとＵＶプロジェクタを光学的に整列配置させ、倍率を確認して視野が重なるように光学系を設定する。
【０５２６】
フォトクローム製品（暗所保管）：
山田化学工業株式会社によってリファレンスＤＡＥ−ＴＺで販売されているジアリールエテンマゼンタ  ０．０６ｇ
山田化学工業株式会社によりリファレンスＤＡＥ  ２ＢＴで販売されているジアリールエテンイエロー  ０．２８ｇ
山田化学工業株式会社によりリファレンスＤＡＥ  ２ＢＴで販売されているジアリールエテンブルー  ０．０６ｇ
和光純薬工業株式会社により販売されているＰＭＭＡ（メチルメタクリレートポリマー）  １０ｇ
アセトン  ８９．６ｇ
【０５２７】
保護製品：
ＬＡＮＣＯＭＥによるＳｕｎ  ＤＮＡ  Ｇｕａｒｄ  ＳＰ５０。
【０５２８】
この方法は、色素異常症など皮膚に欠陥のある人になされる。
【０５２９】
フォトクローム製品を、欠陥のある１か所またはさまざまなエリアに、欠陥に制限されずエリア全体に、額などのエリアであればたとえば０．５ｇ適用する。処理対象となる人は、ＵＶプロジェクタおよびカメラ（プロジェクタに対して９０°オフセットして位置決めされる）の光軸に沿って位置決めされる。
【０５３０】
人が自分の目を閉じた後に画像の撮像を開始する。
【０５３１】
「提案されたエリア」を示すインタフェースによって、処理対象となる１以上のエリアを選択できるようになる。次に、照明が開始される。オペレータは、メイクアップの進み具合を監視し、必要な場合、コントロールパネルを用いて照明強度を落とし、色が均一になり始めるすなわち、皮膚欠陥のあるエリアが残りのエリアと類似または同一の色になりつつあれば、オペレータはコントロールパネルを用いて照明を停止する。結果に満足できる場合、オペレータは、フォトクローム製品を適用したエリア全体に保護製品を適用する。
【０５３２】
実施例６：
実施例５と同一の装置を使用する。
【０５３３】
コンピュータは、
−カメラから画像を捕捉し、
−画像を処理して顔を画定し、額と２つの頬を検出し、
−これらのエリア内で最も明るいゾーンを検出し、
−スクリーン上にカメラからの画像を表示し、最も明るいエリアがあればこれをハイライトするようプログラムされている。
【０５３４】
プログラムがそのようなゾーンを検出しなかった場合、対応するメッセージが表示される。
【０５３５】
ソフトウェアは、前記ゾーンの処理を受け入れるか拒否するように利用者に指示するよう構成される。利用者が受け入れる場合、ソフトウェアは、ＤＬＰを制御して、選択された方法で暗いエリア間に位置する明るいエリアを照明する。次に、ＤＬＰによって表示される画像をＵＶ光で投射する。
【０５３６】
コントロールパネルによって、利用者は、照明を停止したり、強度を下げたり、照明を再開したりすることができる。
【０５３７】
操作前に、利用者は、カメラとＵＶプロジェクタを光学的に整列配置させ、倍率を確認して視野が重なるように光学系を設定する。
【０５３８】
色素脱失症（白斑）の被験者を処理する。
【０５３９】
欠陥を標的にしつつ欠陥周囲の境界を約２ｃｍ越えるようにして、欠陥のある１か所以上のエリアに、実施例１で使用したものと同じフォトクローム製品を、たとえば約０．１ｇ／ｃｍ2の量で適用する。
【０５４０】
処理対象の人は、ＵＶプロジェクタおよびカメラ（プロジェクタに対して９０°オフセットして位置決めされる）の光軸に沿って位置決めされる。
【０５４１】
人が自分の目を閉じた後に画像の捕捉を開始する。
【０５４２】
「提案されたエリア」を示すインタフェースによって、処理対象となる１以上のエリアを選択できるようになる。次に、照明が開始される。オペレータは、メイクアップの進み具合を監視し、必要な場合、コントロールパネルを用いて照明強度を落とし、色が均一になり始めるすなわち、皮膚欠陥のあるエリアが残りのエリアと類似または同一の色になりつつあれば、オペレータはコントロールパネルを用いて照明を停止する。結果に満足できる場合、オペレータは、フォトクローム製品を適用したエリア全体に保護製品を適用する。
【０５４３】
実施例７：
実施例５と同一の装置を使用する。
【０５４４】
コンピュータは、カメラの画像を捕捉し、顔、唇、目、眉毛のアウトラインを検出するよう構成される。
【０５４５】
これは、
−唇に相当するマスクであって、アウトラインが唇のもともとのアウトラインである画像であるマスクおよび／または
−目と眉毛との間のエリアに相当するマスクであって、アウトラインの最下端が上瞼の頂部、最上端が眉毛の一番下にあたる画像であるマスク
を生成する。
【０５４６】
マスクの画像を可視光で投射する。オペレータは、提案された画像の品質を確認できる。
【０５４７】
コンピュータには、画像タッチアップソフトウェアが搭載され、これによって画像のアウトラインを再び描くよう各マスクを洗練させることができる。
【０５４８】
プログラムは、利用者が画像の塗りつぶしパターンを選択できるように構成され、画像の塗りつぶしパターンは、均一であっても幾何学的パターンを含むものであってもよい。
【０５４９】
インタフェースにより、利用者は、１以上のエリアの処理を受け入れるか拒否することができる。
【０５５０】
操作前に、利用者は、カメラとＵＶプロジェクタを光学的に整列配置させ、倍率を確認して視野が重なるように光学系を設定する。
【０５５１】
フォトクローム製品を、たとえば約０．５ｇの量で唇に適用する。
【０５５２】
フォトクローム製品を目と眉毛との間のエリア全体に適用する。上瞼を製品で覆う。
【０５５３】
青色フォトクローム製品（暗所保管）：
山田化学工業株式会社によってリファレンスＤＡＥ−２ＢＴで販売されているジアリールエテンブルー  ０．３ｇ
和光純薬工業株式会社によりにより販売されているＰＭＭＡ（メチルメタクリレートポリマー）  １０ｇ
アセトン  ８９．７ｇ
【０５５４】
赤色フォトクローム製品（暗所保管）
山田化学工業株式会社によってリファレンスＤＡＥ−ＴＺで販売されているジアリールエテンマゼンタ  ０．０６ｇ
山田化学工業株式会社によりリファレンスＤＡＥ  ２ＢＴで販売されているジアリールエテンイエロー  ０．２８ｇ
【０５５５】
保護製品：
ＬＡＮＣＯＭＥによるＳｕｎ  ＤＮＡ  Ｇｕａｒｄ  ＳＰ５０。
アセトン  ９９，６６
【０５５６】
処理対象となる人は、ＵＶプロジェクタおよびカメラ（プロジェクタに対して９０°オフセットして位置決めされる）の光軸に沿って位置決めされる。
【０５５７】
赤色または青色のフォトクローム製品を唇に適用し（たとえば約０．５ｇ）目と眉毛との間のエリアにも適用する。上瞼も製品で覆う。
【０５５８】
人が自分の目を閉じた後に画像の捕捉を開始する。
【０５５９】
「提案されたエリア」を示すインタフェースによって、処理対象となる１以上のエリアを選択できるようになる。必要であれば、インタフェースによって、利用者は画像に触れることができる。
【０５６０】
次に、照明が開始される。オペレータは、メイクアップの進み具合を監視し、必要な場合、コントロールパネルを用いて照明強度を落とし、色が所望の色に達しはじめたら、オペレータはコントロールパネルを用いて照明を停止する。結果に満足できる場合、オペレータは、フォトクローム製品を適用したエリア全体に保護製品を適用する。
【０５６１】
実施例８：
装置は、たとえば実施例５のものと同一であり、プログラムは、たとえば実施例７のものと同一である。
【０５６２】
加えて、コンピュータには、顔の要素を考慮して位置決めされる装飾画像から始まるマスクを生成するプログラムが搭載される。
【０５６３】
たとえば、目を検出し、目のアウトラインをなぞるか、目と整列配置されたパターンをなぞるかして、マスクを作る。後者の場合、プログラムは、それぞれの目の位置を検出し、目の主軸を識別し、目の外隅に、目の隅に隣接して主軸に沿ったパターンを配置する。プロジェクタは、マスクを投射し、装飾画像が得られるよう制御される。
【０５６４】
ＵＶマトリクスプロジェクタは、次の５つの部品を有する。
−Ｔｅｘａｓ  Ｉｎｓｔｒｕｍｅｎｔｓから入手可能なＤＭＤ０．７インチＸＧＡなどのＵＶ光で動作するよう構成されたＤＬＰコンポーネント、
−３４０ｎｍ〜４００ｎｍの範囲の光を放出する１０ワットのＵＶランプ、
−Ｔｅｘａｓ  Ｉｎｓｔｒｕｍｅｎｔｓから入手可能なＤＤＣ  ４１００  ＤｉｇｉｔａｌコントローラなどのＤＬＰのミラーを制御するコントローラ、
−Ｔｅｘａｓ  Ｉｎｓｔｒｕｍｅｎｔｓ  ＤＡＤ  ２０００  ＤＭＰ  Ｐｏｗｅｒ  ａｎｄ  Ｒｅｓｅｔ  Ｄｒｉｖｅｒなどの上述したコンポーネント用のインタフェースと電源、
−マトリクスプロジェクタからの光を約３０ｃｍの地点に集束させる光学系。
【０５６５】
これらのコンポーネントはいずれも、ＵＳＢケーブルを介してポータブルコンピュータに接続されている。
【０５６６】
コンピュータは、
−利用者が画像または写真バンクから画像を選択できるようにし、
−ネットワークを介して画像にアクセスし、
−画像を作り出すまたは修正するよう構成されている。
【０５６７】
また、コンピュータは、マトリクスプロジェクタを制御して、選択された画像を可視光または目に見えないＵＶ光のいずれかで投射できるように構成されている。
【０５６８】
操作前に、利用者は、カメラとＵＶプロジェクタを光学的に整列配置させ、倍率を確認して視野が重なるように光学系を設定する。
【０５６９】
ジアリールエテンなどのフォトクローム製品、たとえばリファレンスＤＡＥ−ＴＺ、ＤＡＥ−２ＢＴで販売されているものを使用すればよい。これらは、約０．００１重量％〜約１０重量％の濃度で、好ましくは、０．１〜３％の範囲の全量で使用すればよい。
【０５７０】
処理対象となる人は、周囲ＵＶ光が存在しない環境においてフォトクローム（単数または複数）を含有する組成物を適用する。次に、その人は、画像を選択した上で、好ましくは可視光で画像を自分の皮膚に投射する。画像を集束させ、その人は可視光とＵＶ光をシフトさせて、色強度の結果に満足したら投射をやめる。
【０５７１】
ＵＶ保護組成物を適用して、処理を終了させることが可能である。
【０５７２】
別の例では、スキャナをコンピュータに接続する。スキャナは、後で身体に投射される画像を捕捉するために用いられる。
【０５７３】
投射される画像は、さまざまな画像すなわち、
−メイクアップを再現する画像、たとえば、赤面の効果を再現する数センチの吹き出物あるいは、唇のメイクアップを再現する色表面
−自然な効果を再現する画像、たとえば、そばかすのような小さな欠陥、
−装飾を再現する画像、たとえば、永続的または一時的に通常はタトゥーが入った画像ならびに、動物や花などの自然界のイラスト、記号、文字、文章、幾何学的パターンなどであってもよい画像
から選択されるものであればよい。
【図１】
2012518829.tif 000031
【図２】
2012518829.tif 000032
【図２ａ】
2012518829.tif 000033
【図３】
2012518829.tif 000034
【図４】
2012518829.tif 000035
【図５】
2012518829.tif 000036
【図６】
2012518829.tif 000037
【図７】
2012518829.tif 000038
【図８】
2012518829.tif 000039
【図９】
2012518829.tif 000040
【図１０】
2012518829.tif 000041
【図１０Ａ】
2012518829.tif 000042
【図１１】
2012518829.tif 000043
【図１２】
2012518829.tif 000044
【図１３】
2012518829.tif 000045
【図１４Ａ】
2012518829.tif 000046
【図１４Ｂ】
2012518829.tif 000047
【図１４Ｃ】
2012518829.tif 000048
【図１５Ａ】
2012518829.tif 000049
【図１５Ｂ】
2012518829.tif 000050
【図１５Ｃ】
2012518829.tif 000051
【図１６】
2012518829.tif 000052
【手続補正書】
【提出日】平成23年10月28日(2011.10.28)
【手続補正１】
【補正対象書類名】特許請求の範囲
【補正対象項目名】全文
【補正方法】変更
【補正の内容】
【特許請求の範囲】
【請求項１】
対象者の、熱安定性フォトクロミック組成物でコーティングされたゾーンを、感光性メイクアップでメイクアップする方法であって、電子的にアドレス可能なマトリクスイメージャを用いて、前記熱安定性フォトクロミック組成物上に画像を形成する、方法。
【請求項２】
前記方法が、
・前記対象者のメイクアップ対象となる前記ゾーンの少なくとも１つの画像を撮像し、
・そのようにして撮像された前記画像に応じて、前記イメージャを制御する
ことから構成されるステップを有する、請求項１に記載の方法。
【請求項３】
形成された前記画像を、前記撮像された画像に応じて自動的に判断する、請求項２に記載の方法。
【請求項４】
前記処理対象ゾーンの前にあるツールあるいは、前記処理対象ゾーンを視認するためのスクリーンの前または上にあるツールの動きに応じて、あるいは、前記処理対象ゾーンを視認するためのスクリーン上または前記処理対象ゾーン上に形成される前記画像内のポインタの動きに応じて、形成される前記画像が修正される、請求項１〜３のいずれか１項に記載の方法。
【請求項５】
前記イメージャが、前記ＵＶおよび／または前記可視域で選択的に放出するのに適している、請求項１〜４のいずれか１項に記載の方法。
【請求項６】
前記熱安定性フォトクロミック組成物を完全に呈色させた後、前記電子的にアドレス可能なマトリクスイメージャを用いて選択的な消色を実施する、請求項１〜５のいずれか１項に記載の方法。
【請求項７】
前記アドレス可能なマトリクスイメージャを用いて前記熱安定性フォトクロミック組成物を呈色させる、請求項１〜５のいずれか１項に記載の方法。
【請求項８】
前記画像の投射時に、前記処理対象ゾーンにおけるレリーフが原因の前記処理対象ゾーンでの前記画像の変形を予測すべく前記画像を計算する、請求項１〜７のいずれか１項に記載の方法。
【請求項９】
感光性メイクアップを処理するためのシステムであって、
・熱安定性フォトクロミック組成物と、
・前記熱安定性フォトクロミック組成物を呈色できる、光を放出する電子的にアドレス可能なマトリクスイメージャと、
を備える、システム。
【請求項１０】
・光学収集装置と、
・前記光学収集装置によって撮像された前記画像に応じて前記イメージャを制御するための装置と、を備える、請求項９に記載のシステム。
【国際調査報告】
2012518829.tif 000053
2012518829.tif 000054
2012518829.tif 000055